(57)【要約】【課題】  従来の検査対象成分を含む試料の分析を行う検査チップにおいては、試料ならびに試薬試料の当該チップ上での移送に、チップを回転させたときに生起する遠心力と外部ポンプ等の移送手段を混在させており、操作手順が煩雑で、かつ外部装置が高価にならざるを得なかった。また、検査項目数の増加と共に、ほぼそれに比例して当該チップ面積が増大するチップ構造的な問題もあった。【解決手段】  対象成分を含む試料が導入された検体分析チップは、試料の分離、秤量を一度のチップ回転で実現する分離流路を含む。また当該チップは、チップ回転により少なくとも２種類の試料を混合する混合流路を含む。さらに溝流路を形成した少なくとも２つの基板を、両側に粘着層を有し、当該溝流路間の接続部位に貫通穴を形成した、少なくとも１つの接着板を介して接着して一体のチップ形成し、チップ面積の増大を抑制する。【選択図】  図２
2007024851.tif 000002
【特許請求の範囲】
【請求項１】
ある回転軸を中心とする回転により試料中の検体成分を分離・秤量する分離・秤量チップであって、
前記チップ外部から試料を導入する試料導入口と、
前記試料導入口から見て遠心加圧方向に位置し、当該試料導入口と連通されており、前記試料から前記検体成分と検体成分以外の成分（以下、非検体成分という）を遠心分離する分離流路と、
前記分離流路から見て遠心加圧方向に位置し、当該分離流路と連通されており、非検体成分を蓄積する、少なくとも１つの非検体成分蓄積槽と、
前記分離流路から見て遠心加圧方向に位置し、非検体成分蓄積槽と連通されており、前記検体成分を蓄積ならびに秤量する少なくとも１つの検体成分秤量槽と、
を含むことを特徴とする分離・秤量チップ。
【請求項２】
前記分離流路は、遠心加圧方向に多段に配設されていること特徴とする、請求項１記載の分離・秤量チップ。
【請求項３】
前記分離流路の少なくとも一部は、前記非検体成分蓄積槽へと至る当該分離流路中を流れる試料の進行方向が、遠心加圧方向に対し、直交よりわずかに当該遠心加圧方向寄りの方向になる構造であることを特徴とする、請求項１記載の分離・秤量チップ。
【請求項４】
前記分離流路の少なくとも一部は、その他部分の分離流路の断面積よりも小さいことを特徴とする、請求項１記載の分離・秤量チップ。
【請求項５】
前記分離流路表面の少なくとも一部は、疎水性を有する膜で覆われていることを特徴とする、請求項１記載の分離・秤量チップ。
【請求項６】
前記試料導入口には、血液を採取する採血用針ならびに採取した血液を蓄積する血液溜パイプを含む採血装置を導入できることを特徴とする、請求項１記載の分離・秤量チップ。
【請求項７】
ある回転軸を中心とする回転により試料中の検体成分を分離・秤量する分離・秤量チップであって、
前記チップ外部から試料を導入する試料導入口と、
前記試料導入口から見て遠心加圧方向に位置し、当該試料導入口と連通されており、前記試料から前記検体成分と非検体成分を遠心分離し、非検体成分を蓄積する非検体成分蓄積部を含む分離・非検体成分蓄積流路と、
前記分離・非検体成分蓄積流路から見て遠心加圧方向に位置し、当該分離・非検体成分蓄積流路と連通されており、前記検体成分を蓄積ならびに秤量する少なくとも１つの検体成分秤量槽と、
を含むことを特徴とする分離・秤量チップ。
【請求項８】
前記非検体成分蓄積部は、分離・非検体成分蓄積流路の遠心加圧方向側に配設されていること特徴とする、請求項７記載の分離・秤量チップ。
【請求項９】
前記分離・非検体成分蓄積流路は、遠心加圧方向に多段に配設されていること特徴とする、請求項７記載の分離・秤量チップ。
【請求項１０】
前記分離・非検体成分蓄積流路の少なくとも一部は、前記検体成分秤量槽へと至る当該分離・非検体成分蓄積流路中を流れる試料の進行方向が、遠心加圧方向に対し、直交よりわずかに当該遠心加圧方向寄りの方向になる構造であることを特徴とする、請求項７記載の分離・秤量チップ。
【請求項１１】
前記分離・非検体成分蓄積流路の少なくとも一部は、その他部分の分離・非検体成分蓄積流路の断面積よりも小さいことを特徴とする、請求項７記載の分離・秤量チップ。
【請求項１２】
前記分離・非検体成分蓄積流路表面の少なくとも一部は、疎水性を有する膜で覆われていることを特徴とする、請求項７記載の分離・秤量チップ。
【請求項１３】
前記試料導入口には、血液を採取する採血用針ならびに採取した血液を蓄積する血液溜パイプを含む採血装置を導入できることを特徴とする、請求項７記載の分離・秤量チップ。
【請求項１４】
ある回転軸を中心とする回転により少なくとも２種類の試料の混合を行う混合チップであって、
前記試料を合流部へと導く、少なくとも２つの合流流路と、
前記合流流路から見て遠心加圧方向に位置し、当該合流流路と連通されており、急峻に流路幅が狭まる部位と広まる部位を与える突起形状を少なくとも一部に含む混合流路と、
を含むことを特徴とする混合チップ。
【請求項１５】
前記混合流路の少なくとも一部は、当該流路中を流れる試料の進行方向が、遠心加圧方向に対し、直交よりわずかに当該遠心加圧方向寄りの方向になる構造であることを特徴とする、請求項１４記載の混合チップ。
【請求項１６】
前記混合流路は、遠心加圧方向に多段に配設されていること特徴とする、請求項１４記載の混合チップ。
【請求項１７】
前記突起形状は、前記混合流路の遠心加圧方向と反対側に配設されていること特徴とする、請求項１４記載の混合チップ。
【請求項１８】
前記複数の合流流路の断面積の比が、特にそれぞれの合流流路を通過するそれぞれの試料の量の比にほぼ等しいことを特徴とする、請求項１４記載の混合チップ。
【請求項１９】
被光学測定試料を導入し、当該試料を満たして光学測定を行う光学測定セルを含む光学測定チップであって、上記光学測定セルは、
前記光学測定チップ平面とほぼ平行であり、かつ当該チップ外からの入射光と当該光学測定セルからの出射光を透過し、また当該入射光ならびに出射光となす角が直角、もしくは直角近くである一方の面であり、光学的透過率の高い材料で構成される光学窓と、
前記光学窓とほぼ平行、かつ対向し、その表面は光学的反射率の高い材料で構成され、当該光学測定セル内へと導かれた入射光を反射する反射層と、
を含むことを特徴とする光学測定チップ。
【請求項２０】
前記反射層を構成する光学的反射率の高い材料の主成分が、特にアルミニウムであることを特徴とする、請求項１９記載の光学測定チップ。
【請求項２１】
前記光学窓が、特に凸レンズ形状を成していることを特徴とする、請求項１９記載の光学測定チップ。
【請求項２２】
ある回転軸を中心とする回転により試料の秤量を行う秤量チップであって、
秤量する量よりも大きい量の前記試料を蓄積する試料溜と、
前記試料溜から見て遠心加圧方向に位置し、当該試料溜と連通されており、予め予想される遠心加圧後の試料喫水線を含む当該槽内の一部の部分が、その他の部分の深さよりも浅くなっている秤量槽と、
秤量された試料以外の試料を蓄積する廃液溜槽と、
を含むことを特徴とする秤量チップ。
【請求項２３】
前記秤量槽中の予め予想される前記チップ回転後の試料喫水線を含む一部の深さが浅くなっている部分の深さが、特に０．５ｍｍ以下であることを特徴とする、請求項２２記載の秤量チップ。
【請求項２４】
第１および第２回転軸を中心とする回転により、試料中から検体成分を分離・秤量、第１の試薬試料の秤量、秤量した検体成分と第１の試薬試料の混合（混合したものを以下、第１混合試料）、第２の試薬試料の秤量、第１混合試料と秤量した第２の試薬試料の混合（混合したものを以下、第２混合試料）ならびに第２混合試料の光学測定セルへの移送、を行う検体分析チップであって、
前記検体分析チップ外部から検体成分を含む前記試料を導入する試料導入口と、
（１）前記検体分析チップを、前記第１回転軸を中心として回転させる第１のチップ回転により、
前記試料導入口と連通し、当該試料導入口から見て第１の遠心加圧方向に位置し、前記試料から前記検体成分と非検体成分を遠心分離する分離流路と、
前記分離流路から見て第１の遠心加圧方向に位置し、当該分離流路と連通されており、非検体成分を蓄積する、少なくとも１つの非検体成分蓄積槽と、
前記分離流路から見て第１の遠心加圧方向に位置し、非検体成分蓄積槽と連通されており、前記検体成分を蓄積ならびに秤量する少なくとも１つの検体成分秤量槽と、
前記第１の試薬試料の秤量する量よりも大きい量の当該試薬試料を蓄積する少なくとも１つの第１の試薬試料溜槽と、
前記第１の試薬試料溜槽から見て第１の遠心加圧方向に位置し、当該試薬試料溜槽と連通されており、第１の試薬試料を秤量蓄積する少なくとも１つの第１の試薬試料秤量槽と、
前記秤量された第１の試薬試料以外の試薬試料を蓄積、前記第１の試薬試料秤量槽と連通する少なくとも１つの第１の廃液溜槽と、
（２）前記検体分析チップを、前記第２回転軸を中心として回転させる第２のチップ回転により、
前記検体蓄積槽に秤量蓄積された検体成分と前記第１の試薬試料秤量槽に秤量蓄積された第１の試薬試料を混合蓄積し、前記検体蓄積槽と前記第１の試薬試料秤量槽から見て第２の遠心加圧方向に位置し、前記検体蓄積槽と前記第１の試薬試料秤量槽と連通する少なくとも１つの１次混合槽と、
前記第２の試薬試料の秤量する量よりも大きい量の当該試薬試料を蓄積する少なくとも１つの第２の試薬試料溜槽と、
前記第２の試薬試料溜槽から見て第２の遠心加圧方向に位置し、当該試薬試料溜槽と連通されており、第２の試薬試料を秤量蓄積する少なくとも１つの第２の試薬試料秤量槽と、
前記秤量された第２の試薬試料以外の試薬試料を蓄積し、前記第２の試薬試料秤量槽と連通する少なくとも１つの第２の廃液溜槽と、
（３）前記検体分析チップを、前記第１回転軸を中心として回転させる第３のチップ回転により、
前記１次混合槽に蓄積されていた第１混合試料と、前記第２の試薬試料秤量槽に秤量蓄積されていた第２の試薬試料と、を合流部へと導き、当該１次混合槽と当該第２の試薬試料秤量槽から見て、第１の遠心加圧方向に位置する、少なくとも２つの合流流路と、
前記合流流路から見て第１の遠心加圧方向に位置し、当該合流流路と連通されており、急峻に流路幅が狭まる部位と広まる部位を与える突起形状を少なくとも一部に含む少なくとも１つの混合流路と、
前記混合流路を経て、均質に混合された第２混合試料を蓄積し、当該混合流路から見て第１の遠心加圧方向に位置する少なくとも１つの光学測定セルと、
を含む検体分析チップ。
【請求項２５】
第１および第２回転軸を中心とする回転により、試料中から検体成分を分離・秤量、第１の試薬試料の秤量、秤量した検体成分と第１の試薬試料の混合、第２の試薬試料の秤量、第１混合試料と秤量した第２の試薬試料の混合ならびに第２混合試料の光学測定セルへの移送、を行う検体分析チップであって、
前記検体分析チップ外部から検体成分を含む前記試料を導入する試料導入口と、
（１）前記検体分析チップを、前記第１回転軸を中心として回転させる第１のチップ回転により、
前記試料導入口と連通し、当該試料導入口から見て第１の遠心加圧方向に位置し、前記試料から前記検体成分と非検体成分を遠心分離し、非検体成分を蓄積する非検体成分蓄積部を含む分離・非検体成分蓄積流路と、
前記分離・非検体成分蓄積から見て第１の遠心加圧方向に位置し、当該分離・非検体成分蓄積流路と連通されており、前記検体成分を蓄積ならびに秤量する少なくとも１つの検体成分秤量槽と、
前記第１の試薬試料の秤量する量よりも大きい量の当該試薬試料を蓄積する少なくとも１つの第１の試薬試料溜槽と、
前記第１の試薬試料溜槽から見て第１の遠心加圧方向に位置し、当該試薬試料溜槽と連通されており、第１の試薬試料を秤量蓄積する少なくとも１つの第１の試薬試料秤量槽と、
前記秤量された第１の試薬試料以外の試薬試料を蓄積、前記第１の試薬試料秤量槽と連通する少なくとも１つの第１の廃液溜槽と、
（２）前記検体分析チップを、前記第２回転軸を中心として回転させる第２のチップ回転により、
前記検体蓄積槽に秤量蓄積された検体成分と前記第１の試薬試料秤量槽に秤量蓄積された第１の試薬試料を混合蓄積し、前記検体蓄積槽と前記第１の試薬試料秤量槽から見て第２の遠心加圧方向に位置し、前記検体蓄積槽と前記第１の試薬試料秤量槽と連通する少なくとも１つの１次混合槽と、
前記第２の試薬試料の秤量する量よりも大きい量の当該試薬試料を蓄積する少なくとも１つの第２の試薬試料溜槽と、
前記第２の試薬試料溜槽から見て第２の遠心加圧方向に位置し、当該試薬試料溜槽と連通されており、第２の試薬試料を秤量蓄積する少なくとも１つの第２の試薬試料秤量槽と、
前記秤量された第２の試薬試料以外の試薬試料を蓄積し、前記第２の試薬試料秤量槽と連通する少なくとも１つの第２の廃液溜槽と、
（３）前記検体分析チップを、前記第１回転軸を中心として回転させる第３のチップ回転により、
前記１次混合槽に蓄積されていた第１混合試料と、前記第２の試薬試料秤量槽に秤量蓄積されていた第２の試薬試料と、を合流部へと導き、当該１次混合槽と当該第２の試薬試料秤量槽から見て、第１の遠心加圧方向に位置する、少なくとも２つの合流流路と、
前記合流流路から見て第１の遠心加圧方向に位置し、当該合流流路と連通されており、急峻に流路幅が狭まる部位と広まる部位を与える突起形状を少なくとも一部に含む少なくとも１つの混合流路と、
前記混合流路を経て、均質に混合された第２混合試料を蓄積し、当該混合流路から見て第１の遠心加圧方向に位置する少なくとも１つの光学測定セルと、
を含む検体分析チップ。
【請求項２６】
溝流路を形成した少なくとも２つの基板を接着して一体とし、かつ当該基板上の溝流路間が接続されている検体分析チップであって、
両側に粘着層を有し、当該溝流路間の接続部位に貫通穴を形成した、少なくとも１つの接着板が、当該基板間に挿入されていることを特徴とする、検体分析チップ。
【請求項２７】
前記検体分析チップは、溝流路を形成した少なくとも２つの基板を貼り合わせて構成していることを特徴とする、請求項２４〜２５記載の検体分析チップ。
【請求項２８】
前記基板の貼り合わせと、前記少なくとも２つの基板上の溝流路間の接続を、
両側に粘着層を有し、当該溝流路間の接続部位に貫通穴を形成した、少なくとも１つの接着板を当該基板間に挿入し、構成されることを特徴とする、請求項２７記載の検体分析チップ。
【請求項２９】
前記分離流路は、第１の遠心加圧方向に多段に配設されていること特徴とする、請求項２４記載の検体分析チップ。
【請求項３０】
前記分離流路の少なくとも一部は、前記非検体成分蓄積槽へと至る当該分離流路中を流れる試料の進行方向が、第１の遠心加圧方向に対し、直交よりわずかに当該遠心加圧方向寄りの方向になる構造であることを特徴とする、請求項２４記載の検体分析チップ。
【請求項３１】
前記分離流路の少なくとも一部は、その他部分の分離流路の断面積よりも小さいことを特徴とする、請求項２４記載の検体分析チップ。
【請求項３２】
前記分離流路表面の少なくとも一部は、疎水性を有する膜で覆われていることを特徴とする、請求項２４記載の検体分析チップ。
【請求項３３】
前記非検体成分蓄積部は、分離・非検体成分蓄積流路の第１の遠心加圧方向側に配設されていること特徴とする、請求項２５記載の検体分析チップ。
【請求項３４】
前記分離・非検体成分蓄積流路は、第１の遠心加圧方向に多段に配設されていること特徴とする、請求項２５記載の検体分析チップ。
【請求項３５】
前記分離・非検体成分蓄積流路の少なくとも一部は、前記検体成分秤量槽へと至る当該分離・非検体成分蓄積流路中を流れる試料の進行方向が、第１の遠心加圧方向に対し、直交よりわずかに当該遠心加圧方向寄りの方向になる構造であることを特徴とする、請求項２５記載の検体分析チップ。
【請求項３６】
前記分離・非検体成分蓄積流路の少なくとも一部は、その他部分の分離・非検体成分蓄積流路の断面積よりも小さいことを特徴とする、請求項２５記載の検体分析チップ。
【請求項３７】
前記分離・非検体成分蓄積流路表面の少なくとも一部は、疎水性を有する膜で覆われていることを特徴とする、請求項２５記載の検体分析チップ。
【請求項３８】
前記混合流路の少なくとも一部は、当該流路中を流れる試料の進行方向が、第１の遠心加圧方向に対し、直交よりわずかに当該遠心加圧方向寄りの方向になる構造であることを特徴とする、請求項２４〜２５記載の検体分析チップ。
【請求項３９】
前記混合流路は、第１の遠心加圧方向に多段に配設されていること特徴とする、請求項２４〜２５記載の検体分析チップ。
【請求項４０】
前記複数の合流流路の断面積の比が、それぞれの合流流路を通過するそれぞれの試料の量の比にほぼ等しいことを特徴とする、請求項２４〜２５記載の検体分析チップ。
【請求項４１】
前記光学測定セルは、
前記検体分析チップ平面とほぼ平行であり、かつ当該チップ外からの入射光と当該光学測定セルからの出射光を透過し、また当該入射光ならびに出射光となす角が直角、もしくは直角近くである一方の面であり、光学的透過率の高い材料で構成される光学窓と、
前記光学窓とほぼ平行、かつ対向し、その表面は光学的反射率の高い材料で構成され、当該光学測定セル内へと導かれた入射光を反射する反射層と、
を含むことを特徴とする、請求項２４〜２５記載の検体分析チップ。
【請求項４２】
前記反射層を構成する光学的反射率の高い材料の主成分が、特にアルミニウムであることを特徴とする、請求項４１記載の検体分析チップ。
【請求項４３】
前記光学窓が、特に凸レンズ形状を成していることを特徴とする、請求項４１記載の検体分析チップ。
【請求項４４】
前記光学測定セルは、
前記検体分析チップ平面とほぼ平行で、光学的透過率の高い材料で構成され、当該チップの外部からの入射光を透過して当該光学測定セル内へと光を導く、第１の光学窓と、
前記第１の光学窓と平行で、かつ対向し、光学的透過率の高い材料で構成され、光学測定セル内を通過してきた光を透過して、出射光として当該チップの外部へと導く、第２の光学窓と、
を含むことを特徴とする、請求項２４〜２５記載の検体分析チップ。
【請求項４５】
前記光学窓１と光学窓２のうち、少なくとも一方の光学窓が、特に凸レンズ形状を成していることを特徴とする、請求項４４記載の検体分析チップ。
【請求項４６】
前記少なくとも１つの第１の試薬試料秤量槽の、予め予想される第１のチップ回転後の試薬試料喫水線を含む当該槽内の一部の部分が、その他の部分の深さよりも浅くなっていることを特徴とする、請求項２４〜２５記載の検体分析チップ。
【請求項４７】
前記少なくとも１つの１次混合槽の、予め予想される第２のチップ回転後の１次混合試料喫水線を含む当該槽内の一部の部分が、その他の部分の深さよりも浅くなっていることを特徴とする、請求項２４〜２５記載の検体分析チップ。
【請求項４８】
前記少なくとも１つの第２の試薬試料秤量槽の、予め予想される第２のチップ回転後の１次混合試料喫水線を含む当該槽内の一部の部分が、その他の部分の深さよりも浅くなっていることを特徴とする、請求項２４〜２５記載の検体分析チップ。
【請求項４９】
前記試料導入口には、血液を採取する採血用針ならびに採取した血液を蓄積する血液溜パイプを含む採血装置を導入できることを特徴とする、請求項２４〜２５記載の検体分析チップ。
【請求項５０】
前記第１の遠心加圧方向と前記第２の遠心加圧方向は、略直交していることを特徴とする、請求項２４〜２５記載の検体分析チップ。
【請求項５１】
試料中の検体成分を分離・秤量する分離・秤量チップの使用方法であって、
前記チップ外部から試料導入口に試料を導入する試料導入ステップと、
前記分離・秤量チップを所定の回転軸を中心に回転させて、前記試料から検体成分と非検体成分を分離流路において遠心分離し、当該非検体成分を前記分離流路から見て遠心加圧方向に位置し、前記分離流路と連通する少なくとも１つの非検体成分蓄積槽に蓄積し、前記検体成分を前記非検体成分蓄積槽と連通する、少なくとも１つの検体成分秤量槽に秤量ならびに蓄積する分離・秤量ステップと、
を含む分離・秤量チップの使用方法。
【請求項５２】
試料中の検体成分を分離・秤量する分離・秤量チップの使用方法であって、
前記チップ外部から試料導入口に試料を導入する試料導入ステップと、
前記分離・秤量チップを所定の回転軸を中心に第１の回転数で回転させて、大部分の前記試料を、試料導入口の近傍に保持しながら、ある程度当該試料から検体成分と非検体成分への遠心分離を進行させる第１遠心分離ステップと、
前記分離・秤量チップを上記第１遠心分離ステップと同一の中心で第２の回転数で回転させて、前記試料を前記試料導入口から見て、遠心加圧方向に位置する分離流路内を進行させながら、当該試料の前記検体成分と前記非検体成分への遠心分離をより進行させ、当該非検体成分を前記分離流路から見て遠心加圧方向に位置し、前記分離流路と連通する少なくとも１つの非検体成分蓄積槽に蓄積し、前記検体成分を前記非検体成分蓄積槽と連通する、少なくとも１つの検体成分秤量槽に秤量ならびに蓄積する分離・秤量ステップと、
を含む分離・秤量チップの使用方法。
【請求項５３】
前記第１遠心分離ステップが、
前記分離・秤量チップを所定の回転軸を中心に第１の回転数で回転させて、分離流路の一部に設けられた断面積が他の当該流路よりも小さい部位よりも試料導入口側に前記試料を保持しながら、ある程度当該試料から検体成分と非検体成分への遠心分離を進行させる第１遠心分離ステップ、
である、請求項５２記載の分離・秤量チップの使用方法。
【請求項５４】
前記第１遠心分離ステップが、
前記分離・秤量チップを所定の回転軸を中心に第１の回転数で回転させて、分離流路の一部の疎水性を有する膜で覆われている表面部位よりも試料導入口側に前記試料を保持しながら、ある程度当該試料から検体成分と非検体成分への遠心分離を進行させる、第１遠心分離ステップ
である、請求項５２記載の分離・秤量チップの使用方法。
【請求項５５】
前記試料導入ステップが、
試料導入口には、血液を採取する採血用針ならびに採取した血液を蓄積する血液溜パイプを含む採血装置であって、当該血液溜パイプに試料を蓄積している当該採血装置を導入する、試料導入ステップ、
である、請求項５１〜５４記載の分離・秤量チップの使用方法。
【請求項５６】
試料中の検体成分を分離・秤量する分離・秤量チップの使用方法であって、
試料導入口には、血液を採取する採血用針ならびに採取した血液を蓄積する血液溜パイプを含む採血装置であって、当該血液溜パイプに試料を蓄積している当該採血装置を導入する試料導入ステップと、
前記分離・秤量チップを所定の回転軸を中心に第１の回転数で回転させて、大部分の前記試料を、前記血液溜パイプ内に蓄積したまま、ある程度当該試料から検体成分と非検体成分への遠心分離を進行させる第１遠心分離ステップと、
前記分離・秤量チップを上記第１遠心分離ステップと同一の中心で第２の回転数で回転させて、前記試料を前記試料導入口から見て、遠心加圧方向に位置する分離流路内を進行させながら、当該試料の前記検体成分と前記非検体成分への遠心分離をより進行させ、当該非検体成分を前記分離流路から見て遠心加圧方向に位置し、前記分離流路と連通する少なくとも１つの非検体成分蓄積槽に蓄積し、前記検体成分を前記非検体成分蓄積槽と連通する、少なくとも１つの検体成分秤量槽に秤量ならびに蓄積する分離・秤量ステップと、
を含む分離・秤量チップの使用方法。
【請求項５７】
試料中の検体成分を分離・秤量する分離・秤量チップの使用方法であって、
前記チップ外部から試料導入口に試料を導入する試料導入ステップと、
前記分離・秤量チップを所定の回転軸を中心に回転させて、前記試料から検体成分と非検体成分を分離・非検体成分蓄積流路において遠心分離し、当該非検体成分を当該流路途中に配設されている非検体成分蓄積部に蓄積し、前記検体成分を、当該流路から見て遠心加圧方向に位置し、当該流路と連通する少なくとも１つの検体成分秤量槽に秤量ならびに蓄積する分離・秤量ステップと、
を含む分離・秤量チップの使用方法。
【請求項５８】
試料中の検体成分を分離・秤量する分離・秤量チップの使用方法であって、
前記チップ外部から試料導入口に試料を導入する試料導入ステップと、
前記分離・秤量チップを所定の回転軸を中心に第１の回転数で回転させて、大部分の前記試料を、試料導入口の近傍に保持しながら、ある程度当該試料から検体成分と非検体成分への遠心分離を進行させる第１遠心分離ステップと、
前記分離・秤量チップを上記第１遠心分離ステップと同一の中心で第２の回転数で回転させて、前記試料を遠心加圧方向に分離・非検体成分蓄積流路内を進行させながら、当該試料の前記検体成分と前記非検体成分への遠心分離をより進行させ、当該非検体成分を当該流路途中に配設された非検体成分蓄積部に蓄積し、当該検体成分を当該流路から見て遠心加圧方向に位置し、当該流路と連通する少なくとも１つの検体成分秤量槽に秤量ならびに蓄積する分離・秤量ステップと、
を含む分離・秤量チップの使用方法。
【請求項５９】
前記第１遠心分離ステップが、
前記分離・秤量チップを所定の回転軸を中心に第１の回転数で回転させて、分離・非検体成分蓄積流路の一部に設けられた断面積が他の当該流路よりも小さい部位よりも試料導入口側に前記試料を保持しながら、ある程度当該試料から検体成分と非検体成分への遠心分離を進行させる第１遠心分離ステップ、
である、請求項５８記載の分離・秤量チップの使用方法。
【請求項６０】
前記第１遠心分離ステップが、
前記分離・秤量チップを所定の回転軸を中心に第１の回転数で回転させて、分離・非検体成分蓄積流路の一部の疎水性を有する膜で覆われている表面部位よりも試料導入口側に前記試料を保持しながら、ある程度当該試料から検体成分と非検体成分への遠心分離を進行させる、第１遠心分離ステップ、
である、請求項５８記載の分離・秤量チップの使用方法。
【請求項６１】
前記試料導入ステップが、
試料導入口には、血液を採取する採血用針ならびに採取した血液を蓄積する血液溜パイプを含む採血装置であって、当該血液溜パイプに試料を蓄積している当該採血装置を導入する、試料導入ステップ、
である、請求項５７〜６０記載の分離・秤量チップの使用方法。
【請求項６２】
試料中の検体成分を分離・秤量する分離・秤量チップの使用方法であって、
試料導入口には、血液を採取する採血用針ならびに採取した血液を蓄積する血液溜パイプを含む採血装置であって、当該血液溜パイプに試料を蓄積している当該採血装置を導入する試料導入ステップと、
前記分離・秤量チップを所定の回転軸を中心に第１の回転数で回転させて、大部分の前記試料を、前記血液溜パイプ内に蓄積したまま、ある程度当該試料から検体成分と非検体成分への遠心分離を進行させる第１遠心分離ステップと、
前記分離・秤量チップを上記第１遠心分離ステップと同一の中心で第２の回転数で回転させて、前記試料を前記試料導入口から見て、遠心加圧方向に位置する分離・非検体成分蓄積流路内を進行させながら、当該試料の前記検体成分と前記非検体成分への遠心分離をより進行させ、当該非検体成分を当該流路途中に配設された非検体成分蓄積部に蓄積し、当該検体成分を当該流路から見て遠心加圧方向に位置し、当該流路と連通する少なくとも１つの検体成分秤量槽に秤量ならびに蓄積する分離・秤量ステップと、
を含む分離・秤量チップの使用方法。
【請求項６３】
少なくとも２種類の試料の混合を行う混合チップの使用方法であって、
前記混合チップを所定の回転軸を中心に回転させて、それぞれの蓄積槽に蓄積されている前記試料を、それぞれの合流流路を経て、合流部で合流させ、さらに当該合流させた試料を、急峻に流路幅が狭まる部位と広まる部位を与える突起形状を少なくとも一部に含む混合流路へと導き、通過させる混合ステップ、
を含む混合チップの使用方法。
【請求項６４】
被光学測定試料を導入し、当該試料を満たして光学測定を行う光学測定セル含む光学測定チップの使用方法であって、
前記光学測定セルに前記被光学測定試料を導入する試料導入ステップと、
前記光学測定チップ外にある光源より、当該チップ平面とほぼ平行で、光学測定セルを構成する一方の面である光学窓へ、垂直、もしくは垂直近くの入射角で光を入射し、；当該光学測定セル内に光を透過導入させ、；当該光学窓とほぼ平行、かつ対向し、当該光学測定セルを構成し、その表面は光学的反射率の高い材料で構成される反射層において、当該光学測定セル内へと導かれた当該入射光を反射し、；当該反射光が当該セル内を通過して、再度、当該光学窓を透過し当該チップ外にある光検出器に到達した光の強度を測定する光学測定ステップと、
を含む光学測定チップの使用方法。
【請求項６５】
前記光学測定ステップが、
前記光学測定チップ外にある光源より出射された光を半透鏡に導き、；当該半透鏡を直進透過してきた光を、当該チップ平面とほぼ平行で、前記光学測定セルを構成する一方の面である光学窓へ、ほぼ垂直である入射角で入射し、；当該光学測定セル内に光を透過導入させ、；当該光学窓とほぼ平行、かつ対向し、当該光学測定セルを構成し、その表面は光学的反射率の高い材料で構成される反射層において、当該光学測定セル内へと導かれた当該入射光を反射し、；当該反射光が当該セル内を通過して、再度、当該光学窓を透過し、前記チップ外へと導き；前記半透鏡に入射し、そこで光路が約９０度変化して出射してきた光を光検出器に導き、その強度を測定する光学測定ステップ、
である、請求項６４記載の光学測定チップの使用方法。
【請求項６６】
試料の秤量を行う秤量チップの使用方法であって、
前記秤量チップを所定の回転軸を中心に回転させて、試料溜に蓄積されていた前記試料を、当該試料溜から見て遠心加圧方向に位置し、当該試料溜と連通されており、予め予想される遠心加圧後の試料喫水線を含む当該槽内の一部の部分が、その他の部分の深さよりも浅くなっている秤量槽へと導き、そこで秤量、蓄積し、当該秤量された試料以外の試料を当該秤量槽と連通されている廃液溜槽に蓄積する秤量ステップ、
を含む秤量チップの使用方法。
【請求項６７】
第１および第２回転軸を中心とするチップの回転により、試料中から検体成分を分離・秤量、第１の試薬試料の秤量、秤量した検体成分と第１の試薬試料の混合（第１混合試料）、第２の試薬試料の秤量、第１混合試料と秤量した第２の試薬試料の混合（第２混合試料）ならびに第２混合試料の光学測定セルへの移送、を行う検体分析チップの使用方法であって、
（１）前記検体分析チップを、前記第１回転軸を中心として回転させる第１のチップ回転により、
試料導入口にある試料を、当該試料導入口から見て第１の遠心加圧方向に位置する分離流路に導き、そこで前記検体成分と非検体成分を遠心分離し、
前記分離流路から見て第１の遠心加圧方向に位置し、当該分離流路と連通されている、少なくとも１つの非検体成分蓄積槽に非検体成分を蓄積し、
前記分離流路から見て第１の遠心加圧方向に位置し、非検体成分蓄積槽と連通されている、少なくとも１つの検体成分秤量槽に前記検体成分を蓄積ならびに秤量し、
少なくとも１つの第１の試薬試料溜槽にある第１の試薬試料を、前記第１の試薬試料溜槽から見て第１の遠心加圧方向に位置し、当該試薬試料溜槽と連通されている、少なくとも１つの第１の試薬試料秤量槽に第１の試薬試料を秤量蓄積する第１のチップ回転ステップと、
（２）前記検体分析チップを、前記第２回転軸を中心として回転させる第２のチップ回転により、
前記検体蓄積槽に秤量蓄積された検体成分と前記第１の試薬試料秤量槽に秤量蓄積された第１の試薬試料を、前記検体蓄積槽と前記第１の試薬試料秤量槽から見て、第２の遠心加圧方向に位置する少なくとも１つの１次混合槽に混合蓄積し、
少なくとも１つの第２の試薬試料溜槽にある第２の試薬試料を、前記第２の試薬試料溜槽から見て第２の遠心加圧方向に位置し、当該試薬試料溜槽と連通されている、少なくとも１つの第２の試薬試料秤量槽に秤量蓄積する第２のチップ回転ステップと、
（３）前記検体分析チップを、前記第１回転軸を中心として回転させる第３のチップ回転により、
前記１次混合槽に蓄積されていた第１混合試料と、前記第２の試薬試料秤量槽に秤量蓄積されていた第２の試薬試料とを、前記１次混合槽ならびに第２の試薬試料秤量槽から見て第１の遠心加圧方向に位置する、急峻に流路幅が狭まる部位と広まる部位を与える突起形状を少なくとも一部に含む少なくとも１つの混合流路に導き、通過させて混合し、
前記混合流路を経て、均等に混合された第２混合試料を、当該混合流路から見て第１の遠心加圧方向に位置する少なくとも１つの光学測定セルに蓄積する第３のチップ回転ステップと、
を含む検体分析チップの使用方法。
【請求項６８】
前記第１のチップ回転ステップが、
（１）前記検体分析チップを、前記第１回転軸を中心として回転させる第１のチップ回転により、
（ａ）当該チップの回転は第１の回転数であって、
試料導入口にある試料の大部分を、当該試料導入口の近傍に保持しながら、ある程度当該試料から検体成分と非検体成分への遠心分離を進行させる、第１のチップ回転第１回転数ステップと、
（ｂ）引き続き、当該チップの回転を第２の回転数に変化させ、
前記試料を遠心加圧方向に前記分離流路内を進行させながら、当該試料の前記検体成分と前記非検体成分への遠心分離をより進行させ、当該非検体成分を前記分離流路から見て遠心加圧方向に位置し、前記分離流路と連通する少なくとも１つの非検体成分蓄積槽に蓄積し、前記検体成分を前記非検体成分蓄積槽と連通する、少なくとも１つの検体成分秤量槽に秤量ならびに蓄積し、
少なくとも１つの第１の試薬試料溜槽にある第１の試薬試料を、前記第１の試薬試料溜槽から見て第１の遠心加圧方向に位置し、当該試薬試料溜槽と連通されている、少なくとも１つの第１の試薬試料秤量槽に第１の試薬試料を秤量蓄積する、第１のチップ回転第２回転数ステップと、
である請求項６７記載の検体分析チップの使用方法。
【請求項６９】
前記第１のチップ回転第１回転数ステップが、
（ａ）当該チップの回転は第１の回転数であって、
分離流路の一部に設けられた断面積が他の当該流路よりも小さい部位よりも試料導入口側に前記試料を保持しながら、ある程度当該試料から検体成分と非検体成分への遠心分離を進行させる、第１のチップ回転第１回転数ステップ、
である請求項６８記載の検体分析チップの使用方法。
【請求項７０】
前記第１のチップ回転第１回転数ステップが、
（ａ）当該チップの回転は第１の回転数であって、
分離流路の一部の疎水性を有する膜で覆われている表面部位よりも試料導入口側に前記試料を保持しながら、ある程度当該試料から検体成分と非検体成分への遠心分離を進行させる、第１のチップ回転第１回転数ステップ、
である請求項６８記載の検体分析チップの使用方法。
【請求項７１】
前記第１のチップ回転ステップの前に、
試料導入口には、血液を採取する採血用針ならびに採取した血液を蓄積する血液溜パイプを含む採血装置であって、当該血液溜パイプに試料を蓄積している当該採血装置を導入する、試料導入ステップ、
を含む請求項６７〜７０記載の検体分析チップの使用方法。
【請求項７２】
前記第１のチップ回転第１回転数ステップが、
大部分の前記試料を、前記血液溜パイプ内に蓄積したまま、ある程度当該試料から検体成分と非検体成分への遠心分離を進行させる第１のチップ回転第１回転数ステップ、
である請求項７１記載の検体分析チップの使用方法。
【請求項７３】
前記第１のチップ回転ステップが、
（１）前記検体分析チップを、前記第１回転軸を中心として回転させる第１のチップ回転により、
試料導入口にある試料を、当該試料導入口から見て第１の遠心加圧方向に位置する非検体成分蓄積部を含む分離・非検体成分蓄積流路に導き、そこで前記検体成分と非検体成分を遠心分離し、当該非検体成分を当該流路途中に配設されている非検体成分蓄積部に蓄積し、
前記分離・非検体成分蓄積流路から見て第１の遠心加圧方向に位置し、当該流路と連通されている、少なくとも１つの検体成分秤量槽に前記検体成分を蓄積ならびに秤量し、
少なくとも１つの第１の試薬試料溜槽にある第１の試薬試料を、前記第１の試薬試料溜槽から見て第１の遠心加圧方向に位置し、当該試薬試料溜槽と連通されている、少なくとも１つの第１の試薬試料秤量槽に第１の試薬試料を秤量蓄積する、第１のチップ回転ステップ
である請求項６７記載の検体分析チップの使用方法。
【請求項７４】
前記第１のチップ回転ステップが、
（１）前記検体分析チップを、前記第１回転軸を中心として回転させる第１のチップ回転により、
（ａ）当該チップの回転は第１の回転数であって、
試料導入口にある試料の大部分を、当該試料導入口の近傍に保持しながら、ある程度当該試料から検体成分と非検体成分への遠心分離を進行させる、第１のチップ回転第１回転数ステップと、
（ｂ）引き続き、当該チップの回転を第２の回転数に変化させ、
前記試料を遠心加圧方向に前記分離・非検体成分蓄積流路内を進行させながら、当該試料の前記検体成分と前記非検体成分への遠心分離をより進行させ、当該非検体成分を当該流路途中に配設されている非検体成分蓄積部に蓄積し、当該流路から見て第１の遠心加圧方向に位置し、当該流路と連通されている、少なくとも１つの検体成分秤量槽に前記検体成分を蓄積ならびに秤量し、
少なくとも１つの第１の試薬試料溜槽にある第１の試薬試料を、前記第１の試薬試料溜槽から見て第１の遠心加圧方向に位置し、当該試薬試料溜槽と連通されている、少なくとも１つの第１の試薬試料秤量槽に第１の試薬試料を秤量蓄積する、第１のチップ回転第２回転数ステップと、
である請求項７３記載の検体分析チップの使用方法。
【請求項７５】
前記第１のチップ回転第１回転数ステップが、
（ａ）当該チップの回転は第１の回転数であって、
分離・非検体成分蓄積流路の一部に設けられた断面積が他の当該流路よりも小さい部位よりも試料導入口側に前記試料を保持しながら、ある程度当該試料から検体成分と非検体成分への遠心分離を進行させる、第１のチップ回転第１回転数ステップ、
である請求項７４記載の検体分析チップの使用方法。
【請求項７６】
前記第１のチップ回転第１回転数ステップが、
（ａ）当該チップの回転は第１の回転数であって、
分離・非検体成分蓄積流路の一部の疎水性を有する膜で覆われている表面部位よりも試料導入口側に前記試料を保持しながら、ある程度当該試料から検体成分と非検体成分への遠心分離を進行させる、第１のチップ回転第１回転数ステップ、
である請求項７４記載の検体分析チップの使用方法。
【請求項７７】
前記第１のチップ回転ステップの前に、
試料導入口には、血液を採取する採血用針ならびに採取した血液を蓄積する血液溜パイプを含む採血装置であって、当該血液溜パイプに試料を蓄積している当該採血装置を導入する、試料導入ステップ、
を含む請求項７３〜７６記載の検体分析チップの使用方法。
【請求項７８】
前記第１のチップ回転第１回転数ステップが、
大部分の前記試料を、前記血液溜パイプ内に蓄積したまま、ある程度当該試料から検体成分と非検体成分への遠心分離を進行させる第１のチップ回転第１回転数ステップ、
である請求項７７記載の検体分析チップの使用方法。
【請求項７９】
前記第３のチップ回転ステップ後に、
前記検体分析チップ外にある光源より、当該チップ平面とほぼ平行で、第２混合試料を蓄積している少なくとも１つの光学測定セルを構成する一方の面である光学窓へ、垂直、もしくは垂直近くの入射角で光を入射し、；当該光学測定セル内に光を透過導入させ、；当該光学窓とほぼ平行、かつ対向し、当該光学測定セルを構成し、その表面は光学的反射率の高い材料で構成される反射層において、当該光学測定セル内へと導かれた当該入射光を反射し、；当該反射光が当該セル内を通過して、再度、当該光学窓を透過し当該チップ外にある光検出器に到達した光の強度を測定する光学測定ステップと、
を含む請求項６７ならびに７３記載の検体分析チップの使用方法。
【請求項８０】
前記第３のチップ回転ステップ後に、
前記検体分析チップ外にある光源より出射された光を、半透鏡に導き、直進透過してきた光を、当該チップ平面とほぼ平行で、第２混合試料を蓄積している少なくとも１つの光学測定セルを構成する一方の面である光学窓へ、ほぼ垂直である入射角で入射し、；当該光学測定セル内に光を透過導入させ、；当該光学窓とほぼ平行、かつ対向し、当該光学測定セルを構成し、その表面は光学的反射率の高い材料で構成される反射層において、当該光学測定セル内へと導かれた当該入射光を反射し、；当該反射光が当該セル内を通過して、再度、当該光学窓を透過し、当該半透鏡に入射し、そこで光路が約９０度変化して出射してきた光を光検出器に導き、その強度を測定する光学測定ステップと、
を含む請求項６７ならびに７３記載の検体分析チップの使用方法。
【請求項８１】
前記第３のチップ回転ステップ後に、
前記検体分析チップ外にある光源より、当該チップ平面とほぼ平行で、第２混合試料を蓄積している少なくとも１つの光学測定セルを構成する一方の面である第１の光学窓へ、垂直、もしくは垂直近くの入射角で光を入射し、；当該光学測定セル内に光を透過導入させ、；当該光学測定セル内を通過、透過してきた光を、当該第１の光学窓とほぼ平行、かつ対向し、当該光学測定セルを構成する第２の光学窓を透過させ、前記検体分析チップ外にある光検出器へと導き、その光の強度を測定する光学測定ステップと、
を含む請求項６７ならびに７３記載の検体分析チップの使用方法。
【請求項８２】
溝流路を形成した少なくとも２つの基板を、両側に粘着層を有し、当該溝流路間の接続部位に貫通穴を形成した、少なくとも１つの接着板を介して接着して一体のチップとすることを特徴とする、検体分析チップの製造方法。
【請求項８３】
ある回転軸を中心とする回転により試料を移動させ、当該移動させた試料を蓄積する槽を含む検体分析チップであって、
前記槽の、予め予想される遠心加圧後の試料喫水線を含む当該槽内の一部の部分が、その他の当該槽の部分の深さよりも浅くなっている槽、
であることを特徴とする検体分析チップ。
【発明の詳細な説明】
【技術分野】
【０００１】  本発明は検査対象成分を包含する検体成分の分析を行うチップと、このようなチップの使用方法に関する。
【背景技術】
【０００２】  従来、ヒトやペットなどの動物の病状や健康状態把握のために行われる血液分析は、主として注射法により血管から試料である血液を採取し、これに適当な前処理を施した後に病院等の医療機関に設置された大型血液分析装置を用い行われてきた。しかしながら近年、微小な採血用針を備え、微細な溝流路や種々の分析器、分析装置を配設した数ｍｍから数ｃｍ四方のチップ状血液分析装置が開示されている。（例えば、特許文献１）このようなチップ状血液分析装置の採血用針を被験者の皮膚に穿刺し、皮下の血管から血液を採取して、これをチップへと導き、遠心分離またはフィルターろ過により検体成分である血漿を抽出し、これをバイオセンサへと導いて、種々の生化学物質（ナトリウム、カリウムイオン、グルコース、尿素窒素、クレアチニンなど）の濃度を分析する。【０００３】
【特許文献１】  特開２００１−２５８８６８号公報
【０００４】  また、特許文献２ならびに同３においては、検査対象成分を含む検体成分を遠心分離する遠心分離管、この分離した検体成分を秤量する部分、試薬溜、混合部、混合物質を通過させる光検出路、光導入口ならびに光導出口と、を有する検査チップが開示されている。具体的には、これらの検査チップを用いて、チップ上に導入した試料である血液を、遠心分離により検体成分である血漿成分とそれ以外の成分（非検体成分）である血球の分離を行った後に、当該血漿成分を秤量して試薬と混合し、これを光検出路へと導き、そこで吸光度測定を行い、検査対象成分の測定を行うというものである。【０００５】
【特許文献２】  特開２００５−１１４４３８号公報
【特許文献３】  ＷＯ２００５／０３３６６６号公報
【発明の開示】
【発明が解決しようとする課題】
【０００６】  特許文献１に示されるチップ状の血液分析装置は、バイオセンサを用い検査対象成分を測定しており、使用前にバイオセンサの較正操作が必要ではあるが、数マイクロリットルという微量の血液から遠心操作により血球と血漿成分を分離して、当該血漿成分中の複数の検査対象成分を測定することができる。しかしながらこのような電気化学式のバイオセンサを用いた場合、測定可能である検査項目は上述したような電解質イオン、グルコース、尿素窒素、クレアチニンなど非常に限られたものになっており、血液が試料である場合、腎機能などの特定の健康状態しか把握できないという問題がある。【０００７】  一方、特許文献２ならびに同３においては、現在用いられている大型血液分析装置の有する機能を検査チップ上に集積したものであるため、多くの検査項目を網羅している。このような検査チップを用いた基本的な測定の手順は、（１）血液の導入、（２）血球と血漿の分離、（３）分離した血漿の秤量、（４）少なくとも１種類以上の試薬試料の秤量、（５）秤量した血漿および試薬試料の混合、（６）光学測定、から成っている。試薬試料の種類や量ならびに血漿量を適宜選択、調整することによって多くの検査項目を測定することが可能となっている。チップ構造は遠心分離管、秤量部、保持部、試薬溜、混合部、光検出路などから構成され、これらの構造物間は溝流路によって連通されている。【０００８】  当該検査チップの使用に当たって特許文献２においては、チップを回転したときに生じる遠心力を用いて血球と血漿の分離を行い、引き続いて外部ポンプのような移送手段とチップとを連結して、当該血漿を秤量管へと移送し、再度同一中心とするチップの回転によって、秤量した血漿と試薬試料を混合部へと移送し、最後にこれを前記移送手段によって当該混合部から光検出路へ導き、チップ外に設置された光源と光検出器を用い、光学測定を行う。このように血液、血漿ならびに試薬試料の移送には遠心力と外部ポンプのような移送手段を混在させており、非常に煩雑となっている。【０００９】  また特許文献３においては、まず第１の回転軸を中心としてチップを回転させたときに生じる遠心力により血球と血漿の分離を行い、次に第２の回転軸を中心としてチップを回転させ、分離した血漿を秤量部へと導き、再度第１の回転軸を中心としてチップを回転させ、秤量した血漿と試薬試料を混合部へと移送し、最後にこれを外部ポンプのような移送手段により混合流路を経て光検出路へ導かれ、チップ外に設置された光源と光検出器を用い、光学測定を行う。この場合、外部ポンプの使用頻度は特許文献２と比較して減少しているものの、やはり血液、血漿ならびに試薬試料の移送には遠心力と外部ポンプのような移送手段を混在しているために煩雑である。【００１０】  一般に微少量液体の移送の際には、シリンジポンプなどの吐出量が精密制御可能なポンプが用いられるが、ポンプ自体が高価であり、移送中の液体の位置確認機構など付随する装置が求められ、なおかつ分岐流路での移送への適用、気泡が一旦液体中に含まれるとその除去が困難であるなどの欠点を有する。一方、遠心力を用いた液体の移送においては、チップを回転させる機構は必要ではあるものの、あ��かじめチップ上の構造物や溝流路を適切に設計しておけば、チップを回転させるだけで所定の部位に気泡等が含まれることなく液体を移送することがでるという利点を有する。また、血球と血漿の分離を簡便に行うために、チップを回転させる遠心分離法を採用した場合には、いずれにしても回転機構は必要とされるので、チップ上での液体の移送すべてに関し、遠心力を用い行うことが手順の簡略化、装置を廉価にする上では非常に望ましい。さらに、上述した（１）乃至（６）の操作ステップ中の複数の連続するステップを、可能な限り単一の操作（たとえば遠心操作）で行うことができれば、高い測定スループットを得ることができ、望ましい。【００１１】  また、特許文献２ならびに同３に示す検査チップにおいては、検査項目数の増加に伴い、チップ面積がほぼ比例して増加していく。このようなチップの大型化は、外部測定器の大型化に直結し好ましくない。【００１２】  本発明の目的は、検査対象成分を含む試料を一度のチップ回転で、当該試料から検体成分と非検体成分の分離と当該検体成分の秤量を行う分離・秤量チップと、一度のチップ回転で少なくとも２種類の試料を均質に混合する混合チップと、一度のチップ回転で大容量の、少なくとも１種類の試料を秤量する秤量チップと、光学測定を行う光学測定セル長の２倍の実効的な光路長を確保できる光学測定チップと、これらのチップ構成要素を組み合わせて、試料から検体成分を分離・秤量し、少なくとも１種類の試薬試料と当該検体成分を混合して得た混合試料の発色の度合いから、被検査項目の濃度を調べる検体分析チップを提供することである。また、これらのチップの使用方法も提供する。さらに検査項目やチップの機能が増加しても、チップ面積が大きく増加することを抑制するチップ構造ならびにチップの製造方法を提供する。
【発明の開示】
【課題を解決するための手段】
【００１３】  本願第１の発明は、ある回転軸を中心とする回転により試料中の検体成分を分離・秤量する分離・秤量チップであって、前記チップ外部から試料を導入する試料導入口と、前記試料導入口から見て遠心加圧方向に位置し、当該試料導入口と連通されており、前記試料から前記検体成分と検体成分以外の成分（以下、非検体成分という）を遠心分離する分離流路と、前記分離流路から見て遠心加圧方向に位置し、当該分離流路と連通されており、非検体成分を蓄積する、少なくとも１つの非検体成分蓄積槽と、前記分離流路から見て遠心加圧方向に位置し、非検体成分蓄積槽と連通されており、前記検体成分を蓄積ならびに秤量する少なくとも１つの検体成分秤量槽と、を含むことを特徴とする分離・秤量チップを提供する。【００１４】  本願第２の発明は、本願第１の発明の分離・秤量チップの分離流路が、遠心加圧方向に多段に配設されていること特徴とする分離・秤量チップを提供する。【００１５】  本願第３の発明は、本願第１の発明の分離・秤量チップの分離流路の少なくとも一部が、非検体成分蓄積槽へと至る当該分離流路中を流れる試料の進行方向を、遠心加圧方向に対し、直交よりわずかに当該遠心加圧方向寄りの方向にする構造であることを特徴とする分離・秤量チップを提供する。【００１６】  本願第４の発明は、本願第１の発明の分離・秤量チップの分離流路の少なくとも一部が、その他部分の分離流路の断面積よりも小さいことを特徴とする分離・秤量チップを提供する。【００１７】  本願第５の発明は、本願第１の発明の分離・秤量チップの分離流路表面の少なくとも一部が、疎水性を有する膜で覆われていることを特徴とする分離・秤量チップを提供する。【００１８】  本願第６の発明は、本願第１の発明の分離・秤量チップの試料導入口に、血液を採取する採血用針ならびに採取した血液を蓄積する血液溜パイプを含む採血装置を導入できることを特徴とする分離・秤量チップを提供する。【００１９】  本願第７の発明は、ある回転軸を中心とする回転により試料中の検体成分を分離・秤量する分離・秤量チップであって、前記チップ外部から試料を導入する試料導入口と、前記試料導入口から見て遠心加圧方向に位置し、当該試料導入口と連通されており、前記試料から前記検体成分と非検体成分を遠心分離し、非検体成分を蓄積する非検体成分蓄積部を含む分離・非検体成分蓄積流路と、前記分離・非検体成分蓄積流路から見て遠心加圧方向に位置し、当該分離・非検体成分蓄積流路と連通されており、前記検体成分を蓄積ならびに秤量する少なくとも１つの検体成分秤量槽と、を含むことを特徴とする分離・秤量チップを提供する。【００２０】  本願第８の発明は、本願第７の発明の分離・秤量チップの非検体成分蓄積部が、分離・非検体成分蓄積流路の遠心加圧方向側に配設されていること特徴とする、分離・秤量チップを提供する。【００２１】  本願第９の発明は、本願第７の発明の分離・秤量チップの分離・非検体成分蓄積流路が、遠心加圧方向に多段に配設されていること特徴とする、分離・秤量チップを提供する。【００２２】  本願第１０の発明は、本願第７の発明の分離・秤量チップの分離・非検体成分蓄積流路の少なくとも一部が、検体成分秤量槽へと���る当該分離・非検体成分蓄積流路中を流れる試料の進行方向を、遠心加圧方向に対し、直交よりわずかに当該遠心加圧方向寄りの方向にする構造であることを特徴とする、分離・秤量チップを提供する。【００２３】  本願第１１の発明は、本願第７の発明の分離・秤量チップの分離・非検体成分蓄積流路の少なくとも一部が、その他部分の分離・非検体成分蓄積流路の断面積よりも小さいことを特徴とする、分離・秤量チップを提供する。【００２４】  本願第１２の発明は、本願第７の発明の分離・秤量チップの分離・非検体成分蓄積流路表面の少なくとも一部が、疎水性を有する膜で覆われていることを特徴とする、分離・秤量チップを提供する。【００２５】  本願第１３の発明は、本願第７の発明の分離・秤量チップの試料導入口に、血液を採取する採血用針ならびに採取した血液を蓄積する血液溜パイプを含む採血装置を導入できることを特徴とする、分離・秤量チップを提供する。【００２６】  本願第１４の発明は、ある回転軸を中心とする回転により少なくとも２種類の試料の混合を行う混合チップであって、前記試料を合流部へと導く、少なくとも２つの合流流路と、前記合流流路から見て遠心加圧方向に位置し、当該合流流路と連通されており、急峻に流路幅が狭まる部位と広まる部位を与える突起形状を少なくとも一部に含む混合流路と、を含むことを特徴とする、混合チップを提供する。【００２７】  本願第１５の発明は、本願第１４の発明の混合チップの混合流路の少なくとも一部が、当該流路中を流れる試料の進行方向を、遠心加圧方向に対し、直交よりわずかに当該遠心加圧方向寄りの方向にする構造であることを特徴とする、混合チップを提供する。【００２８】  本願第１６の発明は、本願第１４の発明の混合チップの混合流路が、遠心加圧方向に多段に配設されていること特徴とする、混合チップを提供する。【００２９】  本願第１７の発明は、本願第１４の発明の混合チップの突起形状が、混合流路の遠心加圧方向と反対側に配設されていること特徴とする、混合チップを提供する。【００３０】  本願第１８の発明は、本願第１４の発明の混合チップの複数の合流流路の断面積の比が、特にそれぞれの合流流路を通過するそれぞれの試料の量の比にほぼ等しいことを特徴とする、混合チップを提供する。【００３１】  本願第１９の発明は、被光学測定試料を導入し、当該試料を満たして光学測定を行う光学測定セルを含む光学測定チップであって、上記光学測定セルは、前記光学測定チップ平面とほぼ平行であり、かつ当該チップ外からの入射光と当該光学測定セルからの出射光を透過し、また当該入射光ならびに出射光となす角が直角、もしくは直角近くである一方の面であり、光学的透過率の高い材料で構成される光学窓と、前記光学窓とほぼ平行、かつ対向し、その表面は光学的反射率の高い材料で構成され、当該光学測定セル内へと導かれた入射光を反射する反射層と、を含むことを特徴とする、光学測定チップを提供する。【００３２】  本願第２０の発明は、本願第１９の発明の光学測定チップの反射層を構成する光学的反射率の高い材料の主成分が、特にアルミニウムであることを特徴とする、光学測定チップを提供する。【００３３】  本願第２１の発明は、本願第１９の発明の光学測定チップの光学窓が、特に凸レンズ形状を成していることを特徴とする、光学測定チップを提供する。【００３４】  本願第２２の発明は、ある回転軸を中心とする回転により試料の秤量を行う秤量チップであって、秤量する量よりも大きい量の前記試料を蓄積する試料溜と、前記試料溜から見て遠心加圧方向に位置し、当該試料溜と連通されており、予め予想される遠心加圧後の試料喫水線を含む当該槽内の一部の部分が、その他の部分の深さよりも浅くなっている秤量槽と、秤量された試料以外の試料を蓄積する廃液溜槽と、を含むことを特徴とする、秤量チップを提供する。【００３５】  本願第２３の発明は、本願第２２の発明の秤量チップの秤量槽中の予め予想される前記チップ回転後の試料喫水線を含む一部の深さが浅くなっている部分の深さが、特に０．５ｍｍ以下であることを特徴とする、秤量チップを提供する。【００３６】  本願第２４の発明は、第１および第２回転軸を中心とする回転により、試料中から検体成分を分離・秤量、第１の試薬試料の秤量、秤量した検体成分と第１の試薬試料の混合（混合したものを以下、第１混合試料）、第２の試薬試料の秤量、第１混合試料と秤量した第２の試薬試料の混合（混合したものを以下、第２混合試料）ならびに第２混合試料の光学測定セルへの移送、を行う検体分析チップであって、
前記検体分析チップ外部から検体成分を含む前記試料を導入する試料導入口と、
（１）前記検体分析チップを、前記第１回転軸を中心として回転させる第１のチップ回転により、
前記試料導入口と連通し、当該試料導入口から見て第１の遠心加圧方向に位置し、前記試料から前記検体成分と非検体成分を遠心分離する分離流路と、
前記分離流路から見て第１の遠心加圧方向に位置し、当該分離流路と連通されており、非検体成分を蓄積する、少なくとも１つの非検体成分蓄積槽と、
前記分離流路から見て第１の遠心加圧方向に位置し、非検体成分蓄積槽と連通されており、前記検体成分を蓄積ならびに秤量する少なくとも１つの検体成分秤量槽と、
前記第１の試薬試料の秤量する量よりも大きい量の当該試薬試料を蓄積する少なくとも１つの第１の試薬試料溜槽と、
前記第１の試薬試料溜槽から見て第１の遠心加圧方向に位置し、当該試薬試料溜槽と連通されており、第１の試薬試料を秤量蓄積する少なくとも１つの第１の試薬試料秤量槽と、
前記秤量された第１の試薬試料以外の試薬試料を蓄積、前記第１の試薬試料秤量槽と連通する少なくとも１つの第１の廃液溜槽と、
（２）前記検体分析チップを、前記第２回転軸を中心として回転させる第２のチップ回転により、
前記検体蓄積槽に秤量蓄積された検体成分と前記第１の試薬試料秤量槽に秤量蓄積された第１の試薬試料を混合蓄積し、前記検体蓄積槽と前記第１の試薬試料秤量槽から見て第２の遠心加圧方向に位置し、前記検体蓄積槽と前記第１の試薬試料秤量槽と連通する少なくとも１つの１次混合槽と、
前記第２の試薬試料の秤量する量よりも大きい量の当該試薬試料を蓄積する少なくとも１つの第２の試薬試料溜槽と、
前記第２の試薬試料溜槽から見て第２の遠心加圧方向に位置し、当該試薬試料溜槽と連通されており、第２の試薬試料を秤量蓄積する少なくとも１つの第２の試薬試料秤量槽と、
前記秤量された第２の試薬試料以外の試薬試料を蓄積し、前記第２の試薬試料秤量槽と連通する少なくとも１つの第２の廃液溜槽と、
（３）前記検体分析チップを、前記第１回転軸を中心として回転させる第３のチップ回転により、
前記１次混合槽に蓄積されていた第１混合試料と、前記第２の試薬試料秤量槽に秤量蓄積されていた第２の試薬試料と、を合流部へと導き、当該１次混合槽と当該第２の試薬試料秤量槽から見て、第１の遠心加圧方向に位置する、少なくとも２つの合流流路と、
前記合流流路から見て第１の遠心加圧方向に位置し、当該合流流路と連通されており、急峻に流路幅が狭まる部位と広まる部位を与える突起形状を少なくとも一部に含む少なくとも１つの混合流路と、
前記混合流路を経て、均質に混合された第２混合試料を蓄積し、当該混合流路から見て第１の遠心加圧方向に位置する少なくとも１つの光学測定セルと、
を含む検体分析チップを提供する。【００３７】  本願第２５の発明は、第１および第２回転軸を中心とする回転により、試料中から検体成分を分離・秤量、第１の試薬試料の秤量、秤量した検体成分と第１の試薬試料の混合、第２の試薬試料の秤量、第１混合試料と秤量した第２の試薬試料の混合ならびに第２混合試料の光学測定セルへの移送、を行う検体分析チップであって、
前記検体分析チップ外部から検体成分を含む前記試料を導入する試料導入口と、
（１）前記検体分析チップを、前記第１回転軸を中心として回転させる第１のチップ回転により、
前記試料導入口と連通し、当該試料導入口から見て第１の遠心加圧方向に位置し、前記試料から前記検体成分と非検体成分を遠心分離し、非検体成分を蓄積する非検体成分蓄積部を含む分離・非検体成分蓄積流路と、
前記分離・非検体成分蓄積から見て第１の遠心加圧方向に位置し、当該分離・非検体成分蓄積流路と連通されており、前記検体成分を蓄積ならびに秤量する少なくとも１つの検体成分秤量槽と、
前記第１の試薬試料の秤量する量よりも大きい量の当該試薬試料を蓄積する少なくとも１つの第１の試薬試料溜槽と、
前記第１の試薬試料溜槽から見て第１の遠心加圧方向に位置し、当該試薬試料溜槽と連通されており、第１の試薬試料を秤量蓄積する少なくとも１つの第１の試薬試料秤量槽と、
前記秤量された第１の試薬試料以外の試薬試料を蓄積、前記第１の試薬試料秤量槽と連通する少なくとも１つの第１の廃液溜槽と、
（２）前記検体分析チップを、前記第２回転軸を中心として回転させる第２のチップ回転により、
前記検体蓄積槽に秤量蓄積された検体成分と前記第１の試薬試料秤量槽に秤量蓄積された第１の試薬試料を混合蓄積し、前記検体蓄積槽と前記第１の試薬試料秤量槽から見て第２の遠心加圧方向に位置し、前記検体蓄積槽と前記第１の試薬試料秤量槽と連通する少なくとも１つの１次混合槽と、
前記第２の試薬試料の秤量する量よりも大きい量の当該試薬試料を蓄積する少なくとも１つの第２の試薬試料溜槽と、
前記第２の試薬試料溜槽から見て第２の遠心加圧方向に位置し、当該試薬試料溜槽と連通されており、第２の試薬試料を秤量蓄積する少なくとも１つの第２の試薬試料秤量槽と、
前記秤量された第２の試薬試料以外の試薬試料を蓄積し、前記第２の試薬試料秤量槽と連通する少なくとも１つの第２の廃液溜槽と、
（３）前記検体分析チップを、前記第１回転軸を中心として回転させる第３のチップ回転により、
前記１次混合槽に蓄積されていた第１混合試料と、前記第２の試薬試料秤量槽に秤量蓄積されていた第２の試薬試料と、を合流部へと導き、当該１次混合槽と当該第２の試薬試料秤量槽から見て、第１の遠心加圧方向に位置する、少なくとも２つの合流流路と、
前記合流流路から見て第１の遠心加圧方向に位置し、当該合流流路と連通されており、急峻に流路幅が狭まる部位と広まる部位を与える突起形状を少なくとも一部に含む少なくとも１つの混合流路と、
前記混合流路を経て、均質に混合された第２混合試料を蓄積し、当該混合流路から見て第１の遠心加圧方向に位置する少なくとも１つの光学測定セルと、
を含む検体分析チップを提供する。【００３８】  本願第２６の発明は、溝流路を形成した少なくとも２つの基板を接着して一体とし、かつ当該基板上の溝流路間が接続されている検体分析チップであって、
両側に粘着層を有し、当該溝流路間の接続部位に貫通穴を形成した、少なくとも１つの接着板が、当該基板間に挿入されていることを特徴とする、検体分析チップを提供する。【００３９】  本願第２７の発明は、本願第２４〜２５の発明の検体分析チップが、溝流路を形成した少なくとも２つの基板を貼り合わせて構成していることを特徴とする、請求項２４〜２５記載の検体分析チップを提供する。【００４０】  本願第２８の発明は、本願第２７の発明の検体分析チップを構成する基板の貼り合わせと、少なくとも２つの基板上の溝流路間の接続を、両側に粘着層を有し、当該溝流路間の接続部位に貫通穴を形成した、少なくとも１つの接着板を当該基板間に挿入し、構成されることを特徴とする、検体分析チップを提供する。【００４１】  本願第２９の発明は、本願第２４の発明の検体分析チップの分離流路が、第１の遠心加圧方向に多段に配設されていること特徴とする、検体分析チップを提供する。【００４２】  本願第３０の発明は、本願第２４の発明の検体分析チップの分離流路の少なくとも一部が、非検体成分蓄積槽へと至る当該分離流路中を流れる試料の進行方向を、第１の遠心加圧方向に対し、直交よりわずかに当該遠心加圧方向寄りの方向にする構造であることを特徴とする、検体分析チップを提供する。【００４３】  本願第３１の発明は、本願第２４の発明の検体分析チップの分離流路の少なくとも一部が、その他部分の分離流路の断面積よりも小さいことを特徴とする、検体分析チップを提供する。【００４４】  本願第３２の発明は、本願第２４の発明の検体分析チップの分離流路表面の少なくとも一部が、疎水性を有する膜で覆われていることを特徴とする、検体分析チップを提供する。【００４５】  本願第３３の発明は、本願第２５の発明の検体分析チップの非検体成分蓄積部が、分離・非検体成分蓄積流路の第１の遠心加圧方向側に配設されていること特徴とする、検体分析チップを提供する。【００４６】  本願第３４の発明は、本願第２５の発明の検体分析チップの分離・非検体成分蓄積流路が、第１の遠心加圧方向に多段に配設されていること特徴とする、検体分析チップを提供する。【００４７】  本願第３５の発明は、本願第２５の発明の検体分析チップの分離・非検体成分蓄積流路の少なくとも一部が、前記検体成分秤量槽へと至る当該分離・非検体成分蓄積流路中を流れる試料の進行方向を、第１の遠心加圧方向に対し、直交よりわずかに当該遠心加圧方向寄りの方向にする構造であることを特徴とする、検体分析チップを提供する。【００４８】  本願第３６の発明は、本願第２５の発明の検体分析チップの分離・非検体成分蓄積流路の少なくとも一部が、その他部分の分離・非検体成分蓄積流路の断面積よりも小さいことを特徴とする、検体分析チップを提供する。【００４９】  本願第３７の発明は、本願第２５の発明の検体分析チップの分離・非検体成分蓄積流路表面の少なくとも一部が、疎水性を有する膜で覆われていることを特徴とする、検体分析チップを提供する。【００５０】  本願第３８の発明は、本願第２４〜２５の発明の検体分析チップの混合流路の少なくとも一部が、当該流路中を流れる試料の進行方向を、第１の遠心加圧方向に対し、直交よりわずかに当該遠心加圧方向寄りの方向にする構造であることを特徴とする、検体分析チップを提供する。【００５１】  本願第３９の発明は、本願第２４〜２５の発明の検体分析チップの混合流路が、第１の遠心加圧方向に多段に配設されていること特徴とする、検体分析チップを提供する。【００５２】  本願第４０の発明は、本願第２４〜２５の発明の検体分析チップの複数の合流流路の断面積の比が、それぞれの合流流路を通過するそれぞれの試料の量の比にほぼ等しいことを特徴とする、検体分析チップを提供する。【００５３】  本願第４１の発明は、本願第２４〜２５の発明の検体分析チップの光学測定セルが、前記検体分析チップ平面とほぼ平行であり、かつ当該チップ外からの入射光と当該光学測定セルからの出射光を透過し、また当該入射光ならびに出射光となす角が直角、もしくは直角近くである一方の面であり、光学的透過率の高い材料で構成される光学窓と、前記光学窓とほぼ平行、かつ対向し、その表面は光学的反射率の高い材料で構成され、当該光学測定セル内へと導かれた入射光を反射する反射層と、を含むことを特徴とする、検体分析チップを提供する。【００５４】  本願第４２の発明は、本願第４１の発明の検体分析チップの反射層を構成する光学的反射率の高い材料の主成分が、特にアルミニウムであることを特徴とする、検体分析チップを提供する。【００５５】  本願第４３の発明は、本願第４１の発明の検体分析チップの光学窓が、特に凸レンズ形状を成していることを特徴とする、検体分析チップを提供する。【００５６】  本願第４４の発明は、本願第２４〜２５の発明の検体分析チップの光学測定セルが、前記検体分析チップ平面とほぼ平行で、光学的透渦率の高い材料で構成され、当該チップの外部からの入射光を透過して当該光学測定セル内へと光を導く、第１の光学窓と、前記第１の光学窓と平行で、かつ対向し、光学的透過率の高い材料で構成され、光学測定セル内を通過してきた光を透過して、出射光として当該チップの外部へと導く、第２の光学窓と、を含むことを特徴とする、検体分析チップを提供する。【００５７】  本願第４５の発明は、本願第４４の発明の検体分析チップの光学窓１と光学窓２のうち、少なくとも一方の光学窓が、特に凸レンズ形状を成していることを特徴とする、検体分析チップを提供する。【００５８】  本願第４６の発明は、本願第２４〜２５の発明の検体分析チップの少なくとも１つの第１の試薬試料秤量槽の、予め予想される第１のチップ回転後の試薬試料喫水線を含む当該槽内の一部の部分が、その他の部分の深さよりも浅くなっていることを特徴とする、検体分析チップを提供する。【００５９】  本願第４７の発明は、本願第２４〜２５の発明の検体分析チップの少なくとも１つの１次混合槽の、予め予想される第２のチップ回転後の１次混合試料喫水線を含む当該槽内の一部の部分が、その他の部分の深さよりも浅くなっていることを特徴とする、検体分析チップを提供する。【００６０】  本願第４８の発明は、本願第２４〜２５の発明の検体分析チップの少なくとも１つの第２の試薬試料秤量槽の、予め予想される第２のチップ回転後の１次混合試料喫水線を含む当該槽内の一部の部分が、その他の部分の深さよりも浅くなってい���ことを特徴とする、検体分析チップを提供する。【００６１】  本願第４９の発明は、本願第２４〜２５の発明の検体分析チップの試料導入口には、血液を採取する採血用針ならびに採取した血液を蓄積する血液溜パイプを含む採血装置を導入できることを特徴とする、検体分析チップを提供する。【００６２】  本願第５０の発明は、本願第２４〜２５の発明の検体分析チップにおいて、第１の遠心加圧方向と前記第２の遠心加圧方向は、略直交していることを特徴とする、検体分析チップを提供する。【００６３】  本願第５１の発明は、試料中の検体成分を分離・秤量する分離・秤量チップの使用方法であって、前記チップ外部から試料導入口に試料を導入する試料導入ステップと、前記分離・秤量チップを所定の回転軸を中心に回転させて、前記試料から検体成分と非検体成分を分離流路において遠心分離し、当該非検体成分を前記分離流路から見て遠心加圧方向に位置し、前記分離流路と連通する少なくとも１つの非検体成分蓄積槽に蓄積し、前記検体成分を前記非検体成分蓄積槽と連通する、少なくとも１つの検体成分秤量槽に秤量ならびに蓄積する分離・秤量ステップと、を含む分離・秤量チップの使用方法を提供する。【００６４】  本願第５２の発明は、試料中の検体成分を分離・秤量する分離・秤量チップの使用方法であって、前記チップ外部から試料導入口に試料を導入する試料導入ステップと、前記分離・秤量チップを所定の回転軸を中心に第１の回転数で回転させて、大部分の前記試料を、試料導入口の近傍に保持しながら、ある程度当該試料から検体成分と非検体成分への遠心分離を進行させる第１遠心分離ステップと、前記分離・秤量チップを上記第１遠心分離ステップと同一の中心で第２の回転数で回転させて、前記試料を前記試料導入口から見て、遠心加圧方向に位置する分離流路内を進行させながら、当該試料の前記検体成分と前記非検体成分への遠心分離をより進行させ、当該非検体成分を前記分離流路から見て遠心加圧方向に位置し、前記分離流路と連通する少なくとも１つの非検体成分蓄積槽に蓄積し、前記検体成分を前記非検体成分蓄積槽と連通する、少なくとも１つの検体成分秤量槽に秤量ならびに蓄積する分離・秤量ステップと、を含む分離・秤量チップの使用方法を提供する。【００６５】  本願第５３の発明は、本願第５２の発明の分離・秤量チップの使用方法の第１遠心分離ステップが、前記分離・秤量チップを所定の回転軸を中心に第１の回転数で回転させて、分離流路の一部に設けられた断面積が他の当該流路よりも小さい部位よりも試料導入口側に前記試料を保持しながら、ある程度当該試料から検体成分と非検体成分への遠心分離を進行させる第１遠心分離ステップ、である、分離・秤量チップの使用方法を提供する。【００６６】  本願第５４の発明は、本願第５２の発明の分離・秤量チップの使用方法の第１遠心分離ステップが、前記分離・秤量チップを所定の回転軸を中心に第１の回転数で回転させて、分離流路の一部の疎水性を有する膜で覆われている表面部位よりも試料導入口側に前記試料を保持しながら、ある程度当該試料から検体成分と非検体成分への遠心分離を進行させる、第１遠心分離ステップと、である、分離・秤量チップの使用方法を提供する���【００６７】  本願第５５の発明は、本願第５１〜５４の発明の分離・秤量チップの使用方法の試料導入ステップが、試料導入口には、血液を採取する採血用針ならびに採取した血液を蓄積する血液溜パイプを含む採血装置であって、当該血液溜パイプに試料を蓄積している当該採血装置を導入する、試料導入ステップ、である、分離・秤量チップの使用方法を提供する。【００６８】  本願第５６の発明は、試料中の検体成分を分離・秤量する分離・秤量チップの使用方法であって、試料導入口には、血液を採取する採血用針ならびに採取した血液を蓄積する血液溜パイプを含む採血装置であって、当該血液溜パイプに試料を蓄積している当該採血装置を導入する試料導入ステップと、前記分離・秤量チップを所定の回転軸を中心に第１の回転数で回転させて、大部分の前記試料を、前記血液溜パイプ内に蓄積したまま、ある程度当該試料から検体成分と非検体成分への遠心分離を進行させる第１遠心分離ステップと、前記分離・秤量チップを上記第１遠心分離ステップと同一の中心で第２の回転数で回転させて、前記試料を前記試料導入口から見て、遠心加圧方向に位置する分離流路内を進行させながら、当該試料の前記検体成分と前記非検体成分への遠心分離をより進行させ、当該非検体成分を前記分離流路から見て遠心加圧方向に位置し、前記分離流路と連通する少なくとも１つの非検体成分蓄積槽に蓄積し、前記検体成分を前記非検体成分蓄積槽と連通する、少なくとも１つの検体成分秤量槽に秤量ならびに蓄積する分離・秤量ステップと、を含む分離・秤量チップの使用方法を提供する。【００６９】  本願第５７の発明は、試料中の検体成分を分離・秤量する分離・秤量チップの使用方法であって、前記チップ外部から試料導入口に試料を導入する試料導入ステップと、前記分離・秤量チップを所定の回転軸を中心に回転させて、前記試料から検体成分と非検体成分を分離・非検体成分蓄積流路において遠心分離し、当該非検体成分を当該流路途中に配設されている非検体成分蓄積部に蓄積し、前記検体成分を、当該流路から見て遠心加圧方向に位置し、当該流路と連通する少なくとも１つの検体成分秤量槽に秤量ならびに蓄積する分離・秤量ステップと、を含む分離・秤量チップの使用方法を提供する。【００７０】  本願第５８の発明は、試料中の検体成分を分離・秤量する分離・秤量チップの使用方法であって、前記チップ外部から試料導入口に試料を導入する試料導入ステップと、前記分離・秤量チップを所定の回転軸を中心に第１の回転数で回転させて、大部分の前記試料を、試料導入口の近傍に保持しながら、ある程度当該試料から検体成分と非検体成分への遠心分離を進行させる第１遠心分離ステップと、前記分離・秤量チップを上記第１遠心分離ステップと同一の中心で第２の回転数で回転させて、前記試料を遠心加圧方向に分離・非検体成分蓄積流路内を進行させながら、当該試料の前記検体成分と前記非検体成分への遠心分離をより進行させ、当該非検体成分を当該流路途中に配設された非検体成分蓄積部に蓄積し、当該検体成分を当該流路から見て遠心加圧方向に位置し、当該流路と連通する少なくとも１つの検体成分秤量槽に秤量ならびに蓄積する分離・秤量ステップと、を含む分離・秤量チ��プの使用方法を提供する。【００７１】  本願第５９の発明は、本願第５８の発明の分離・秤量チップの使用方法の第１遠心分離ステップが、前記分離・秤量チップを所定の回転軸を中心に第１の回転数で回転させて、分離・非検体成分蓄積流路の一部に設けられた断面積が他の当該流路よりも小さい部位よりも試料導入口側に前記試料を保持しながら、ある程度当該試料から検体成分と非検体成分への遠心分離を進行させる第１遠心分離ステップ、である、分離・秤量チップの使用方法を提供する。【００７２】  本願第６０の発明は、本願第５８の発明の分離・秤量チップの使用方法の第１遠心分離ステップが、前記分離・秤量チップを所定の回転軸を中心に第１の回転数で回転させて、分離・非検体成分蓄積流路の一部の疎水性を有する膜で覆われている表面部位よりも試料導入口側に前記試料を保持しながら、ある程度当該試料から検体成分と非検体成分への遠心分離を進行させる、第１遠心分離ステップ、である、分離・秤量チップの使用方法を提供する。【００７３】  本願第６１の発明は、本願第５７〜６０の発明の分離・秤量チップの使用方法の試料導入ステップが、試料導入口には、血液を採取する採血用針ならびに採取した血液を蓄積する血液溜パイプを含む採血装置であって、当該血液溜パイプに試料を蓄積している当該採血装置を導入する、試料導入ステップ、である、分離・秤量チップの使用方法を提供する。【００７４】  本願第６２の発明は、試料中の検体成分を分離・秤量する分離・秤量チップの使用方法であって、試料導入口には、血液を採取する採血用針ならびに採取した血液を蓄積する血液溜パイプを含む採血装置であって、当該血液溜パイプに試料を蓄積している当該採血装置を導入する試料導入ステップと、前記分離・秤量チップを所定の回転軸を中心に第１の回転数で回転させて、大部分の前記試料を、前記血液溜パイプ内に蓄積したまま、ある程度当該試料から検体成分と非検体成分への遠心分離を進行させる第１遠心分離ステップと、前記分離・秤量チップを上記第１遠心分離ステップと同一の中心で第２の回転数で回転させて、前記試料を前記試料導入口から見て、遠心加圧方向に位置する分離・非検体成分蓄積流路内を進行させながら、当該試料の前記検体成分と前記非検体成分への遠心分離をより進行させ、当該非検体成分を当該流路途中に配設された非検体成分蓄積部に蓄積し、当該検体成分を当該流路から見て遠心加圧方向に位置し、当該流路と連通する少なくとも１つの検体成分秤量槽に秤量ならびに蓄積する分離・秤量ステップと、を含む分離・秤量チップの使用方法を提供する。【００７５】  本願第６３の発明は、少なくとも２種類の試料の混合を行う混合チップの使用方法であって、前記混合チップを所定の回転軸を中心に回転させて、それぞれの蓄積槽に蓄積されている前記試料を、それぞれの合流流路を経て、合流部で合流させ、さらに当該合流させた試料を、急峻に流路幅が狭まる部位と広まる部位を与える突起形状を少なくとも一部に含む混合流路へと導き、通過させる混合ステップ、を含む混合チップの使用方法を提供する。【００７６】  本願第６４の発明は、被光学測定試料を導入し、当該試料を満たして光学測定を行う光学測定セル含む光学測��チップの使用方法であって、前記光学測定セルに前記被光学測定試料を導入する試料導入ステップと、前記光学測定チップ外にある光源より、当該チップ平面とほぼ平行で、光学測定セルを構成する一方の面である光学窓へ、垂直、もしくは垂直近くの入射角で光を入射し、；当該光学測定セル内に光を透過導入させ、；当該光学窓とほぼ平行、かつ対向し、当該光学測定セルを構成し、その表面は光学的反射率の高い材料で構成される反射層において、当該光学測定セル内へと導かれた当該入射光を反射し、；当該反射光が当該セル内を通過して、再度、当該光学窓を透過し当該チップ外にある光検出器に到達した光の強度を測定する光学測定ステップと、を含む光学測定チップの使用方法を提供する。【００７７】  本願第６５の発明は、本願第６４の発明の光学測定チップの使用方法の光学測定ステップが、前記光学測定チップ外にある光源より出射された光を半透鏡に導き、；当該半透鏡を直進透過してきた光を、当該チップ平面とほぼ平行で、前記光学測定セルを構成する一方の面である光学窓へ、ほぼ垂直である入射角で入射し、；当該光学測定セル内に光を透過導入させ、；当該光学窓とほぼ平行、かつ対向し、当該光学測定セルを構成し、その表面は光学的反射率の高い材料で構成される反射層において、当該光学測定セル内へと導かれた当該入射光を反射し、；当該反射光が当該セル内を通過して、再度、当該光学窓を透過し、前記チップ外へと導き；前記半透鏡に入射し、そこで光路が約９０度変化して出射してきた光を光検出器に導き、その強度を測定する光学測定ステップ、である、光学測定チップの使用方法を提供する。【００７８】  本願第６６の発明は、試料の秤量を行う秤量チップの使用方法であって、前記秤量チップを所定の回転軸を中心に回転させて、試料溜に蓄積されていた前記試料を、当該試料溜から見て遠心加圧方向に位置し、当該試料溜と連通されており、予め予想される遠心加圧後の試料喫水線を含む当該槽内の一部の部分が、その他の部分の深さよりも浅くなっている秤量槽へと導き、そこで秤量、蓄積し、当該秤量された試料以外の試料を当該秤量槽と連通されている廃液溜槽に蓄積する秤量ステップ、を含む秤量チップの使用方法を提供する。【００７９】本願第６７の発明は、第１および第２回転軸を中心とするチップの回転により、試料中から検体成分を分離・秤量、第１の試薬試料の秤量、秤量した検体成分と第１の試薬試料の混合（第１混合試料）、第２の試薬試料の秤量、第１混合試料と秤量した第２の試薬試料の混合（第２混合試料）ならびに第２混合試料の光学測定セルへの移送、を行う検体分析チップの使用方法であって、
（１）前記検体分析チップを、前記第１回転軸を中心として回転させる第１のチップ回転により、
試料導入口にある試料を、当該試料導入口から見て第１の遠心加圧方向に位置する分離流路に導き、そこで前記検体成分と非検体成分を遠心分離し、
前記分離流路から見て第１の遠心加圧方向に位置し、当該分離流路と連通されている、少なくとも１つの非検体成分蓄積槽に非検体成分を蓄積し、
前記分離流路から見て第１の遠心加圧方向に位置し、非検体成分蓄積槽と連通されている、少なくとも１つの検体成分秤量槽に前記検体成分を蓄積ならびに秤量し、
少なくとも１つの第１の試薬試料溜槽にある第１の試薬試料を、前記第１の試薬試料溜槽から見て第１の遠心加圧方向に位置し、当該試薬試料溜槽と連通されている、少なくとも１つの第１の試薬試料秤量槽に第１の試薬試料を秤量蓄積する第１のチップ回転ステップと、
（２）前記検体分析チップを、前記第２回転軸を中心として回転させる第２のチップ回転により、
前記検体蓄積槽に秤量蓄積された検体成分と前記第１の試薬試料秤量槽に秤量蓄積された第１の試薬試料を、前記検体蓄積槽と前記第１の試薬試料秤量槽から見て、第２の遠心加圧方向に位置する少なくとも１つの１次混合槽に混合蓄積し、
少なくとも１つの第２の試薬試料溜槽にある第２の試薬試料を、前記第２の試薬試料溜槽から見て第２の遠心加圧方向に位置し、当該試薬試料溜槽と連通されている、少なくとも１つの第２の試薬試料秤量槽に秤量蓄積する第２のチップ回転ステップと、
（３）前記検体分析チップを、前記第１回転軸を中心として回転させる第３のチップ回転により、
前記１次混合槽に蓄積されていた第１混合試料と、前記第２の試薬試料秤量槽に秤量蓄積されていた第２の試薬試料とを、前記１次混合槽ならびに第２の試薬試料秤量槽から見て第１の遠心加圧方向に位置する、急峻に流路幅が狭まる部位と広まる部位を与える突起形状を少なくとも一部に含む少なくとも１つの混合流路に導き、通過させて混合し、
前記混合流路を経て、均等に混合された第２混合試料を、当該混合流路から見て第１の遠心加圧方向に位置する少なくとも１つの光学測定セルに蓄積する第３のチップ回転ステップと、
を含む検体分析チップの使用方法を提供する。【００８０】  本願第６８の発明は、本願第６７の発明の検体分析チップの使用方法の第１のチップ回転ステップが、
（１）前記検体分析チップを、前記第１回転軸を中心として回転させる第１のチップ回転により、
（ａ）当該チップの回転は第１の回転数であって、
試料導入口にある試料の大部分を、当該試料導入口の近傍に保持しながら、ある程度当該試料から検体成分と非検体成分への遠心分離を進行させる、第１のチップ回転第１回転数ステップと、
（ｂ）引き続き、当該チップの回転を第２の回転数に変化させ、
前記試料を遠心加圧方向に前記分離流路内を進行させながら、当該試料の前記検体成分と前記非検体成分への遠心分離をより進行させ、当該非検体成分を前記分離流路から見て遠心加圧方向に位置し、前記分離流路と連通する少なくとも１つの非検体成分蓄積槽に蓄積し、前記検体成分を前記非検体成分蓄積槽と連通する、少なくとも１つの検体成分秤量槽に秤量ならびに蓄積し、
少なくとも１つの第１の試薬試料溜槽にある第１の試薬試料を、前記第１の試薬試料溜槽から見て第１の遠心加圧方向に位置し、当該試薬試料溜槽と連通されている、少なくとも１つの第１の試薬試料秤量槽に第１の試薬試料を秤量蓄積する、第１のチップ回転第２回転数ステップと、
である検体分析チップの使用方法を提供する。【００８１】  本願第６９の発明は、本願第６８の発明の検体分析チップの使用方法の第１のチップ回転第１回転数ステップが、
（ａ）当該チップの回転は第１の回転数であって、
分離流路の一部に設けられた断面積が他の当該流路よりも小さい部位よりも試料導入口側に前記試料を保持しながら、ある程度当該試料から検体成分と非検体成分への遠心分離を進行させる、第１のチップ回転第１回転数ステップ、
である検体分析チップの使用方法を提供する。【００８２】  本願第７０の発明は、本願第６８の発明の検体分析チップの使用方法の第１のチップ回転第１回転数ステップが、
（ａ）当該チップの回転は第１の回転数であって、
分離流路の一部の疎水性を有する膜で覆われている表面部位よりも試料導入口側に前記試料を保持しながら、ある程度当該試料から検体成分と非検体成分への遠心分離を進行させる、第１のチップ回転第１回転数ステップ、
である検体分析チップの使用方法を提供する。【００８３】  本願第７１の発明は、本願第６７〜７０の発明の検体分析チップの使用方法の第１のチップ回転ステップの前に、
試料導入口には、血液を採取する採血用針ならびに採取した血液を蓄積する血液溜パイプを含む採血装置であって、当該血液溜パイプに試料を蓄積している当該採血装置を導入する、試料導入ステップ、
を含む検体分析チップの使用方法を提供する。【００８４】  本願第７２の発明は、本願第７１の発明の検体分析チップの使用方法の第１のチップ回転第１回転数ステップが、
大部分の前記試料を、前記血液溜パイプ内に蓄積したまま、ある程度当該試料から検体成分と非検体成分への遠心分離を進行させる第１のチップ回転第１回転数ステップ、
である検体分析チップの使用方法を提供する。【００８５】  本願第７３の発明は、本願第６７の発明の検体分析チップの使用方法の第１のチップ回転ステップが、
（１）前記検体分析チップを、前記第１回転軸を中心として回転させる第１のチップ回転により、
試料導入口にある試料を、当該試料導入口から見て第１の遠心加圧方向に位置する非検体成分蓄積部を含む分離・非検体成分蓄積流路に導き、そこで前記検体成分と非検体成分を遠心分離し、当該非検体成分を当該流路途中に配設されている非検体成分蓄積部に蓄積し、
前記分離・非検体成分蓄積流路から見て第１の遠心加圧方向に位置し、当該流路と連通されている、少なくとも１つの検体成分秤量槽に前記検体成分を蓄積ならびに秤量し、
少なくとも１つの第１の試薬試料溜槽にある第１の試薬試料を、前記第１の試薬試料溜槽から見て第１の遠心加圧方向に位置し、当該試薬試料溜槽と連通されている、少なくとも１つの第１の試薬試料秤量槽に第１の試薬試料を秤量蓄積する、第１のチップ回転ステップ
である検体分析チップの使用方法を提供する。【００８６】  本願第７４の発明は、本願第７３の発明の検体分析チップの使用方法の第１のチップ回転ステップが、
（１）前記検体分析チップを、前記第１回転軸を中心として回転させる第１のチップ回転により、
（ａ）当該チップの回転は第１の回転数であって、
試料導入口にある試料の大部分を、当該試料導入口の近傍に保持しながら、ある程度当該試料から検体成分と非検体成分への遠心分離を進行させる、第１のチップ回転第１回転数ステップと、
（ｂ）引き続き、当該チップの回転を第２の回転数に変化させ、
前記試料を遠心加圧方向に前記分離・非検体成分蓄積流路内を進行させながら、当該試料の前記検体成分と前記非検体成分への遠心分離をより進行させ、当該非検体成分を当該流路途中に配設されている非検体成分蓄積部に蓄積し、当該流路から見て第１の遠心加圧方向に位置し、当該流路と連通されている、少なくとも１つの検体成分秤量槽に前記検体成分を蓄積ならびに秤量し、
少なくとも１つの第１の試薬試料溜槽にある第１の試薬試料を、前記第１の試薬試料溜槽から見て第１の遠心加圧方向に位置し、当該試薬試料溜槽と連通されている、少なくとも１つの第１の試薬試料秤量槽に第１の試薬試料を秤量蓄積する、第１のチップ回転第２回転数ステップと、
である検体分析チップの使用方法を提供する。【００８７】  本願第７５の発明は、本願第７４の発明の検体分析チップの使用方法の第１のチップ回転第１回転数ステップが、
（ａ）当該チップの回転は第１の回転数であって、
分離・非検体成分蓄積流路の一部に設けられた断面積が他の当該流路よりも小さい部位よりも試料導入口側に前記試料を保持しながら、ある程度当該試料から検体成分と非検体成分への遠心分離を進行させる、第１のチップ回転第１回転数ステップ、
である検体分析チップの使用方法を提供する。【００８８】  本願第７６の発明は、本願第７４の発明の検体分析チップの使用方法の第１のチップ回転第１回転数ステップが、
（ａ）当該チップの回転は第１の回転数であって、
分離・非検体成分蓄積流路の一部の疎水性を有する膜で覆われている表面部位よりも試料導入口側に前記試料を保持しながら、ある程度当該試料から検体成分と非検体成分への遠心分離を進行させる、第１のチップ回転第１回転数ステップ、
である検体分析チップの使用方法を提供する。【００８９】  本願第７７の発明は、本願第７３〜７６の発明の検体分析チップの使用方法の第１のチップ回転ステップの前に、
試料導入口には、血液を採取する採血用針ならびに採取した血液を蓄積する血液溜パイプを含む採血装置であって、当該血液溜パイプに試料を蓄積している当該採血装置を導入する、試料導入ステップ、
を含む検体分析チップの使用方法を提供する。【００９０】  本願第７８の発明は、本願第７７の発明の検体分析チップの使用方法の第１のチップ回転第１回転数ステップが、
大部分の前記試料を、前記血液溜パイプ内に蓄積したまま、ある程度当該試料から検体成分と非検体成分への遠心分離を進行させる第１のチップ回転第１回転数ステップ、
である検体分析チップの使用方法を提供する。【００９１】  本願第７９の発明は、本願第６７ならびに７３の発明の検体分析チップの使用方法の第３のチップ回転ステップ後に、
前記検体分析チップ外にある光源より、当該チップ平面とほぼ平行で、第２混合試料を蓄積している少なくとも１つの光学測定セルを構成する一方の面である光学窓へ、垂直、もしくは垂直近くの入射角で光を入射し、；当該光学測定セル内に光を透過導入させ、；当該光学窓とほぼ平行、かつ対向し、当該光学測定セルを構成し、その表面は光学的反射率の高い材料で構成される反射層において、当該光学測定セル内へと導かれた当該入射光を反射し、；当該反射光が当該セル内を通過して、再度、当該光学窓を透過し当該チップ外にある光検出器に到達した光の強度を測定する光学測定ステップと、
を含む検体分析チップの使用方法を提供する。【００９２】  本願第８０の発明は、本願第６７ならびに７３の発明の検体分析チップの第３のチップ回転ステップ後に、
前記検体分析チップ外にある光源より出射された光を、半透鏡に導き、直進透過してきた光を、当該チップ平面とほぼ平行で、第２混合試料を蓄積している少なくとも１つの光学測定セルを構成する一方の面である光学窓へ、ほぼ垂直である入射角で入射し、；当該光学測定セル内に光を透過導入させ、；当該光学窓とほぼ平行、かつ対向し、当該光学測定セルを構成し、その表面は光学的反射率の高い材料で構成される反射層において、当該光学測定セル内へと導かれた当該入射光を反射し、；当該反射光が当該セル内を通過して、再度、当該光学窓を透過し、当該半透鏡に入射し、そこで光路が約９０度変化して出射してきた光を光検出器に導き、その強度を測定する光学測定ステップと、
を含む検体分析チップの使用方法を提供する。【００９３】  本願第８１の発明は、本願第６７ならびに７３の発明の検体分析チップの第３のチップ回転ステップ後に、
前記検体分析チップ外にある光源より、当該チップ平面とほぼ平行で、第２混合試料を蓄積している少なくとも１つの光学測定セルを構成する一方の面である第１の光学窓へ、垂直、もしくは垂直近くの入射角で光を入射し、；当該光学測定セル内に光を透過導入させ、；当該光学測定セル内を通過、透過してきた光を、当該第１の光学窓とほぼ平行、かつ対向し、当該光学測定セルを構成する第２の光学窓を透過させ、前記検体分析チップ外にある光検出器へと導き、その光の強度を測定する光学測定ステップと、
を含む検体分析チップの使用方法を提供する。【００９４】  本願第８２の発明は、溝流路を形成した少なくとも２つの基板を、両側に粘着層を有し、当該溝流路間の接続部位に貫通穴を形成した、少なくとも１つの接着板を介して接着して一体のチップとすることを特徴とする、検体分析チップの製造方法を提供する。【００９５】  本願第８３の発明は、ある回転軸を中心とする回転により試料を移動させ、当該移動させた試料を蓄積する槽を含む検体分析チップであって、
前記槽の、予め予想される遠心加圧後の試料喫水線を含む当該槽内の一部の部分が、その他の当該槽の部分の深さよりも浅くなっている槽、
であることを特徴とする検体分析チップを提供する。
【発明の効果】
【００９６】  本発明の分離・秤量チップにより、ある回転軸を中心とする一度のチップ回転によって、検体成分と非検体成分の分離と、当該検体成分の秤量が可能となった。また本発明の混合チップにより、ある回転軸を中心とする一度のチップ回転によって、少なくとも２種類の試料の混合が可能となった。本発明の光学測定チップにより、実効的な光路長を維持したまま、当該チップ上の光学測定セルの長さを約半分にすることが可能となった。本発明の秤量チップにより、大容量の試料の秤量が可能となった。溝流路を有する少なくとも２つの基板を、両側に粘着層を有し、当該溝流路間の接続部位に貫通穴を形成した接着板を介して接着し、一体のチップを提供する本発明のチップ構造により、チップの多機能化に伴うチップ面積の増大を抑制することが可能となった。さらに本発明の検体分析チップにより、３回のチップ回転によって、試料の分離、検体成分ならびに試薬試料の秤量、検体成分と試薬試料の混合等の操作を行い、複数の検査対象成分を光学測定によって評価することが可能となった。
【発明を実施するための最良の形態】
【００９７】＜第一実施態様＞
図１は本発明の一実施態様による分離・秤量チップの分解斜視図を示している。基板Ａ１０１には貫通穴が形成されており、基板Ｂ１０２には微細な溝流路などの構造が形成されている。これらの基板は安価に作製するために、チップ上の溝構造などの反転型を作製し、これを例えばポリエチレンテレフタレート（ＰＥＴ）やポリカーボネート（ＰＣ）などの樹脂に転写するモールディングや射出成型などの方法により作製する。そしてこれらの基板同士を貼り合わせて、図２の透過斜視図に示すように一体のチップ形状を形成する。図３は上面図を示すが、チップ外部より試料を導入する試料導入口３０１、当該試料を蓄積する試料溜３０２、そこより右往左往しながら多段に配設されている分離流路３０３、非検体成分蓄積槽３０４、検体成分秤量槽Ａ３０５、同Ｂ３０６、同Ｃ３０７、廃液溜槽３０８、空気抜き穴３０９へと溝流路を介して連通している構造となっている。【００９８】  本チップは導入した試料を、チップを回転させたときに生起する遠心力によって、当該試料から検体成分と非検体成分に遠心分離すると同時に、当該検体成分を少なくとも１つの分画に秤量、蓄積することを可能とするものである。特に、検体成分の比重が、非検体成分のそれと比較すると小さい場合に適用でき、例えば、血液を試料とした場合には、血漿成分が検体成分、血球（主として赤血球）成分が非検体成分となって、血球血漿分離と、少なくとも１つの血漿成分分画秤量が、一度のチップ回転で実現される。【００９９】  同図中の試料導入口３０１よりチップ外から試料を導入し、当該試料を試料溜３０２に蓄積した後に、回転軸Ｃを中心として当該チップを回転させたときに、当該試料から検体成分と非検体成分の分離ならびに分離した検体成分を少なくとも１つの分画に秤量、蓄積する。原則的に試料溜３０２から分離流路３０３、非検体成分蓄積槽３０４、検体成分秤量槽Ａ３０５、同Ｂ３０６、同Ｃ３０７、廃液溜槽３０８という順に、図中の遠心加圧方向Ｆに沿って配設されており、試料溜３０２中の試料は、この順にチップ回転時に生起する遠心力によって移動していく。【０１００】  図４にはチップの回転を行う遠心装置の一例を示している。図中のシャフト４０２が回転軸と一致する。図５は図３中３１０の分離流路の一部の拡大図を示している。分離流路５０１の遠心加圧方向Ｆ側の側壁輪郭線上の任意の一点５０２において、当該側壁輪郭線の接線５０３と、点５０２とチップ回転軸上の点を通過する線５０４の、試料進行方向５０５側のなす角をθとする。この接線５０３は、点５０２における局所的な試料の進行方向を示しており、このθが遠心加圧方向Ｆ側の側壁輪郭線上の任意の一点で、常に直角未満であれば、当該流路中の試料は試料進行方向５０５の方向へ澱みなく進行していく。そしてこのθを直角近くになるように分離流路、特に遠心加圧方向Ｆ側の側壁輪郭線を、当該流路全般にわたって設定すると、チップ回転に由来する遠心力と試料進行方向は直交に近い角度をなすので、結果としては当該遠心力が当該流路内試料を進行方向へと押し出す力への寄与が小さくなり、試料の進行速度を小さくすることができる。【０１０１】  そしてこのような構造の分離流路を図３の３０３のよう���多段で配置しているのは、狭いチップ占有面積で、実効的に当該分離流路の長さを長くし、かつ上述のように極力試料の進行速度を小さくさせることで、試料の分離流路中での滞在時間を増大させ、結果として試料の分離をこの流路中で十分進行させた後に、非検体成分蓄積槽３０４に導くためである。【０１０２】  図６には試料を分離・秤量チップに導入し、当該試料を検体成分と非検体成分に分離して、なおかつ分離した検体成分を秤量した上、３分割する過程を示す。まず、図６（ａ）に示すように、試料導入口３０１よりピペット等を用い、試料６０１を試料溜３０２に導入する。その後にＣを回転軸としてチップを回転させる。回転中、遠心力が図中のＦの方向に印加され、その結果、図６（ｂ）に示すように試料６０１が分離流路３０３へと移動していく。同図中の丸印６０２は、試料６０１の分離流路での先頭部分を指示しており、当該部分の拡大図を図７に示す。本図に示すように試料は分離流路３０３中において、遠心加圧側に比重の大きい非検体成分７０１と、その反対側に比重の小さい検体成分７０２と分離されていきながら、その進行方向７０３へと進行していく。このような非検体成分と検体成分の分離は、試料６０１が進行していき、図６に示すように多段に配設された分離流路３０３の下段に達するほど、回転軸Ｃからの距離（回転半径）が大きくなるために、試料に印加される遠心力が大きくなり、より顕著に進行する。そして、図６（ｃ）に示すように試料６０１の先頭が非検体成分蓄積槽３０４に到達する直前には、当該先端部の試料はほとんど検体成分と非検体成分の分離が完了している。【０１０３】  図８には図６に引き続き、本発明の分離・秤量チップの回転中の当該チップ上の非検体成分蓄積槽、検体成分秤量槽、廃液槽での試料の流れを説明する図を示す。同図（ａ）は、検体成分と非検体成分の遠心分離がほぼ完了した試料８０１が非検体成分蓄積槽３０４に流入するのに伴い、当該槽３０４の遠心加圧方向Ｆ側に非検体成分８０２が、その上部には検体成分８０３が分画されるように収容されていく様子を示している。そして、試料８０１がさらに流入すると、同図（ｂ）に示すように、検体成分の喫水線が非検体成分蓄積槽３０４と連結路Ａ８０４の輪郭線の交点の内、より遠心加圧方向側の交点８０８を通過する回転軸Ｃを中心とする円の軌跡８０９よりも回転中心側に転じると、直ちに連結路Ａ８０４を介して、検体成分秤量槽Ａ３０５へと流れ込み、そこに蓄積されていく。この連結路Ａ８０４において、検体成分が澱みなく検体成分秤量槽Ａ３０５へと流れ込むよう、分離流路と同様に、少なくとも連結路流路の遠心加圧方向側に位置する側壁輪郭線上の任意の点において、検体成分の進行方向に延伸する側壁輪郭線接線と、当該点と回転軸上の点を通過する線となす角が、９０度未満となるように連結路Ａ８０４は設計されている。以下に述べる連結路Ｂ乃至Ｄにおいても同様である。【０１０４】  図８（ｃ）に示すように、さらに試料が非検体成分蓄積槽３０４に流入してくると、当該槽内の非検体成分の比率は増加し、検体成分は検体成分秤量槽Ａに流入して、そこでの検体成分の喫水線が検体成分秤量槽Ａと連結路Ｂ８０５の輪郭線の交点の内、より遠���加圧方向側の交点８１１を通過する回転軸Ｃを中心とする円の軌跡８１２よりも回転中心側に転じると、直ちに連結路Ｂ８０５を介して、検体成分秤量槽Ｂ３０６へと流れ込み、そこに蓄積されていく。最終的には図８（ｄ）に示すように、検体成分秤量槽Ｂ３０６と同Ｃ３０７のそれぞれ連結路Ｃ８０６と同Ｄ８０７の輪郭線の交点の内、より遠心加圧方向側のそれぞれの交点８１３と８１５を通過する円の軌跡８１４と８１６を喫水線として検体成分秤量槽Ｂ３０６と同Ｃ３０７を満たし、検体成分の一部は廃液槽３０８へと流れ込み、非検体成分蓄積槽３０４へと流れ込む試料が無くなった所で、これらの検体成分と非検体成分の移動は終了する。この後にチップの回転を停止する。【０１０５】  検体成分秤量槽Ａ乃至Ｃに蓄積された検体成分の喫水線は、連結路の位置から予め予想できるものであるから、その他検体成分秤量槽の形状寸法により、各槽に検体成分を秤量して蓄積することができる。以上のことから本発明の分離・秤量チップにより、一度のチップの回転で、試料の検体成分と非検体成分の分離と当該分離した検体成分の複数区画への分割とそれぞれの秤量が実現できる。【０１０６】  図７（ｄ）において、本来非検体成分蓄積槽３０４上部と廃液槽３０８中には検体成分は無く、検体成分秤量槽にのみそれがあることが望ましいが、分離・秤量する試料の非検体成分と検体成分の比率が一定ではなく、幅があることが多いため、ある程度は許容せざるを得ない。一例として、血液を試料とした場合、当該血液に含まれる検体成分である血漿成分の容積比は、成人男性：３６〜４８％、成人女性：３４〜４３％（非特許文献１による）であり、ある程度の幅を有する。実際的には検体成分比率が最も低い場合を想定し、かつ秤量する検体成分容量から導入する試料容量、非検体成分蓄積槽、検体成分蓄積槽、廃液槽の形状寸法、チップ上でのそれら槽の配設位置を決定する。また、分離流路３０３の長さは、長ければ長いほど検体成分と非検体成分の分離をより確実にするが、チップ上の占有面積の都合からはできるだけ短いほうが望ましい。通常はチップの回転数と回転半径から決定される遠心力等を勘案して決定する。【０１０７】
【非特許文献１】「臨床検査法提要  改訂第３１版」  金井  泉  原著、金井正光  編著、金原出版株式会社  ｐ．２７１
【０１０８】  図３に示した分離・秤量チップにおいて、試料中の非検体成分を蓄積する非検体成分蓄積槽３０４は、試料が分離流路３０３を通過した後に１箇所のみ配設されていたが、もちろん連絡路を介して複数の非検体成分蓄積槽を接続、配設しても良い。さらに、分離流路途中に試料体積に比して小さい非検体成分蓄積槽を多数配設することによっても図３と同じ効果が得られる。このような分離・秤量チップの一例を図９に示す。同図に示すチップは、回転軸Ｃ側から試料導入口３０１、試料溜３０２、多段構成されている分離・非検体成分蓄積流路９０１、複数（３個）の検体成分秤量槽、廃液溜槽３０８、空気抜き穴３０９という順に連結されている。図３に示したチップと異なる点は、非検体成分蓄積槽３０４を廃している点と、分離・非検体成分蓄積流路９０１の遠心加圧方向側の側壁に半円状の突起を多数設けている点である。上記試料導入口より、試料を導入し、図中のＣを中心としてチップを回転させると、図３の場合と同様に試料は分離・非検体成分蓄積流路９０１へと移動していく。【０１０９】  試料が分離・非検体成分蓄積流路９０１を移動していくときの様子を、図９中の分離・非検体成分蓄積流路９０１の一部９０２の拡大図である図１０で説明する。試料６０１が分離・非検体成分蓄積流路９０１を流れてくる過程において、当該流路の遠心加圧方向側にある半円状の突起、非検体成分蓄積部１００１には試料が満たされる。当該非検体成分蓄積部１００１は遠心加圧方向側に位置するので、主に試料中の比重の大きい非検体成分が蓄積される。当該非検体成分とともに検体成分も一旦蓄積されたとしても、後から到達する試料中の非検体成分がそこに蓄積され、上記検体成分を半円状の突起１００１から溢れさせ、試料ともに下流側へと流れていく。このような過程を繰り返し、同図に示すように各々の非検体成分蓄積部１００１に非検体成分のみが蓄積されるようになると、上流から到達する試料は素通りして下流へと流れていく。このときの蓄積された非検体成分と下流へと流れていく試料の界面は、各々の非検体成分蓄積部の下流側の端点（図中、各々、１００２、１００３、１００４）を通過するチップ回転軸を中心とする円の軌跡（図中、各々、１００５、１００６、１００７）で表される。このような突起を多数、流路途中に配設することによって、徐々に試料中の非検体成分をそこに蓄積して、試料中から除去し、最終的に図９の検体成分秤量槽Ａ３０５に到達するまでには、検体成分のみがそこに到達するようにする。【０１１０】  図３の分離・秤量チップの場合と同様に、このすべての非検体成分蓄積部に蓄積される非検体成分の容積の総和は、分離する試料量と非検体成分比率より自ずと決まる。また、個々の突起に検体成分を含まず、非検体成分のみを蓄積するためには、できるだけこの突起の容積を小さくして多数配設することが望ましいが、これは分離・非検体成分蓄積流路９０１を長くすることと関連しているので、両者の兼ね合いにより決定する。さらにこのような非検体成分蓄積部の突起は、本例で示した半円状のものに限らず、三角形や四角形などの多角形でも良い。【０１１１】  このようにして検体成分秤量槽３０５へと流入していった検体成分は���図３の分離・秤量チップの場合と同様に、図１１に示す如く蓄積、秤量される。すなわち、検体成分秤量槽に蓄積された検体成分の喫水線は、回転軸Ｃを中心とした円で表され、当該円は検体成分秤量槽とその下流に配設された連結路との遠心加圧方向側の交点を通過する。同様に同図中の検体成分秤量槽３０６、ならびに３０７においても検体成分が蓄積秤量され、余分な検体成分は廃液槽３０８へと蓄積される。上述のように分離・非検体成分蓄積流路９０１の遠心加圧方向に配設された非検体成分蓄積部には非検体成分が蓄積されているが、導入される試料中の非検体成分と検体成分の比率には幅があり、これを考慮して非検体成分蓄積部の寸法形状や配設個数を決める。したがって、多くの場合においては図中の１１０２に示す検体成分秤量槽３０５に至る直前で、既に試料中の非検体成分は除去されているため、当該部分の非検体成分蓄積部には検体成分が蓄積されているようになる。以上述べた分離・秤量チップによって、一度の回転操作で試料の検体成分と非検体成分の分離を行い、なおかつ分離した検体成分を少なくとも一つの分画に蓄積秤量することが可能となった。【０１１２】＜第二実施態様＞
図３に示した分離・秤量チップにおいて、より確実に、また比較的短い分離流路で検体成分と非検体成分の分離を実現するために、図１２に示すように分離流路３０３の少なくとも一部の幅、すなわち流路の断面積が小さくなっている部位１２０１を形成する。特にこのような表面における水の接触角は６０度以上の疎水性の性質を持つような材料で覆われていることが望ましい。このようにすることによって、導入した試料は流路表面との間に毛細管力が作用し、特にこの１２０１部のように断面積を小さくした部位においては顕著となるため、試料がこの１２０１部を通過するためには、より高い力必要となり、そこを通過しにくくなる。したがって、試料が１２０１部を通過できない程度の遠心力を、Ｃを回転軸としたチップ回転で生起する。遠心力の制御は回転数で行い、これを第１の回転数とする。試料は分離流路下流へと移動することができず、その大部分は試料溜３０２内に留まり、そこである程度の検体成分と非検体成分の分離を行う。その後に第１の回転数よりも高い、第２の回転数まで回転数を増加させる。これに伴い遠心力も増加することから、ある程度検体成分と非検体成分の分離が進行した血液は、１２０１部を通過し、分離流路下流へと検体成分と非検体成分の分離をより進行させながら進行していき、図３の場合と同様に非検体成分蓄積槽３０４に非検体成分を蓄積し、その下流の検体成分秤量槽に検体成分を蓄積、秤量させ、余った検体成分は廃液溜槽３０８に蓄積することができる。【０１１３】  このようにある程度検体成分と非検体成分の分離を進行させた試料を、分離流路３０３に導くことで、当該分離に要する分離流路３０３の全長を図３に示した場合よりも短くすることができる。または、当該分離流路長はそのままでも第２の回転数を、図３に示した分離・秤量チップの場合の回転数よりも低くできる。さらに第１の回転数をより高くすることができれば、試料溜３０２内で試料の検体成分と非検体成分の分離をより進行させることができ、結果として分離流路を短く、また第２の回転数を低くすることができる。これによりチップ面積の縮小、または外部回転装置に及ぼす負荷を低減することができる。そのためには、１２０１部の少なくとも一部の流路幅をより狭くして、そこの断面積を小さくすることと、当該部分の表面の接触角を大きくさせれば良い。チップの作製に用いられるＰＥＴやＰＣなどの樹脂の多くは、もともと７０〜８０度の接触角を有するので、特に表面処理を施さなくてもある程度は有用であるが、より高い接触角を得るために、１２０１部の少なくとも一部をフッ素樹脂、シリコーン樹脂などの接触角の高い樹脂で覆うことが効果的である。また図１２においては分離流路９０１の一部の断面積が小さくなっていたが、もちろん分離流路全体にわたって当該断面積が小さくなっていても良い。【０１１４】  以上述べたような、分離流路の一部の部分の流路断面積を小さくすることや、当該流路一部の表面の接触角を大きくして、第１の回転数である程度の検体成分と非検体成分の分離を進行させるという手法は、当然図９に示した分離・非検体成分蓄積流路を有する分離・秤量チップにおいても適用できる。【０１１５】＜第三実施態様＞
図１３には本発明の混合チップを示している。チップの作製方法等は図１、図２で説明した分離・秤量チップと同様である。本チップは２種の試薬試料等の液体試料をチップ上に導入した後に、チップ回転させ、その時生起する遠心力により、両者を混合し、均質な混合試料を得るチップであり、基本的な混合操作の手順は以下の通りである。同図の試料導入口Ａ１３０１と試料導入口Ｂ１３０２より、それぞれ試料ＡとＢを試料溜Ａ１３０３と試料溜Ｂ１３０４に導入する。その後にＣを回転軸としてチップを回転させ、Ｆの方向に遠心力を生起させる。すると試料Ａと試料Ｂは、それぞれ合流流路Ａ１３１１と同Ｂ１３１２を経て、合流部１３０５に向かって移動を始める。そして試料ＡとＢを合流した後に混合流路１３０６に導き、当該流路の移動中に両試料を均質に混合する。そして、このような混合流路１３０６を通過し、混合された試料は、混合試料溜槽１３０７に蓄積されていく。すべての試料が混合試料溜槽１３０７に蓄積された後に、チップの回転を停止して、チップ上での混合操作が完了する。以上のように非常に簡単で、短時間に複数の試料の混合が達成できる。【０１１６】  本チップで実際に２種類の試料の混合を行っている箇所は、両試料が合流した後の混合流路１３０６においてである。図１３中に指示している１３１０部の拡大図を図１４に示す。当該流路は図３に示した分離・秤量チップ中の分離流路と同様に、遠心加圧方向Ｆ側の側壁輪郭線上の任意の点において、図５に示したθが９０度近くになるようになっている。一方、遠心加圧方向Ｆと逆側には、多数の三角状の突起１４０１が配設され、これにより狭い範囲で流路幅が狭い流路幅Ａ１４０２または広い流路幅Ｂ１４０３が繰り返し出現するようになっており、このような特徴を有する流路が多段に構成されているのが本混合流路の特徴である。【０１１７】  一般的に、微細な溝流路における液体試料の流れは、レイノルズ数が小さいために層流となる。図１５に示すように、図１４の突起形状が無い流路１５０１に、図示していないが、図１３の試料溜Ａ１３０３と同Ｂ１３０４にそれぞれ試料Ａ１５０２と同Ｂ１５０３を導入して、チップを回転させ、それぞれの合流流路を通過して合流部に達し、両試料を１５０１流路へと導入する。すると両試料は流路内でそれぞれの層を形成したまま下流へと流れて行き、ほとんど両者の混合が進まない。これが層流といわれるものである。したがって、このような微細な溝流路内で複数種類の試料を混合するために、特許文献４に示されるような試料の進行方向を著しく変化させ、乱流を起こさせる構造を有する流路を多数配置した混合流路が開示されている。しかしながら同文献に示される混合流路は、３６０度反転するような流路を多数含むため、チップ回転により生起する遠心力のように、単方向にのみ作用する力を利用して試料の移動を行うことができず、移動手段として外部ポンプ等の付加設備によってこれを行う必要が生じる。【０１１８】
【特許文献４】  特開２００４−２９４４１７号公報
【０１１９】  微細な溝流路において複数種類の試料の混合に寄与する一つの現象は拡散である。拡散現象により混合を促進するためには、当該流路内での滞在時間を長くすることが必要であり、この要求に応えるために図１３の混合流路１３０６のようにチップ回転に由来する遠心加圧方向Ｆに対して直交しているのに近い流路を折り返し多段に構成している。これにより、狭いチップ占有面積で比較的長い流路長を確保し、また遠心加圧方向と流路内を流れる試料の進行方向がほぼ直交していることから、試料の遠心力に由来する進行速度を極力抑制し、当該混合流路内での試料の滞在時間を長くしている。【０１２０】  図１３の混合流路１３０６の特徴である多くの突起形状構造は、図１４の拡大図においても明らかのように、試料の短い移動距離間に流路幅が大きく変化する構造を与えていることになり、このような構造が流路内を進行する試料の乱流発生を促進し、結果として混合を促進する。本来このような突起形状構造を、混合流路の両側（遠心加圧方向とその逆方向）に配設することがより高い混合効率を得るためには望ましいが、遠心加圧方向にこのような構造を与えると、図９の分離・非検体成分蓄積流路９０１と同様に、当該構造内に試料が蓄積されてしまうため、本発明の混合流路においては遠心加圧方向と逆方向側の側壁にのみこのような構造を与えた。このような構造の場合、層流をしている２種類の試料の遠心加圧方向と逆側を流れる一方の試料側で優先的に乱流が生起し、混合が進むことになり、均一に混合が進むとは言い難い。【０１２１】  しかし、図１５の突起形状構造を含まない流路における層流現象から明らかのように、流路内の試料の進行方向が３６０度近く反転する折り返し部１５０５の前後で、例えば図中の試料Ａ１５０２は、折り返し部１５０５に到達する前は遠心加圧方向と逆側の流路側壁に沿って下流へと進行しているが、折り返し部１５０５通過後には遠心加圧方向側の側壁に沿って、下流へと進行するようになる。このように折り返し流路の前後において、試料ＡとＢの遠心加圧方向に対する位置関係が逆転する。すなわち、このような突起形状構造が流路の片側にのみにしか無くても、折り返し流路によって、混合流路を図１３のように多段構成にすることで、均質な混合を達成することができるのである。なお、本例では三角状の突起を形成していたが、半円もしくは多角形形状でも良い。【０１２２】＜第四実施態様＞
図１６には図１３に示した混合チップの混合試料溜槽１３０７を排して光学測定セル１６０１を付与したチップの分解斜視図を示している。当該チップは図の基板Ａ１０１と基板Ｂ１０２を貼り合わせて作製する。特に基板Ｂ１０２の貼り合わせる面側の表面には、近紫外光域あるいは可視光域で高い光学反射率を有する薄膜で覆われておることが特徴である。図１７には、本チップの上面図を示している。試料Ａと同Ｂをそれぞれ同図の試料導入口Ａ１３０１と同Ｂ１３０２より、試料溜Ａ１３０３と同Ｂ１３０４に導入し、Ｃを回転軸としてチップを回転させ、Ｆの方向に遠心力を生起させる。試料Ａと同Ｂは混合流路１３０６へと導かれ、当該流路の移動中に両試料を均質に混合する。このような混合流路１３０６を通渦し、混合された試料は、光学測定セル１６０１に蓄積されていく。当該光学測定セル１６０１を満たした後に余分な試料はすべて廃液溜槽３０８に収容される。このような試料の移動が完了したならば、チップの回転を停止する。【０１２３】  このように複数の試料を混合した後に、光学測定セル１６０１において光学測定を行う。従来、特許文献４に示されるように光学測定セル中の光の進行方向はチップ平面に対し平行方向にあり、セル端面より光を入射、セル内を透過させ、反対側のセル端面より出射させて、これを光検出器で受光することで測定を行っていた。図１８には光学測定セルの側面図と、測定光学光路を説明する図を示している。同図の（ａ）、（ｂ）においても、光学測定セル中の光の進行方向はチップ平面に対しほぼ垂直であることが本発明の第１の特徴である。また、光学測定セルの光を入射する面と対向する面に、光学的反射率の高い材料で被覆された面を設置しており、これによりセル内を光が往復できるようになるので、実効的な光路長は維持したままセル長を従来の透過測定の場合と比較して半分にすることができる。これが第２の特徴となっている。【０１２４】  図１８（ａ）では、混合した試料１８０１で満たされた光学測定セル１６０１の上方から、チップ平面に対してほぼ垂直に光源１８０２から出射した光１８０３を光学測定セル槽内へと導入する。当該光源から光学測定セルまでの間に、光を単色化するために帯域フィルターを挿入したり、光を集光するためにレンズを挿入する場合もある（図示しない）。また光の減衰をできるだけ抑制するために、少なくとも光学測定セル上部の光が通過する光学窓１８０７は、少なくとも通過する光の波長領域で高い透過率を有する材料で構成されていることが望ましい。また、当該光学窓自体を平凸レンズ等のレンズ形状に加工しておいて光を集光しても良い。このように光学測定セル内に導かれた光は、セル内の試料１８０１に吸収されながら基板Ｂ１０２表面を覆う光学反射率の高い薄膜１６０２に到達し、そこで正反射して、再度セル内へと入射した面に到達する。ここで光学反射率の高い薄膜１６０２は少なくとも光学測定セルと接する部分を覆っていることが望ましい。また、ここでは基板１０２に光学反射率の高い薄膜を被覆した例を示したが、基板１０２自体が光学反射率の高い材料で構成されていても良い。そしてチップ外へと出射して、光検出器へと到達し、信号として検出される。この光検��器と光学測定セル槽との間に、光を単色化するために帯域フィルターを挿入したり、光を集光するためにレンズを挿入する場合もある（図示しない）。【０１２５】  図１８（ｂ）では、光源１８０２と光学測定セル槽１６０１の間に半透鏡１８０６を挿入する。これによってチップ平面に対しほぼ垂直に光源１８０２を出射した光１８０３は、当該半透鏡に入射して、その一部はそのまま直進して光学測定セル槽１６０１へと導入される。そして試料１８０１に吸収されながら、光学反射率の高い薄膜１６０２部分で正反射され、再度半透鏡１８０６に入射し、そこで進行方向を９０度変えて、光検出器へと到達し、信号として検出される。ここではキューブ型の半透鏡の例を示したが、もちろんプレート型の半透鏡を用いても良い。【０１２６】＜第五実施態様＞
図１９には、秤量チップの一例を示しており、図２０には本チップの分解斜視図を示している。本チップは試料導入口３０１より試料を試料溜３０２に導入し、第１の回転軸Ｃ１を中心としたチップの回転により生ずる遠心力で、当該試料を連結路Ａ８０４を介し、秤量槽１９０１へと導く。この際、秤量槽１９０１の遠心加圧方向に試料が蓄積され、その喫水線は、図８の検体成分秤量槽の場合と同様に、秤量槽に接続される連結路Ｂ８０５の交点を通過する、第１の回転軸Ｃ１を中心とする円の軌跡で表される。（図２１）そしてこの第１の回転軸側に喫水線を超えた試料は、連結路Ｂ８０５を介して廃液槽３０８へと排出、蓄積される。排出された試料も、廃液槽３０８の遠心加圧方向に蓄積され、その喫水線は、やはり第１の回転軸Ｃ１を中心とする円の軌跡で表される。【０１２７】  このような手法は一般的によく用いられており、特に微量の試料の秤量に多く適用されている。しかしながら、例えば血液を試料として、これから分離抽出した血漿や血清を検体成分とし、これを試薬試料と混合して、その発色程度を光学測定により見積もる比色法においては、血漿や血清の体積に比して２０倍乃至１００倍という大容量の試薬試料との混合を行う必要がある。例えば血漿や血清試料の容量を１マイクロリットル（１／１０００ｃｃ）とすると、２０乃至１００マイクロリットルの試薬試料と混合する場合がある。このような大容量の試薬試料を秤量するには、比較的大きなチップ占有面積で、かつ深い秤量槽が必要となる。【０１２８】  図２１に示すようにチップの回転を止め、秤量操作が完了した後の秤量槽１９０１の斜視図を図２２に示す。同図（ａ）は理想的に秤量が完了したときの様子を表しており、このように槽内で試料が蓄積されることを予想し、秤量槽１９０１の寸法形状や連結路Ｂ８０５の秤量槽１９０１への取り付け位置等を決定し、秤量を行っている。しかしながら実際には、槽の表面の親水性、疎水性の度合いや、試料の表面張力（多くは水のそれとほぼ等しい）により、メニスカス現象が生じ、同図（ｂ）中の丸印内に示すようにチップの奥行き方向の喫水線が湾曲する場合が多い。この場合は表面の接触角が９０度以下であり、槽の試料蓄積側に湾曲しているが、接触角が９０度以上の疎水性の場合には逆側に盛り上がるように湾曲する。このような湾曲形状は、図２３に示す秤量槽の側面図のように、一次近似として槽の深さを直径（図中の半径Ｒの２倍）とする半円で表されるので、この深さが深いほど湾曲が顕著になる。【０１２９】  すなわち、チップを回転して遠心力を印加している間は図２２（ａ）に示すように試料は理想的に秤量槽に蓄積されているが、回転を停止すると槽表面の濡れ性如何で喫水線が湾曲する。湾曲を抑制するためには、槽表面の接触角を９０度にすればよいが、それによりチップ材料の制約を受けたり、接触角が９０度の材料を表面に被覆するなどの手間がかかる。また、秤量槽全体の深さを、メニスカス現象が無視し得るほど浅くすればよいが、そうすると槽の上面面積が大きくなり、チップ全体の面積が大きくなってしまい得策ではない。この回転終了後の喫水線の湾曲は、図２４に示すように、喫水線の位置が変化することを示し、秤量槽の形状によっては図中の矢印のように各連絡路へ試料が移動してしまう可能性がある。このような現象は、当該秤量操作後に行う秤量した試料の遠心輸送に障害を及ぼすことから好ましくない。そこで本発明では、ほとんどの試料は深さの深い遠心加圧方向に位置する秤量槽に蓄積し、喫水線を含む秤量槽の一部においては深さが浅くなっている構造の新規秤量槽を提供する。【０１３０】  図２５には本発明の秤量槽の構造の透過斜視図を示している。同図（ａ）は、従来の秤量槽の遠心加圧方向に位置する試薬蓄積部の深さはそのままにして、喫水線のわずかに遠心加圧方向側で、槽の深さが浅くなるようになっている。このようにすると、試料の喫水線では、槽の深さが浅いために、メニスカス現象に由来する試料の深さ方向の湾曲は、従来の場合と比して大きく緩和される。この場合では、試料喫水線の遠心加圧方向とは反対側の秤量槽の深さを全体的に浅くしているが、メニスカス現象は喫水線部でのみ起こるので、必ずしも試料喫水線の遠心加圧方向とは反対側の全体を浅くする必要はない。同図（ｂ）の秤量槽では、試料喫水線の遠心加圧方向とその逆方向を幅とする帯状の槽深さが浅い構造が示されており、試料喫水線部分の深さが浅くなっているので、これでも同図（ａ）と同じ効果が得られる。【０１３１】  図２６には図２５の透過斜視図を上面図にしたものを示している。同図（ａ）では、試料喫水線２１０１のわずかに遠心加圧方向に秤量槽の深さが深い部分と浅い部分の境界２６０１があり、ほとんどの試料はこの境界よりも紙面の下方向、すなわち遠心加圧方向に蓄積されている。そして試料喫水線部分では槽の深さが浅くなっているために、メニスカス現象に由来する試料の深さ方向の湾曲は無視でき、試料が移動してしまうようなことはない。同図（ｂ）では試料喫水線２１０１の両側に、秤量槽の深さが深い部分と浅い部分の境界２６０１があり、当該喫水線部分の槽の深さは浅くなっている。このように試料喫水線を含むわずかな秤量槽部分の深さが浅ければ良く、必ずしも（ａ）のように喫水線より遠心加圧方向と逆方向のすべての秤量槽部の奥行きを浅くする必要はない。本発明の秤量槽の構造により、槽の上面面積は従来の場合とほとんど変わらない上、多量の試料を秤量した後の試料のメニスカス現象に由来する移動は極力排除できる。また本発明の秤量槽構造は、秤量槽だけにとどまらず、多量の試料を蓄積するチップ上の種々の槽において適用することができる。【０１３２】＜第六実施態様＞
上述した、チップを回転させたときに生じる遠心力のみで、試料より検体成分と非検体成分の分離、検体成分の秤量、複数の試料の均質な混合、大容量の試料の秤量を行う機構装置を融合して、検体成分を含む試料を導入して、測定対象成分を分析する本発明の検体分析チップを示す。当該チップにおいて、すべての試料の搬送、秤量、混合、ならびに検体成分と非検体成分の分離等は、装置を回転させたときに生じる遠心力により行うことを特徴としている。さらに、これらのさまざまな機能を集積して、複数の測定対象成分を分析可能とし、なおかつ装置の大型化、特に大面積化を抑制するために、装置の溝流路をチップ平面内に配設するのみでなく、このような平面内に溝流路を配設した複数の基板を積層することで、立体的に溝流路を配設する。このように溝流路を立体的に配設することより、チップの厚みは増すが、光学測定を行うセル槽の光路方向をチップ平面に対し、鉛直方向に配設することで、この厚みを有効的に利用する。【０１３３】  本発明の検体分析チップの一つの適用例として、血液を試料とした場合の基本的な測定手順は、上述のように（１）試料である血液の導入、（２）非検体成分である血球と検体成分である血漿の分離、（３）分離した血漿の秤量、（４）少なくとも１種類の試薬試料の秤量、（５）秤量した血漿および試薬試料の混合、（６）光学測定、から成っている。本発明では、比色測定分析の典型的な例として、血漿に、試薬試料Ａを混合し、この混合した試料を試薬試料Ｂとさらに混合した後に、光学測定を行うという、２種類の試薬試料を用いる分析に対応し、かつ同一チップにより３項目の測定対象成分を分析する検体分析チップの一例を示す。図２７の分解透過斜視図に示すように、本チップは溝流路を形成してある基板Ａ２７０１、基板Ｂ２７０２、基板Ｃ２７０３の３つの基板から成り、それぞれ基板Ａ２７０１と基板Ｂ２７０２の界面ならびに基板Ｂ２７０２と基板Ｃ２７０３の界面には所々に貫通穴を設けた接着板Ａ２７０４と接着板Ｂ２７０５を介して接着して、一体のチップとしている。【０１３４】  基板各層の構造を図２８乃至図３０に、接着板ＡとＢの構造を図３１に示す。さらに図３２にはこれらの基板を接着板を介して貼り合わせて一体とした本検体分析チップの透過斜視図を示し、特に光学測定セル部３２０１の詳細を図３３に示す。光学測定セルＡ３３０４は、図２９中の光学測定セル１Ａ２９１６と図３０中の光学測定セル２Ａ３０１７が結合して形成したものであり、そのセルの両端は、セル部に貫通穴を形成してある接着板Ａ２７０４と接着板Ｃ３３０３を介して、光学窓Ａ３３０１と光学窓Ｂ３３０２により蓋がされている。光学測定セルＢ３３０５ならびに同Ｃ３３０６についても同様である。【０１３５】  図３４には試料である血液を採取するための採血装置の一例を示しており、採血用針３４０１、変換パイプ３４０２、血液溜めパイプ３４０３を連結接着した構造からなっており、これらの間は連通している。採血用針３４０１の変換パイプ３４０２と接続されている側と反対側の端面は、皮膚や血管を痛みが少なく穿刺できるように鋭く研磨されている。血液溜めパイプ３４０３は、採取した血液を蓄積しておくためのものである。当該採血装置はガンマ線照射などの処理により滅菌されており、血管に採血用針３４０１を導き、血液を採取して、血液溜めパイプ内にこれを必要量蓄積した後に針を血管から抜いて、採血操作を完了する。そしてこの血液を蓄積した採血装置を、そのまま検体分析チップの試料導入口２８０１に導入する。もちろんこのような採血装置を用いることなく、血液等の試料を当該試料導入口２８０１に直接導入してもよい。また、同時に試薬試料１Ａ導入口２８０２乃至試薬試料１Ｃ導入口２８０４より３種類の試薬をそれぞれ試薬試料１Ａ溜槽２８０５乃至試薬試料１Ｃ溜槽２８０７へ導入する。【０１３６】  図３５にはこの様子を示す。ここでは見易くするために１層目の基板Ａ２７０１のみ図示する。この後同図中のＣ１を回転軸としてチップを回転させる。（第１のチップ回転）採血装置３５０１に蓄積されていた血液は、第１の遠心加圧方向Ｆ１方向へと、すなわち分離流路２８０８へと移動していく。当該分離流路２８０８では、上記第一実施態様で説明した図３中の分離流路３０３の場合と同様に、血球と血漿の分離が進行しながら、血液が下段の方へ移動していく。そして非検体成分蓄積槽Ａ２８０９ならびに同Ｂ２８１０まで到達すると、そこに分離された血球成分が捕獲され、その下流に位置する検体成分秤量槽Ａ２８１１乃至同Ｃ２８１３に分離された血漿が秤量、蓄積され、余分な血漿成分は、廃液溜槽２８１７へと蓄積される。ここでは図３に示した分離流路を用いた例を示したが、もちろん図９に示した非検体成分蓄積部を含む分離流路を用いても良い。また第二実施態様に示したように、これらの分離流路の一部の断面積が他の部分よりも小さい構造（図１２）、あるいは当該分離流路の一部に疎水性を有する膜を塗布した構造で第１と第２回転数で、分離、秤量操作を行っても良い。【０１３７】  一方、試薬試料１Ａ溜槽２８０５乃至同１Ｃ溜槽２８０７に導入された３種類の試薬試料、試薬試料１Ａ３５０２乃至同１Ｃ３５０４は、Ｃ１を回転軸としたチップの回転により、それぞれ秤量槽１Ａ２８１４乃至同１Ｃ２８１６へと移動していく。この秤量槽は、第五実施態様の図２６で説明したように、秤量時に形成される試薬試料の喫水線部分を少なくとも含む当該槽の一部の部分の深さが局所的に浅くなった構造をしている。ここでは一定量の試薬試料をそれぞれの秤量槽で蓄積し、余分な試薬試料は、それぞれの秤量槽よりも遠心加圧方向に位置する廃液溜槽Ａ２８１７に蓄積される。このＣ１を中心とする第１のチップ回転後の様子を図３６に示す。【０１３８】  図３６に示す如く、分離流路２８０８で分離された血液は、血球成分を非検体成分蓄積槽Ａ２８０９ならびに非検体成分蓄積槽Ｂ２８１０に蓄積して、同時に一部の血漿成分は当該非検体成分蓄積槽Ｂ２８１０に蓄積されるが、検体成分秤量槽Ａ２８１１乃至同Ｃ２８１３にも秤量、蓄積される。非検体成分蓄積槽Ｂ２８１０に蓄積される血漿量は検体の血液の血球と血漿の成分比に依存して変化するが、その成分比の範囲は概ね明らかであることから、本検体分析チップに導入する血液量から、非検体成分蓄積槽Ａ２８０９ならびに非検体成分蓄積槽Ｂ２８１０の容積を決定してある。すべての槽に蓄積されている血球、血漿成分を含む液体の喫水線は、第１の回転軸Ｃ１を中心とし、かつ各々の槽に接続されている下流側の流路の遠心加圧方向の側壁を通過する円で表されるので予め、蓄積される液体の容積は既知である。よって血漿成分３６０１は検体成分秤量槽Ａ２８１１乃至同Ｃ２８１３の各槽に秤量蓄積され、同様に３種類の試薬試料は、それぞれ秤量槽１Ａ２８１４乃至同１Ｃ２８１６に、秤量された試薬試料１Ａ３６０２乃至同１Ｃ３６０４として蓄積される。【０１３９】  次にこのように秤量して、３分割した血漿成分と３種の試薬試料をそれぞれ混合（第１混合）する。これと同時に、この混合した１次混合試料と、その後に混合する３種の第２の試料試薬をそれぞれ秤量する。そのために、まず図３５において、試薬試料２Ａ導入口Ａ２８２４乃至同２Ｃ導入口Ａ２８２５を介し、試薬試料２Ａ、同２Ｂ、同２Ｃの３種類の試料試薬を検体分析チップにそれぞれ導入する。これらの導入口は、図２７乃至図３１より明らかのように、接着板Ａ２７０４の試薬試料２Ａ貫通穴３１１０乃至同２Ｃ貫通穴３１１２を介し、第２層の基板Ｂ上の試薬試料２Ａ導入口Ｂ２９１０乃至同２Ｃ導入口Ｂ２９１２にそれぞれ接続され、さらにこれらの基板Ｂ上の導入口は、接着板Ｂ２７０５の試薬試料２Ａ溜槽貫通穴３１３０乃至同２Ｃ溜槽貫通穴３１３２を介し、第３層の基板Ｃ上の試薬試料２Ａ溜槽３００１乃至同２Ｃ溜槽３００３に接続されている。結局、上記の検体分析チップに導入した３種類の試薬試料２Ａ、同２Ｂ、同３Ｃは、それぞれ試薬試料２Ａ溜槽３００１乃至同２Ｃ溜槽３００３に蓄積される。そしてこの後に図３５の第２の回転軸Ｃ２を中心としてチップを回転する。（第２のチップ回転）回転に伴い第２の遠心加圧方向Ｆ２に遠心力が印加される。【０１４０】  すると図３６に示した３分割に秤量された血漿３６０６ならびに秤量された３種類の試薬試料１Ａ３６０２乃至同１Ｃ３６０４は、第２の遠心加圧方向Ｆ２に移動を開始する。まず３分割されている血漿成分は、それぞれ検体成分秤量槽Ａ接続部Ａ２８１８乃至同Ｃ接続部Ａ２８２０から、接着板Ａ上の検体成分秤量槽Ａ貫通穴３１０４乃至同Ｃ貫通穴３１０６を介し、第２層の基板Ｂ２７０２上の検体成分秤量槽Ａ接続部Ｂ２９０１乃至同Ｃ接続部Ｂ２９０３へと到達し、最終的には１次混合槽１Ａ２９０７乃至同１Ｃ２９０９に蓄積される。また、図３６に示した秤量された試薬試料１Ａ３６０２乃至同１Ｃ３６０４も同様に、秤量槽１Ａ貫通穴３１０１乃至同１Ｃ貫通穴３１０３を介し、第２層の基板Ｂ２７０２上の秤量槽１Ａ接続部Ｂ２９０４乃至同１Ｃ接続部Ｂ２９０６へと到達し、最終的には秤量された血漿の移動先とそれぞれ同一の１次混合槽１Ａ２９０７乃至同１Ｃ２９０９に蓄積される。この様子を図３７に示す。（第２層基板Ｂのみ図示）【０１４１】  秤量された血漿ならび試薬試料１Ａ乃至１Ｃが、これらの１次混合槽に至る過程、および当該混合槽内において、両者がよく混合されるための方策は、特には施していない。通常、この血漿と第１の試薬試料を混合した後に、５分乃至１０分間程度、３７℃前後まで加温するので、この間に１次混合試料は拡散と昇温時の対流により、均一に混合されることが期待されるからである。もちろん、第３実施態様に示したような混合流路を１次混合槽に至る流路に配設しても良い。また当該１次混合槽は１次混合試料を蓄積するのみで、別段秤量を行っているわけではないが、図３７中の１次混合試料の喫水線３６０６の第２の遠心加圧方向Ｆ２と逆方向側の槽の奥行きが、図２９（ａ）に示すように浅くなっている。これは第五実施態様で説明したように、チップの回転を停止した後に、メニスカス現象により蓄積した１次混合試料が槽外へと移動してしまうのを抑制するためである。【０１４２】  また、上述のように、第１層の基板Ａと第２層の基板Ｂの溝流路を、貫通穴を施した接着板Ａを介して接続するという形態は、本発明の検体分析チップの大きな特徴の一つである。このような多層の基板にまたがった溝流路の透過側面図を図３８に示す。同図の（ａ）は、溝流路Ａ３８０１を形成してある基板Ａ２７０１と、同じく溝流路Ｂ３８０３を形成してある基板Ｂ２７０２とを、両基板の溝流路を連結するための貫通穴３８０２を形成してある接着板Ａ２７０４を介して同図（ｂ）のように接着、一体化する。図中の遠心加圧方向Ｆの方向に遠心力が印加されるようにチップを回転すると、チップ溝流路内の試料は、試料の流れ方向３８０４の方向へと流れ、異なる基板上の溝流路同士の結合が実現できていることが分かる。接着板Ａ２７０４は、貫通穴３８０２では、基板Ａと基板Ｂ上の流路の連結部として作用し、それ以外の部位では、両基板上の流路の一面を構成する壁として作用している。このような構造により、多層の基板にまたがる三次元の溝流路を容易に形成することができ、従来の単層基板に溝流路を形成したときと比較して、小さいチップ面積でより高い機能を集積することが可能となる。同図（ｂ）において、接着板Ａ２７０４の厚みが大きいと、貫通穴３８０２は遠心加圧方向Ｆと直交するために、澱みなく試料を通渦することが困難となってくるので、当該接着板の厚みは極力薄くすることが望ましい。このために一例として、同図（ｃ）に示すように基材３８０５の両側に粘着層３８０６を形成してあるような両面接着板であれば、この厚みを０．１ｍｍ以下にすることが可能である。さらに粘着層３８０６として耐水性を有するものを用いれば、試料に当該粘着層が溶出することを抑制することができる。【０１４３】  上述の第２の回転軸Ｃ２を中心としたチップの回転で、試薬試料２Ａ溜槽３００１乃至同２Ｃ溜槽３００３に蓄積されていた、３種類の試薬試料２Ａ、同２Ｂ、同３Ｃは、図３９（第３層、基板Ｃのみ図示）に示すように第２の遠心加圧方向Ｆ２に位置する秤量槽２Ａ３００４乃至同２Ｃ３００６へと秤量、蓄積される。喫水線３６０６を凌駕する試薬試料はそれぞれ廃液溜槽２Ａ３００７乃至同２Ｃ３００９へと流れ込み、蓄積される。これらの秤量槽２Ａ３００４乃至同２Ｃ３００６の喫水線部分は、図３０（ａ）に示すように、その深さが浅くなっており、チップの回転が停止した後にメニスカス現象で試料が移動しないようになっている。【０１４４】  また、図３６に示したように、第１の回転軸Ｃ１を中心としたチップの回転後に廃液溜槽Ａ２８１７に蓄積されていた廃液３６０５は、引き続いて行われる第２の回転軸Ｃ２を中心としたチップの回転で、図４０に示すように、同じ廃液溜槽Ａ２８１７内で移動するだけで、当該溜槽外へと移動することは無い。【０１４５】  以上のように、第２の回転軸Ｃ２を中心としたチップの回転により、１次混合槽１Ａ２９０７乃至同１Ｃ２９０９（図２９）に蓄積されている秤量された血漿と試薬試料１Ａの１次混合試料３７０１乃至同１Ｃの１次混合試料３７０３（図３７）と、秤量槽２Ａ３００４乃至同２Ｃ３００６（図３０）に蓄積さている秤量された試薬試料２Ａ３９０１乃至同２Ｃ３９０３（図３９）を混合して、それぞれ光学測定セルＡ３３０４乃至同Ｃ３３０６（図３３）に導く。そのために再度第１の回転軸Ｃ１を中心としてチップを回転させる。（第３のチップ回転）すると１次混合槽１Ａ２９０７乃至同１Ｃ２９０９（図２９）に蓄積されている秤量された血漿と試薬試料１Ａの１次混合試料３７０１乃至同１Ｃの１次混合試料３７０３（図３７）は、第１の遠心加圧方向Ｆ１の方向、すなわち、１次混合槽１Ａ接続部Ｂ２９１３乃至同１Ｃ接続部Ｂ２９１５へと移動して行き、下層の接着板Ｂ２７０５（図２７）上の１次混合槽１Ａ貫通穴３１２１乃至同１Ｃ貫通穴３１２３（図３１（ｂ））を介して、第３層の基板Ｃ２７０３上の１次混合槽１Ａ接続部Ｃ３０１１乃至同１Ｃ接続部Ｃ３０１３（図３０）へと導かれる。【０１４６】  図４１には、回転軸をＣ１とした第３のチップ回転中の検体分析チップの状態を示す。（第３層、基板Ｃのみ図示）上記秤量された血漿と試薬試料１Ａの１次混合試料３７０１乃至同１Ｃ３７０３は、それぞれ１次混合槽１Ａ接続部Ｃ３０１１乃至同１Ｃ接続部Ｃ３０１３、合流流路１Ａ３０２０乃至同１Ｃ３０２２を経て、それぞれ合流部Ａ４１０１乃至同Ｃ４１０３へと移動していく。一方、秤量槽２Ａ３００４乃至同２Ｃ３００６に蓄積されていた秤量された試薬試料２Ａ３９０１乃至同２Ｃ３９０３も、この第３のチップ回転に伴い、遠心加圧方向Ｆ２へと移動をはじめ、それぞれ合流流路２Ａ３０２３乃至同２Ｃ３０２５を経て、合流部Ａ４１０１乃至同Ｃ４１０３へと到達する。このとき廃液溜槽２Ａ３００７乃至同２Ｃ３００９に蓄積されていた、廃棄された試薬試料２Ａ３９０４乃至同２Ｃ３９０６も、Ｆ２の方向へと移動するが、同図に示すように、各々の槽内での移動に止まり、槽外へと出て行くことはない。【０１４７】  そして、合流部Ａ４１０１乃至同Ｃ４１０３で出会った、上記秤量された血漿と試薬試料１Ａの１次混合試料３７０１乃至同１Ｃの１次混合試料３７０３と秤量された試薬試料２Ａ３９０１乃至同２Ｃ３９０３は、それぞれ混合流路Ａ３０１４乃至同Ｃ３０１６へと移動して行く。当該混合流路は第三実施態様の図１３で説明した通り、遠心加圧方向と逆方向の流路側壁に突起形状を多数配設してあり、このような流路を折り返し多段にすることで、上記の２種の試料の均質な混合を達成し、それぞれ光学測定セル２Ａ３０１７乃至同２Ｃ３０１９へと導き、そこを満たす。当該光学測定セルは、図２９からも明らかのようにそれぞれ廃液溜槽１Ａ２９１９乃至同１Ｃとも連結されており、当該光学測定セルが混合された試料で満たされると、それ以降当該セルに流入する混合された試料は、この廃液溜槽に収容されるようになる。そしてチップの回転を停止させて、最後に混合された試料で満たされた光学測定セルに対し光学測定を行う。また図４０に示した第２のチップ回転後の廃液溜槽Ａ２８１７中に蓄積されている廃液３６０５は、Ｃ２を回転軸とした第３のチップ回転においても当該廃液溜槽Ａ２８１７中の遠心加圧方向に移動するだけで、当該槽外へと移動することは無い。【０１４８】  図４２には図３３に示した光学測定セル部の透過斜視図の透過側面図を示している。それぞれ測定対象の試料で満たされた３つの光学測定セルＡ３３０４乃至同Ｃ３３０６において、第四実施態様で説明したように、光をセルの片側の窓、例えば光学窓Ａ３３０１から入射し、反対側の光学窓Ｂ３３０２のセルと接する面で反射してきた光を検出器に導き測定を行う。この際、光学窓Ａ３３０１は用いる光の波長領域において、高い透過率を有することが望ましい。さらに、セルに入射した光を反射させる光学窓Ｂ３３０２の表面の少なくともセルと接する面の表面は、入射する光に対し高い反射率を有する材料で被覆されているか、もしくはこのように高い反射率を有する材料で光学窓Ｂ３３０２を構成していることが望ましい。また、このように反射光学系ではなく、光学窓Ａ３３０１ならびに同Ｂ３３０２共に入射する光に対し高い透過率を有する材料で構成し、片方の光学窓、例えばＡ３３０１より光を入射し、対となる光学窓Ｂ３３０２より光を出射させて、これを検出器に導く透過法によって測定を行っても良い。【０１４９】  本実施態様で説明した検体分析チップでは、まず第１のチップ回転により、検体である血液から血漿成分を分離、秤量した上で３分割し、さらに３種類の第１の試薬試料を秤量した。次に第２のチップ回転により、これらの血漿と第１の試薬試料を混合すると共に、３種類の第２の試薬試料を秤量した。そして第３のチップ回転により、血漿と第１の試薬試料の混合試料と第２の試薬試料を混合流路を経て均質に混合した上で、各々光学測定セルに導き、当該セルを被光学測定試料で満たす。最後に３箇所の光学測定セルにおいて反射系あるいは透過系光学測定（吸収測定）を行い、３項目の分析を行う。本発明の検体分析チップのように複数の溝流路を形成した基板を積層することで、チップ面積の肥大化を抑制しつつ、より高い機能、すなわちより多くの分析項目に対応すること、またより多くの試薬試料を用いる検査項目にも対応することが可能である。さらに本実施態様では、血液を試料、血漿成分を検体成分、血球成分を非検体成分として説明したが、もちろんこれに制限されるものではない。
【実施例】
【０１５０】＜実施例１＞
図３に示した分離・秤量チップを、透明ＰＥＴ樹脂基板を用い作製した。当該チップの大きさは２５×２５ｍｍ２で、分離流路３０３の幅は０．３ｍｍ、深さ０．１ｍｍである。このようなチップの試料導入口３０１より５マイクロリットルの試料である血液を試料溜３０２にピペットを用い導入する。本例では、血液中の血球成分が、前記非検体成分、血漿成分を検体成分としている。その後回転軸Ｃを中心としてチップを回転させる。このＣからチップの上辺までの距離は３ｍｍであり、回転数は７０００回転毎分、その加速時間は３秒であった。このようなチップ回転を３０秒間行い回転を停止させた後のチップ上の非検体成分蓄積槽３０４、検体成分秤量槽Ａ３０５乃至同Ｃ３０７ならびに廃液溜槽３０８の周辺を目視ならびに実体顕微鏡で観察した。その写真を図４３に示す。同図に示すように、血球成分７０１はすべて非検体成分蓄積槽３０４に蓄積され、その下流にある検体成分秤量槽Ａ３０５乃至同Ｃ３０７には血漿成分が秤量、蓄積され、余分な血漿成分は廃液溜槽３０８に蓄積されている。このときの各槽の喫水線は、図８で説明したように予め予想できるものであるので、蓄積される試料の面積と各槽の深さから、試料の容積が予め決定できる。図４３に示したチップの場合、検体成分秤量槽Ａ３０５乃至同Ｃ３０７には各０．４マイクロリットルの血漿成分が、非検体成分蓄積槽３０４には、３．４マイクロリットルの血球成分と血漿成分が蓄積されるように設計されている。このように、本発明の分離・秤量チップによって、導入した血液から一度のチップの回転操作により、血球成分と血漿成分の分離と、この分離した血漿成分を複数秤量し、分画することが可能となった。【０１５１】  ＜比較例１＞
図４４には図３に示した本発明の分離・秤量チップの多段に配設された分離流路３０３の代わりに、試料溜３０２よりほぼ最短距離で非検体成分蓄積槽３０４へと接続される流路を設けたチップを示している。その他のチップ寸法、各槽の形状寸法は図４３のチップと全く同じである。本チップを用い、試料溜３０２に５マイクロリットルの血液を試料として導入し、その後回転軸Ｃを中心としてチップを回転させる。このＣからチップの上辺までの距離は３ｍｍであり、回転数は７０００回転毎分、その加速時間は３秒であり、図３のチップでの実施例１と同一である。回転を停止させた後のチップ上の非検体成分蓄積槽３０４、検体成分秤量槽Ａ３０５乃至同Ｃ３０７ならびに廃液溜槽３０８の周辺を実体顕微鏡で観察した。その写真を図４５に示す。同図に示すように、非検体成分である血球成分７０１は検体成分である血漿成分７０２とともに非検体成分蓄積槽３０４、検体成分秤量槽Ａ３０５乃至同Ｃ３０７ならびに廃液溜槽３０８の各槽に共存ながら蓄積されていることが分かる。これは本来望むべく結果ではない。これは図４３のように分離流路が配設されていないチップでは、献球血漿分離が不十分なまま非検体成分蓄積槽３０４へと血液が到達してしまい、血球成分は非検体成分蓄積槽３０４の他、検体成分秤量槽Ａ３０５乃至同Ｃ３０７ならびに廃液溜槽３０８まで達していることを示している。【０１５２】  図４３に結果を示した本発明の分離・秤量チップの場合の分離流路３０３の長さは約１００ｍｍであり、一方、図４５の試料溜３０２から非検体成分蓄積槽３０４の間の流路長は約２３ｍｍであるので、この長さの長短が当該流路を移動している血液に対し、十分な血球血漿分離を施すことができるか否かに影響を及ぼす一つの理由になっていると考えられる。さらに本発明の分離・秤量チップのように、図３の分離流路３０３に示した如く、遠心加圧方向Ｆに対しほぼ直交しているような分離流路を配設することで、試料の進行速度を抑制して当該流路での試料の滞在時間を長くしていることも、血球血漿分離をより進行させるのに寄与している。さらに当該分離流路３０３のように多段に流路を配設することで、比較的狭いチップ上の占有面積で長い流路長を確保することができるという利点もある。【０１５３】＜実施例２＞
図９に示した多段の分離流路の遠心加圧方向側の側壁に半円状の突起を多数配設した分離・秤量チップを透明ＰＥＴ樹脂基板を用い作製した。当該チップの大きさは２５×２５ｍｍ２で、分離・非検体成分蓄積流路９０１の幅は０．３ｍｍ、非検体成分蓄積部の半円の半径は０．２ｍｍであり、これらの深さは０．１ｍｍである。この分離・非検体成分蓄積流路９０１にわたって配設されているすべての半円状突起の、図１０に示した非検体成分である血球成分が蓄積される部分の容積の和は、約３．４マイクロリットルである。【０１５４】  このようなチップの試料導入口３０１より５マイクロリットルの試料である血液を試料溜３０２にピペットを用い導入する。その後回転軸Ｃを中心としてチップを回転させる。このＣからチップの上辺までの距離は３ｍｍであり、回転数は７０００回転毎分、その加速時間は３秒であった。このようなチップ回転を３０秒間行い、回転を停止させた後のチップ上の分離・非検体成分蓄積流路９０１、検体成分秤量槽Ａ３０５乃至同Ｃ３０７ならびに廃液溜槽３０８を目視ならびに実体顕微鏡で観察した。その結果、図１１に示した如く、すべての血球成分は分離・非検体成分蓄積流路９０１に配設された半球状突起に蓄積され、検体成分秤量槽Ａ３０５乃至同Ｃ３０７は検体成分である血漿成分で予想される喫水線を満たし、さらに若干の余分な血漿成分は廃液溜槽３０８に蓄積された。当該検体成分秤量槽にそれぞれ分割、秤量された血漿量は各々０．４マイクロリットルである。【０１５５】  本実施例に示した如く、図３の分離・秤量チップのように多段の分離流路を経て非検体成分蓄積槽を配設せずとも、分離・非検体成分蓄積流路内に配設した非検体成分蓄積部に徐々に血球成分を蓄積して行き、下流、遠心加圧方向に配設されている検体成分秤量槽に至るまでにすべての血球成分を除去し、当該検体成分秤量槽において血漿成分を秤量、蓄積することも可能である。【０１５６】＜実施例３＞
図１２に示したように、試料溜３０２に近い分離流路３０３に、当該流路の断面積が小さくなっている部位１２０１を形成した分離・秤量チップを透明ＰＥＴ樹脂基板を用い作製した。当該チップの大きさは２５×２５ｍｍ２で、分離流路の幅は０．３ｍｍ、１２０１部の幅は０．１ｍｍ、長さを３ｍｍとし、深さは０．１ｍｍである。予めこのようなチップの試料導入口３０１より試料である血液を試料溜３０２に導入した後に、回転軸Ｃを中心としてチップを回転させ、徐々に回転数を高めて行き、血液が１２０１部を通過して、下流の方へと流れていく回転数を調べたところ、２５００回転毎分までは血液は１２０１部を通過しないことが明らかとなった。なお、Ｃからチップの上辺までの距離は３ｍｍである。次に再度、未使用チップの試料導入口３０１より５マイクロリットルの血液を試料溜３０２に導入し、チップを２５００回転毎分で１分間回転させる。このとき血液は１２０１部を通過して下流へとは流れて行かず、１２０１部より上流側に留まっている。その後に回転数を５０００回転毎分に上昇させ、３０秒間回転させた後に、回転を停止した。なお、２５００回転毎分から５０００回転毎分に至るまでの加速時間は３秒とした。【０１５７】  回転停止後のチップ上の非検体成分蓄積槽３０４、検体成分秤量槽Ａ３０５乃至同Ｃ３０７ならびに廃液溜槽３０８の周辺を目視ならびに実体顕微鏡で観察した。その結果は図４３と同様に、非検体成分である血球成分７０１はすべて非検体成分蓄積槽３０４に蓄積され、その下流にある検体成分秤量槽Ａ３０５乃至同Ｃ３０７には検体成分である血漿成分が秤量、蓄積され、余分な血漿成分は廃液溜槽３０８に蓄積されていた。本チップでも図４３に示したチップと同様に、検体成分秤量槽Ａ３０５乃至同Ｃ３０７には各０．４マイクロリットルの血漿が、非検体成分蓄積槽３０４には、３．４マイクロリットルの血球成分と血漿成分が蓄積されるように設計されている。以上のように、まず、第１の回転数におけるチップ回転により、血液を分離流路中に移動させること無く、血球血漿分離をある程度進行させた上で、第２の回転数におけるチップ回転によって当該血液を分離流路に移動させ、より血球血漿分離を進行させた上で非検体成分蓄積槽に導き、血球成分を当該非検体成分蓄積槽に蓄積し、血漿成分を複数秤量分画することが可能となった。【０１５８】  ＜比較例２＞
実施例１で示した図３の分離・秤量チップにおいて、試料溜３０２に試料である５マイクロリットルの血液を導入した後に、上記実施例３の第２の回転数である５０００回転毎分で３０秒間、Ｃを回転軸としてチップを回転させた。当該回転数に至るまでの加速時間は３秒であった。回転終了後、チップ上の非検体成分蓄積槽３０４、検体成分秤量槽Ａ３０５乃至同Ｃ３０７ならびに廃液溜槽３０８の周辺を目視ならびに実体顕微鏡で観察した。その結果は、図４５と同様に非検体成分である血球成分７０１は検体成分である血漿成分７０２とともに非検体成分蓄積槽３０４、検体成分秤量槽Ａ３０５乃至同Ｃ３０７ならびに廃液溜槽３０８の各槽に共存ながら蓄積されていた。この結果は、本例での回転数では血球血漿分離を十分進行させることなく血液が非検体成分蓄積槽に到達してしまったためであると考えられる。一方、実施例３で示した図１２の分離・秤量チップでは、第２の回転数が５０００回転毎分であっても、血球成分７０１はすべて非検体成分蓄積槽３０４に蓄積され、その下流にある検体成分秤量槽Ａ３０５乃至同Ｃ３０７には血漿成分が秤量、蓄積され、余分な血漿成分は廃液溜槽３０８に蓄積されていた。したがって、実施例３のように第１の回転数におけるチップ回転である程度血球血漿分離を進行させることで、より高回転数の第２の回転数を実施例１の単一回転数の場合と比較して低減でき、外部回転機構に及ぼす負荷を低減することができる。【０１５９】  ＜比較例３＞
図４６に示すように、実施例３で図１２に示した分離・秤量チップ上の多段に配設された分離流路３０３の段数を少なくし、当該流路の総長を短くしたチップを示す。図１２の場合、分離流路の総長は約１００ｍｍに対し、図４６のそれは約５０ｍｍと、ほぼ半分の長さになっている。チップならびに流路等の寸法は実施例３と同様である。試料導入口３０１より試料である５マイクロリットルの血液を試料溜３０２に導入し、チップを２５００回転毎分で１分間回転させる。このとき血液は１２０１部を通過して下流へとは流れて行かず、１２０１部より上流側に留まっている。その後に回転数を７０００回転毎分に上昇させ、３０秒間回転させた後に、回転を停止した。なお、２５００回転毎分から７０００回転毎分に至るまでの加速時間は３秒とした。回転停止後のチップ上の非検体成分蓄積槽３０４、検体成分秤量槽Ａ３０５乃至同Ｃ３０７ならびに廃液溜槽３０８の周辺を目視ならびに実体顕微鏡で観察した。その結果は図４３と同様に、非検体成分であ血球成分７０１はすべて非検体成分蓄積槽３０４に捕獲蓄積され、その下流にある検体成分秤量槽Ａ３０５乃至同Ｃ３０７には検体成分である血漿成分が秤量、蓄積され、余分な血漿成分は廃液溜槽３０８に蓄積されていた。【０１６０】  一方、図４６のチップにおいて、分離流路の一部の断面積が小さくなっている１２０１部を排し、分離流路の幅０．３ｍｍ、深さ０．１ｍ、総長約５０ｍｍとしたチップも同様にして作製した。そして試料である５マイクロリットルの血液を試料溜３０２に導入し、チップを回転数７０００回転毎分で３０秒間回転させた後に、回転を停止した。なお、７０００回転毎分に至るまでの加速時間は３秒とした。回転停止後のチップ上の非検体成分蓄積槽３０４、検体成分秤量槽Ａ３０５乃至同Ｃ３０７ならびに廃液溜槽３０８の周辺を目視ならびに実体顕微鏡で観察した。その結果は図４５に示した場合と同様に、非検体成分である血球成分７０１は検体成分である血漿成分７０２とともに非検体成分蓄積槽３０４、検体成分秤量槽Ａ３０５乃至同Ｃ３０７ならびに廃液溜槽３０８の各槽に共存ながら蓄積されてしまっていた。これは本来望むべく結果ではなく、分離流路の総長が約１００ｍｍであった実施例１の場合においては、同じチップ回転数でも血球血漿分離ならびに血漿の３分割秤量が実現できていたことを考えると、分離流路の総長が５０ｍｍでは、当該流路中で進行する直球血漿分離が不十分であることを示している。【０１６１】  しかし、上記の図４６のように、同じく分離流路長が５０ｍｍであっても、２段階のチップ回転数で、まず血球血漿分離を１２０１部より上流である程度進行させた後に、分離流路３０３を通過して非検体成分蓄積槽３０４に導くことで、血球血漿分離ならびに血漿の３分割秤量が実現できることから、１２０１部のような断面積の小さい流路を分離流路途中に設けて、２段階の回転数の遠心分離を行うことで、分離流路の総長を短くでき、これによりチップ面積を縮小できることが明らかとなった。【０１６２】  ＜比較例４＞
上記比較例２の図４６に示した分離・秤量チップ上の１２０１部に、局所的にシリコーン樹脂薄膜（信越化学工業株式会社製ＫＲ２５５）を滴下乾燥により形成したチップを作製した。予め当該シリコーン樹脂薄膜で被覆したＰＥＴ基板表面の水に対する接触角を調べ、それが１２０度であり、また未被覆のものは７０度であることを確認した。そしてこのようなチップの試料導入口３０１より試料である血液を試料溜３０２に導入した後に、回転軸Ｃを中心としてチップを回転させ、徐々に回転数を高めて行き、血液が１２０１部を通過して、下流の方へと流れていく回転数を調べたところ、３３００回転毎分までは血液は１２０１部を通過しないことが明らかとなった。なお、Ｃからチップの上辺までの距離は３ｍｍである。【０１６３】  次に再度、試料導入口３０１より５マイクロリットルの血液を試料溜３０２に導入し、チップを３３００回転毎分で１分間回転させる。このとき血液は１２０１部を通過して下流へとは流れて行かず、１２０１部より上流側に留まっている。その後に回転数を５０００回転毎分に上昇させ、３０秒間回転させた後に、回転を停止した。なお、３３００回転毎分から５０００回転毎分に至るまでの加速時間は３秒とした。回転停止後のチップ上の非検体成分蓄積槽３０４、検体成分秤量槽Ａ３０５乃至同Ｃ３０７ならびに廃液溜槽３０８の周辺を目視ならびに実体顕微鏡で観察した。その結果は図４３と同様に、検体成分である血球成分７０１はすべて非検体成分蓄積槽３０４に蓄積され、その下流にある検体成分秤量槽Ａ３０５乃至同Ｃ３０７には検体成分である血漿成分が秤量、蓄積され、余分な血漿成分は廃液溜槽３０８に蓄積されていた。【０１６４】  一方、上記比較例３の図４６の１２０１部にシリコーン樹脂薄膜を被覆していないチップを用い、第１のチップ回転数２５００回転毎分で１分、第２のチップ回転数５０００回転毎分で３０秒として実験を実施したところ、図４５に示した場合と同様に、血球成分７０１は血漿成分７０２とともに非検体成分蓄積槽３０４、検体成分秤量槽Ａ３０５乃至同Ｃ３０７ならびに廃液溜槽３０８の各槽に共存ながら蓄積されてしまっていた。これは、第１のチップ回転数の違いによって、血球血漿分離の進行程度が異なることに起因していると考えられる。すなわち１２０１部にシリコーン樹脂薄膜を被覆した場合、より高いチップ回転数で１２０１部より上流に血液を留めておきながら血球血漿分離を行うことができるので、第２の回転数が低くても血球血漿分離ならびに血漿の３分割秤量が実現できる。またこのように疎水性の高い材料を分離流路の一部に被覆することで、第１の回転数を高め、より血球血漿分離を進行させることで、第２の回転数を低減する他、分離流路長も短くすることができる。【０１６５】＜実施例４＞
図１３に示した混合チップを透明ＰＥＴ基板を用いて作製した。チップ寸法は２５×２５ｍｍ２、混合流路１３０６の突起形状の無い部分の幅（１４０２、図１４）は０．３ｍｍ、突起部分の幅（１４０３、図１４）は０．５ｍｍであり、深さは０．１ｍｍであり、混合試料溜槽１３０７の深さは０．２ｍｍである。試料導入口Ａ１３０１および同Ｂ１３０２より、それぞれ赤色系（ローダミンＢ）と青色系（フタロシアニン系）の色素水溶液試料を５マイクロリットルずつ試料溜Ａ１３０３ならびに同Ｂ１３０４に導入する。その後Ｃを回転軸としてチップを４０００回転毎分で３０秒間回転させ、両色素溶液を混合流路１３０６へと導いて通過させ、混合試料溜槽１３０７へと移動させる。このときの回転軸Ｃよりチップの上辺までの距離は１５ｍｍであった。チップの回転を停止した後、両色素水溶液は混合試料溜槽１３０７中に図４７に示すが如く蓄積されている。そして暗室内に設置してある空間的に均等に白色光を放射する光源の上に、当該チップを載せて、混合試料溜槽１３０７部分の反対側にカラーＣＣＤ（Ｃｈａｒｇｅ  Ｃｏｕｐｌｅｄ  Ｄｅｖｉｃｅ）撮像装置を配置して画像を保存し、この画像から当該層に蓄積されている色素水溶液に色斑が無いかどうかを調べた。【０１６６】  この結果、混合試料の全般にわたって赤もしくは青の色素が偏っている箇所は見出すことができず、均等に混合されていることが明らかとなった。また、多段に構成されている混合流路１３０６を実体顕微鏡により詳細に調べたところ、回転軸Ｃ側から１段目の流路の突起が形成されている側と逆側（遠心加圧方向Ｆ側）の側壁には、青色の色素が付着しており、２段目の流路の中途までの側壁には赤色の色素が付着していることが確認された。しかしこれ以降の混合流路の遠心加圧側側壁には、青色と赤色の色素が混合した紫色の色素が混合試料溜槽１３０７に至るまで付着していた。このことからも当該混合流路途中で両者の混合は完了し、この均等に混合された溶液が混合試料溜槽１３０７に蓄積されたことが判明した。【０１６７】  ＜比較例５＞
上記実施例４で作製した図１３に示した混合チップにおいて、その特徴である混合流路１３０６の突起形状を排した以外の構造は同一のチップを作製し、同様の実験を行った。この突起を排した流路の幅は０．３ｍｍである。それぞれ赤色と青色の色素水溶液試料を５マイクロリットルずつ試料溜Ａ１３０３ならびに同Ｂ１３０４に導入し、その後Ｃを回転軸としてチップを４０００回転毎分で３０秒間回転させ、混合試料溜槽１３０７へと移動させる。チップの回転を停止した後、図４７のように混合試料溜槽１３０７に蓄積されている両色素水溶液の混合水溶液の様子を観察した。その結果、混合試料溜槽１３０７の中央部分は紫色で青と赤色の色素溶液が混合されていることを示していたが、紙面向かって左側に行くほど赤色の色彩が強く、逆に右側では青色の色彩が強く、均一に混合されていないことが示唆された。そして多段に構成されている突起形状を排した混合流路１３０６を実体顕微鏡により詳細に調べたところ、回転軸Ｃ側から一段目の流路の遠心加圧方向Ｆ側の側壁に、青色の色素が、反対の回転中心側の側壁には赤色の色素がそれぞれ付着しており、２段目以降、それらの色素が回転中心側と遠心加圧方向側の側壁に交互に付着して、混合試料溜槽１３０７まで至っていることが判明した。このことはこのような突起を排した混合流路中では、混合が行われずに２液が層流で下流へと流れていっていることを示している。以上のことより実施例４に示した混合流路途中に配設された多数の突起形状の均一な混合への寄与が確認された。【０１６８】＜実施例５＞
実施例４の図１３に示した混合チップを同様にして作製し、赤色と青色の色素水溶液をそれぞれ２．５マイクロリットルと７．５マイクロリットル、試料溜Ａ１３０３ならびに同Ｂ１３０４に導入する。その後Ｃを回転軸としてチップを４０００回転毎分で３０秒間回転させ、両色素溶液を混合流路１３０６へと導いて通過させ、混合試料溜槽１３０７へと移動させる。このときの回転軸Ｃよりチップの上辺までの距離は１５ｍｍであった。チップの回転を停止した後、混合試料溜槽１３０７中に図４７に示すが如く蓄積されている両色素水溶液の様子を観察した。その結果、混合試料溜槽１３０７の遠心加圧方向Ｆ側に蓄積されている混合溶液は、紫色をしており、両色素水溶液が均一に混合されていることを示唆していた。しかしながら、それより回転中心Ｃ側に蓄積されている混合溶液は、青色を呈していた。【０１６９】  この結果は、試料溜Ａ１３０３ならびに同Ｂ１３０４より合流地点である合流部１３０５に至る流路の断面積が両者相等しく、そこでの流速は両者でほぼ等しいために、導入した色素水溶液の内、少ない量の色素水溶液（今の場合は赤色）が、チップ回転を開始して、混合流路１３０６へと移動して行き、試料溜Ａ１３０３に残留している内は両色素水溶液が均等に混合流路内を通過していくため均質な混合が進行するが、一度試料溜Ａ１３０３にあった少ない量の赤色の色素水溶液がすべて混合流路へと移動してしまうと、そのとき未だ試料溜Ｂ１３０４には青色の色素水溶液が蓄積されているので、これ以降は当該青色の色素溶液のみ混合流路１３０６を通過して混合試料溜槽１３０７へと移動する。よって本例に示した混合チップでは、異なる量の試薬同士の混合は困難である。【０１７０】  ＜比較例６＞
図４８に示すように試料溜より合流部に至る合流流路Ａ４８０１ならびに同Ｂ４８０２の流路幅が異なる混合チップを作製した。その他のチップ、流路形状寸法は実施例４の場合と同様である。なお、合流流路Ａ４８０１の幅は０．３ｍｍ、同Ｂ４８０２のそれは０．９ｍｍ、深さは両者共に０．１ｍｍであり、断面積比は１：３となっている。このようなチップの試料溜Ａ１３０３ならびに同Ｂ１３０４に赤色と青色の色素水溶液試料をそれぞれ２．５マイクロリットルと７．５マイクロリットル導入し、その後Ｃを回転軸としてチップを４０００回転毎分で３０秒間回転させ、両色素溶液を混合流路１３０６へと導いて通過させ、混合試料溜槽１３０７へと移動させる。チップの回転を停止した後、混合試料溜槽１３０７中に図４７に示すが如く蓄積されている両色素水溶液の様子を観察した。その結果、混合試料溜槽１３０７の全般にわたって均一に紫色を早しており、両色素水溶液が均一に当該槽内で均一に混合されていることを示唆していた。【０１７１】  この結果はそれぞれの合流流路の断面積比、すなわち当該流路を通過する試料の流量比を、それぞれの試料溜に導入された色素水溶液の容積比と等しくすることで、混合流路１３０６内を通過する試料がどちらか一方だけ流れることが無く、常に両者が一緒に流れるようなったため均質な混合が実現されたと考えられる。このように、異なる容積の試料を混合する際にはその容積比に応じて合流流路の断面積比を設定すれば均質な混合が実現される。【０１７２】＜実施例６＞
図２５（ｂ）に示す秤量槽を有する図１９と同様な秤量チップを透明ＰＥＴ基板を用い作製した。チップ面積は２５×２５ｍｍ２で、図２６（ｂ）における槽の深さが深い部分２６０２の深さは４ｍｍ、槽の深さが浅い部分２６０３の深さは０．５ｍｍである。また廃液溜槽３０８の深さは４ｍｍである。このようなチップの試料導入口３０１より、０．１モル／リットルのリン酸緩衝液に赤色色素を若干添加して着色した試料、約４５マイクロリットルを試料溜３０２に導入し、Ｃ１を回転軸としてチップを５０００回転毎分で３０秒間回転させる。なお、Ｃ１よりチップ上辺までの距離は１５ｍｍであった。回転停止後、秤量槽１９０１を観察したところ、図２６（ｂ）に示すが如く、試料が２１０２のように気泡等を含むことなく秤量蓄積されており、また廃液溜槽３０８には余分な試料が蓄積されていた。そしてこの秤量蓄積された試料の容積は、秤量槽１９０１の寸法形状ならびにこの試料の喫水線２１９１の位置から３６マイクロリットルと予め見積もられており、このような量の試料が秤量蓄積されている。そして、この喫水線部の槽の深さは局所的に他よりも浅くなっているために、回転停止後も顕著なメニスカス現象は観察されず、試料が槽内で移動してしまうということも観察されなかった。【０１７３】  そして、このように秤量蓄積を行った後に図１９中の第２の回転軸Ｃ２を中心としてチップを５０００回転毎分で３０秒間回転させ、秤量した試料を蓄積層１９０２に移送することを試みた。その結果、図４９に示すが如く、秤量槽に蓄積していた試料をすべて蓄積槽１９０２へと移送することができた。なお、当該蓄積槽１９０２内の試料喫水線を含む一部の部分は、秤量槽１９０１と同様に槽の深さが浅くなっており、チップ回転停止後にメニスカス現象により試料が移動しないようになっている。また、廃液溜槽３０８に蓄積されていた試料は、同図のように当該廃液溜槽内で移動するだけで、槽外へと移動することは無い。【０１７４】  ＜比較例７＞
図１９に示した秤量チップを透明ＰＥＴ基板を用いて作製した。本チップは上記実施例６のチップと比較すると、秤量槽１９０１の深さが４ｍｍと槽内で均一で、部分的に浅い部分が無いこと以外、形状寸法が全く同じである。実施例６と同様に、０．１モル／リットルのリン酸緩衝液に赤色色素を若干添加して着色した試料、約４５マイクロリットルを試料溜３０２に導入して、Ｃ１を回転軸としてチップを５０００回転毎分で３０秒間回転させた。回転停止後、秤量槽１９０１を観察したところ、槽内に試料は蓄積されているものの、その蓄積された試料は図２２（ｂ）に示すようにメニスカス現象により、試料の側壁部喫水線は湾曲し、その結果喫水線２１０１は、本来の位置よりも、回転軸Ｃ１側に位置するようになっていた。この様子を図５０に示す。そして、チップ回転時に連結路Ａ８０４から秤量槽１９０１に試料が流入する経路上の当該秤量槽側壁は、一旦試料が通過したことにより、表面が湿潤して濡れ性が高くなっているために、その部分（図中５００１）への試料の移動が特に顕著であることが認められた。このように喫水線部分の槽の深さが深いと、チップ回転終了後にメニスカス現象に由来した試料の移動が顕著になることが確認された。【０１７５】  次に第２の回転軸Ｃ２を中心としてチップを５０００回転毎分で３０秒間回転させ、秤量槽１９０１に蓄積した試料を、蓄積槽１９０２へと移送する。このチップ回転終了後の様子を図５１に示す。同図に示すように、蓄積槽１９０２には秤量槽１９０１へと大部分の試料が移送されるが、一部の試料５１０１は試料溜３０２に移送されてしまっている。これはチップ回転開始前に秤量槽１９０１内に蓄積されていた試料が、本来の喫水線に沿わず、当該槽内で図５０に示すが如く移動しており、特に連結路Ａ８０４近くまで這い上がっていた試料の一部が、Ｃ２を回転軸としたチップ回転により、当該連結路Ａ８０４を通過して試料溜３０２へと移動してしまったものと考えられる。なお、蓄積槽１９０２の本来の喫水線部分周辺には、本例の場合には槽の深さが浅い部分を形成しなかったので、ここでも移送された試料は本来の喫水線に沿わず、槽内で移動してしまっている。以上のように、本発明の秤量槽のように、秤量蓄積された試料の喫水線部分の槽の深さを浅くすることで、メニスカス現象に由来する試料の移動を抑制できることが確認された。【０１７６】＜実施例７＞
（１）検体分析チップの構成
第六実施態様中の図３２に示した検体分析チップ以下のようにして作製した。溝流路の金型を作製し、射出成形によりＰＣ樹脂を用い基板Ａ２７０１乃至同Ｃ２７０３を作製する。図３３中の光学窓Ａ３３０１ならびに同Ｂ３３０２は、近紫外域から可視光域全般（３００から８００ｎｍ）にわたって９０％程度の高い光透過性を有する日本ゼオン株式会社製のＺＥＯＮＥＸ（同社の登録商標）樹脂を用い、成形製作した。そして光学窓Ｂ３３０２の接着板Ｃ３３０３と接着される面の表面には、直流マグネトロンスパッタリングにより約２００ｎｍのアルミニウムの薄膜を形成した。図３１に示した接着板ＡならびにＢ、図３３中の接着板Ｃは、図３８（ｃ）の粘着層の断面図において、基材３８０５の厚さ０．０１２ｍｍ、両側の粘着層厚さ０．０２ｍｍで、基材材料はＰＥＴ、粘着層材料は耐水性アクリル系樹脂のものを用い、全厚は０．０５２ｍｍである。このような粘着層を介し、図２７、図３３のように、基板同士を接着し、一体のチップを形成する。なお、粘着層の上下の基板のそれぞれの流路同士の接続箇所や、光学測定セル部の光が通過する部位には、プレス加工により貫通穴が設けられている。基板Ａ２７０１乃至同Ｃ２７０３の最外の上面面積は４０×４０ｍｍ２、厚さはそれぞれ、５ｍｍ、２．５ｍｍ、５ｍｍであり、光学窓Ａ３３０１ならびに同Ｂ３３０２の上面面積は２２．５×５．５ｍｍ、厚さは２ｍｍである。さらに光学測定セルＡ３３０４乃至同Ｃ３３０６の光路長に相当する長さは５ｍｍである。【０１７７】（２）試薬試料
このように作製したチップを用い、血液を試料とし、本例ではその中の脂質検査の指標となる総コレステロール、中性脂肪、ＨＤＬ（Ｈｉｇｈ  Ｄｅｎｓｉｔｙ  Ｌｉｐｏｐｒｏｔｅｉｎ）コレステロールの３項目を同時に分析する。これらの検査項目は動脈硬化、虚血性心疾患、冠状硬化性心臓病などの循環器系の異常の有無を判断するために不可欠なものである。これらの分析用に用いる試薬試料は、和光純薬株式会社製の検査試薬キット、ＬタイプワコーＴＧ・Ｍ（中性脂肪測定用）、ＬタイプワコーＨＤＬ−Ｃ（ＨＤＬコレステロール測定用）、ＬタイプワコーＣＨＯ・Ｍ（総コレステロール測定用）をそれぞれの検査項目に対し用いた。それぞれの検査試薬キットには２種類の試薬試料があり、これらを表１にまとめた。本表において、例えば中性脂肪が検査項目の場合、製造元の呼び名が酵素発色液Ａならびに同Ｂという２種類の試薬試料があり、その下の括弧内に記されている、それぞれ試薬試料１Ａならびに同２Ａというのは、本実施例においての呼び名とし、これは上記第六実施態様中の試薬試料名と符合する。そしてさらに下に記載されている数字は、検体成分である血漿または血清の容積を１に対して、それぞれの試薬試料を容積比でどの程度混合するかということを示しており、製造元が提供する操作法に従っている。以下、その他の検査項目についても同様である。第六実施態様中の試薬試料１ならびに同２がこれらに対応する。【０１７８】
【表１】
2007024851.tif 000003
【０１７９】  またそれぞれの試薬試料の組成は、基本的には緩衝液中に種々の酵素等を溶解した液体で構成されているが、その詳細については非特許文献２乃至４を参照されたい。使用法は中性脂肪を例に取ると、（１）血漿または血清と試薬試料１Ａとを表１に示す容積比で混合する、（２）５分間待つ、（３）５分経過後、（１）の混合試料と試薬試料２Ａとを混合する、（４）さらに５分間待った後、光学測定を行う、となっており、他の検査項目についてもそれぞれ試薬の種類と、その比率を変更するだけで操作法は全く同じである。今の場合、いずれの検査項目も基本的には被検査成分の酵素反応に由来して生成する過酸化水素を、ペルオキシダーゼ（ＰＯＤ）による酵素反応で青色色素を生成させ、この濃淡を吸光度測定で調べ、被検査成分の濃度に換算するというものであり、表１の検査項目に関してはすべて６００ｎｍの波長の光に対し光学測定を行う。そして上述した操作をすべて３７℃で行う必要があるため、本実施例では小型恒温槽の中にチップの回転を行う回転装置、ならびに吸光度測定を行う光源、検出系を組み込んだ装置を作製し、すべての操作を本装置内で行った。【０１８０】
【非特許文献２】  和光純薬株式会社ＬタイプワコーＴＧ・Ｍ製品添付文書  ２００４年１月作成
【非特許文献３】  和光純薬株式会社ＬタイプワコーＨＤＬ−Ｃ製品添付文書  ２００１年３月作成
【非特許文献４】  和光純薬株式会社ＬタイプワコーＣＨＯ・Ｍ製品添付文書  ２００４年４月作成
【０１８１】  表１の検査項目の測定操作手順では、上述のように第２試薬試料混合後、５分間待った後に光学測定を行うが、このときの比較対象となる参照光強度を知っておかなければならない。すなわち光学測定（吸光度測定）では、被検査成分の濃度に応じて発色の程度が異なり、光学測定セルを光が通過する際に吸収される光量に応じて検出される光強度が増減するが、その増減の程度を見積もる基準として、予め光吸収の無い媒質を当該セル内に満たしておき、同じように光を導入して検出した際の強度が必要になる。通常は、光学測定セルに水などを満たし、最後の吸光度測定を行う同一の光学系で測定してこの参照光強度を求めておくが、本例では簡単のために媒質を空気として参照光強度を求めた。【０１８２】（３）測定操作
図５２には小型恒温槽内の光学測定ステージにチップを設置したときの、光学系を説明する図を示している。同図の検体分析チップの光学測定セル部は、図４２に示した光学測定セル部の側面図の紙面向かって右側より見た側面図を示している。ここに示すように、光学素子設置基板５２０１に取り付けられた光源１８０２から出射した光は、直径１ｍｍのスリット光路５２０２を通過し、光学窓Ａ３３０１を透過して、本図の場合は光学測定セルＡ３３０３へと入射していく。本例では光源としてレンズ付、放射角２θが±３度、中心波長６００ｎｍ、半値幅１５ｎｍのＬＥＤ（Ｌｉｇｈｔ  Ｅｍｉｔｔｉｎｇ  Ｄｅｖｉｃｅ）を用いている。また、光の入射角は検体分析チップ平面の法線から５度であり、セル内は空気である。当該セル内を光が通過して光学窓Ｂ３３０２に至ると、この表面に被覆してあるアルミニウムにより光が正反射し、図のようにセルから出て平凸集光レンズ５２０３で集光され、光検出器１８０５へと入射し、その光強度は電気信号へと変換されて記憶される。（電気的配線は図示しない）このようにセル内を光が往復しているので、実効的な光路長は約１０ｍｍとなる。図５２には図示しないが、検体分析チップの３つの光学測定セルに対して、同図に示したような一対の光源と光検出器を配置しており、上の光学測定操作を同時に行う。【０１８３】  次に図３４に示した採血装置を用い、ヒトの静脈より採取して同装置の血液溜めパイプ３４０３内に５マイクロリットルの血液を蓄積した。本装置を図３５に示すように検体分析チップの試料導入口２８０１に挿入した。また、同時に試薬試料１Ａ導入口２８０２乃至同１Ｃ導入口２８０４より表１に示した３種類の試薬、試薬試料１Ａ乃至同１Ｃをそれぞれ約４５、約４５、約３６マイクロリットル、試薬試料１Ａ溜槽２８０５乃至同１Ｃ溜槽２８０７へピペットにより導入した。この後同図中のＣ１を回転軸としてチップを５０００回転毎分で３０秒間回転させる（第１のチップ回転）。加速時間は２秒であり、またＣ１より検体分析チップ上辺までの距離は２０ｍｍであった。チップ回転終了後、図３６に示すように、採血装置に蓄積されていた血液は、分離流路２８０８で血球血漿分離され、非検体成分蓄積槽Ａ２８０９ならびに非検体成分蓄積槽Ｂ２８１０に血球成分が蓄積され、血漿成分は検体成分秤量槽Ａ２８１１乃至同Ｃ２８１３に秤量蓄積された。なお、本例の分離流路の総長は約１００ｍｍで、流路幅０．２ｍｍ深さ０．１ｍｍであった。この秤量された血漿量は槽の形状寸法と喫水線位置から各槽で相等しく、各々０．４マイクロリットルであった。【０１８４】  一方、この第１のチップ回転で、試薬試料１Ａ溜槽２８０５乃至同１Ｃ溜槽２８０７に導入されていた３種類の試薬、試薬試料１Ａ３５０２乃至同１Ｃ３５０４は、それぞれ秤量槽１Ａ２８１４乃至同１Ｃ２８１６へと移動してき、そこで各々秤量蓄積され、余分な各試薬試料は、廃液溜槽Ａ２８１７に蓄積される。この秤量蓄積された秤量槽１Ａ２８１４乃至同１Ｃ２８１６内の試薬試料１Ａ３５０２乃至同１Ｃ３５０４量は、当該秤量槽の寸法形状と喫水線位置から、それぞれ３６、３６、２８．８マイクロリットルであった。これらの容量は上記の秤量された血漿量に対し、表１に示した比率を維持するようになっている。なお、当該秤量槽の深さは４ｍｍであり、試薬試料の喫水線を含む一部の部分のみ０．５ｍｍとして回転終了後の試料試薬のメニスカス現象に由来する移動を抑制している。【０１８５】  次に表１の試薬試料２Ａ、同２Ｂ、同２Ｃの３種類の試料試薬を検体分析チップの第３層の基板Ｃ上の試薬試料２Ａ溜槽３００１乃至同２Ｃ溜槽３００３（図３０）にそれぞれ約１５、１５、１２マイクロリットルずつピペットにより導入した。そしてこの後に図３５の第２の回転軸Ｃ２を中心としてチップを４０００回転毎分で３０秒間回転させた。（第２のチップ回転）回転終了後、図３７に示すように、チップの第２層基板Ｂに形成されている１次混合槽１Ａ２９０７乃至同１Ｃ２９０９に、それぞれ検体成分秤量槽Ａ２８１１乃至同Ｃ２８１３に秤量蓄積されていた血漿と秤量槽１Ａ２８１４乃至同１Ｃ２８１６に秤量蓄積されていた試薬試料１Ａ３５０２乃至同１Ｃ３５０４が、それぞれの槽で混合蓄積された。当該槽の深さはいずれも２．５ｍｍで、槽内に蓄積された１次混合試料の喫水線部近傍の深さは０．５ｍｍとなっており、やはりメニスカス現象に由来する試料の移動を抑制するようにしている。【０１８６】  また同時に、この第２のチップ回転で、試薬試料２Ａ溜槽３００１乃至同２Ｃ溜槽３００３に蓄積されていた３種類の試薬試料２Ａ、同２Ｂ、同３Ｃは、図３９に示すように秤量槽２Ａ３００４乃至同２Ｃ３００６へと秤量蓄積された。この秤量蓄積された試薬試料２Ａ、同２Ｂ、同３Ｃは、それぞれ１２、１２、９．６マイクロリットルであり、余分な試薬試料は廃液溜槽２Ａ３００７乃至同２Ｃ３００９へと蓄積された。これらの秤量された第２の試薬試料の容積は、第１のチップ回転で秤量蓄積した血漿量容積に対し、表１に示した比率を維持するようになっている。なお、秤量槽２Ａ３００４乃至同２Ｃ３００６の深さは３ｍｍであるが、槽内に秤量蓄積された第２の試薬試料の喫水線部を含む一部の部分の深さは０．５ｍｍとなっており、やはりメニスカス現象に由来する試料の移動を抑制するようにしている。【０１８７】  以上の第２のチップ回転終了後の状態で５分経過した後に、再度第１の回転軸Ｃ１を中心として、４０００回転毎分、３０秒間チップを回転させた。（第３のチップ回転）これによって図４１に示すように１次混合槽１Ａ２９０７乃至同１Ｃ２９０９に蓄積されていた３種の１次混合試料と、秤量槽２Ａ３００４乃至同２Ｃ３００６に秤量蓄積されていた第２の試薬試料は、それぞれ混合流路Ａ３０１４乃至同Ｃ３０１６を経て、均等に混合された後に光学測定セルＡ３３０４乃至同Ｃ３３０６を満たすように蓄積され、余分な試料は廃液溜槽１Ａ２９１９乃至同１Ｃ２９２１（図２８）に蓄積される。なお、混合される１次混合試料と第２の試薬試料の容積比が、表１より約３：１であるので、それぞれ混合流路Ａ３０１４乃至同Ｃ３０１６前の合流部Ａ４１０１乃至同Ｃ４１０３（図４１）の１次混合試料と第２の試薬試料が流入してくる流路の幅は０．６ｍｍと０．２ｍｍと３：１で深さは０．１ｍｍ相等しくなっており、常に均等な流量比で被混合試料が混合流路に流入するようになっている。【０１８８】  このように光学測定セルＡ３３０４乃至同Ｃ３３０６に混合した試料を満たし、５分間待った後に、図５２に示した光学系によって参照光強度測定を行った場合と同様に光学測定を行い、それぞれの検査項目に対応する光学測定セルでの試料光強度を得た。そしてこの試料光強度（Ｉｓ）と上記の参照光強度（Ｉｒ）の比の対数をとったものが吸光度Ａとなる。すなわちＡ＝Ｌｏｇ（Ｉｒ／Ｉｓ）である。そして、光学測定セルＡ３３０４（中性脂肪）、同Ｂ３３０５（ＨＤＬコレステロール）、同Ｃ３３０６（総コレステロール）の吸光度をそれぞれ求めたところ、それぞれ０．０４８８、０．１６３、０．２２３であった。【０１８９】  （４）較正
上述したように、ヒトから採取した血液中の中性脂肪、ＨＤＬコレステロール、総コレステロールに関し、それぞれ血液から血漿成分を秤量し、これと第１の試薬試料を混合させ、さらにこの第１混合試料と第２の試薬試料を混合させて、それぞれの検査項目の被検査成分濃度に応じた色素を発色させ、光学測定によりこれを定量的に吸光度として求めた。この求めた吸光度がどの程度の検査項目の濃度に対応するのかを明らかにするために、較正曲線を求めた。【０１９０】  それぞれの検査項目の濃度が既知であり、またその濃度が様々の較正試料を複数用意する。そして、その内の一つの較正試料を５マイクロリットル、ピペットにより採取し、図３５の検体分析チップの試料導入口２８０１に導入した。また、同時に表１に示した３種類の試薬、試薬試料１Ａ乃至同１Ｃをそれぞれ約４５、約４５、約３６マイクロリットル、試薬試料１Ａ溜槽２８０５乃至同１Ｃ溜槽２８０７へピペットにより導入した。そしてこれ以後は実施例７と同様にして、第１のチップ回転、第２の試薬試料の導入、第３のチップ回転を行い、光学測定セルＡ３３０４乃至同Ｃ３３０６に混合した試料を満たして、光学測定を行い、それぞれの光強度を求める。そして、このような操作をそれぞれの濃度の較正試料に対して行い、各検査項目の濃度と吸光度との関係をまとめた図を図５３に示す。このようにすべての検査項目に対して、その濃度が増加するに伴い、吸光度が増加し、また図中の実線の回帰直線も良く測定値のプロットと良く適合している。そしてこの較正直線から、上述したヒトの血液のから得られた吸光度の測定結果から中性脂肪、ＨＤＬコレステロール、総コレステロールの値を換算したところ、それぞれ、９２．５、５５．０、１８５．９ｍｇ／ｄＬであった。【０１９１】  ＜比較例８＞
実施例７において、同時にヒトから採取した血液を検体として、従来の透過測定法用のガラス製光学セル（内寸法：１０×１０×４０ｍｍ３）を用いて、その中の中性脂肪、ＨＤＬコレステロール、総コレステロール濃度を調べた。まず、採取した血液１ｃｃを試験管に入れ、３０００回転毎分で５分間遠心分離を行った。回転半径は約５０ｍｍである。試験管中の上澄み血漿をピペットで１０マイクロリットル秤量採取して、光学セルに導入し、第１の試薬試料（中性脂肪、ＨＤＬコレステロール、総コレステロールの検査項目で、それぞれ０．９、０．９、０．７２ｍＬ）もそれぞれ導入する。これを３７℃の恒温槽に入れながら５分間混合した。次に第２の試薬試料（中性脂肪、ＨＤＬコレステロール、総コレステロールの検査項目で、それぞれ０．３、０．３、０．２４ｍＬ）を当該光学セルに導入し、５分間恒温槽で振動させながら混合する。最後に通常の透過法で試料光強度を得た。光路長は１０ｍｍであった。このような測定を各項目についてそれぞれ行い、また参照光強度は光学セルに純水を導入して測定を行い得た。そしてそれぞれの検査項目に関して吸光度を計算し、予め得ていたそれぞれの較正直線から、各検査項目の濃度に換算した。その結果、中性脂肪、ＨＤＬコレステロール、総コレステロールの濃度は、それぞれ８９．７、５３．７、１７９．６ｍｇ／ｄＬと見積もられた。【０１９２】  上述した本発明の検体分析チップを用いて得られた結果と比較してみると、両者の間の違いは５％以内であり、お互い良く適合しており、従来法と比較しても遜色は認められない。また本発明の検体分析チップの場合は３つの検査項目を同時に測定でき、また用いる血漿量ならびに試薬試料量が少なくて良いなどの有利な点がある。【０１９３】  なお、実施例７で示した検体分析チップにおいては、図５２のように反射光学系を用い光学測定を行った。しかしその他、光学窓Ｂ３３０２表面へのアルミニウムの被覆をせず、光学系窓Ａ３３０１へ光を入射し、同Ｂ３３０２より出射してくる光を検出する透過測定を用い、実施例７と同様の検体分析を行った場合においても（光路長５ｍｍ）、検体濃度の低い場合に若干の感度低下が認められるものの、図５３に示したような直線性の良い較正直線が得られ、また血液の分析も同様に行うことができた。【０１９４】  さらに実施例７の検査項目の場合の試薬試料では、予め（あるいは事後に）測定して得ておいた参照光強度と、検体と第１、第２試薬試料を混合し、発色させたものを測定して得た試料光強度から吸光度を算出するという終点検出法による分析であった。その他、検体と第１、第２試薬試料を混合した後の所定の時間から、所定の時間の間測定を連続して行い、吸光度の時間変化の割合から検査項目濃度に換算するレート測定法があるが、この場合の参照光強度は、測定を開始したときのはじめの値がそれに相当するので、予めこれを測定しておく必要は無く、本発明の検体分析チップの構造を変えることなくそのまま適用することができる。【０１９５】  また検査項目によっては試薬試料を１つしか用いないもの、あるいは３つ以上用いるものもあるが、１つの場合は実施例７で示したチップの構造を省き、より小型化することができる。また３つ以上の試薬試料を用いる場合にも、チップを構成する溝流路を形成した基板を積層していくことでチップ面積の肥大化を抑制しつつ、実現できる。【０１９６】  また本例では、血液を試料とし、また脂質検査の３項目を検査項目の例としてあげたが、血液を試料としても、その他、糖尿病（グルコース、グリコヘモグロビン）、肝臓疾患（アスパラギン酸アミノ基転移酵素、アスパラギン酸アミノ基転移酵素、アスパラギン酸アミノ基転移酵素、アスパラギン酸アミノ基転移酵素）、腎臓疾患（尿素窒素、クレアチニン、尿酸）、等の検査項目、各種免疫検査、各種感染症診断、腫瘍マーカーなどの検査項目についても適用が可能である。【０１９７】＜実施例８＞
第７実施例で用いた図３４の採血装置の採血用針３４０１の内径は約０．１ｍｍ、外径は０．１５ｍｍと非常に細く、皮膚に穿刺したときの痛みを極力緩和している。当該針の内壁全般にわたって平滑化処理を施してあり、細いにも関わらず、針先端が血管に到達すれば、血液が血圧のみで当該針内を通過して血液溜めパイプ３４０３に蓄積されるようになっている。そして図３５に示した検体分析チップの試料導入口２８０１に、血液を採取して血液溜めパイプ３４０３に５マイクロリットルの血液を蓄積した採血装置を挿入して、第１の回転軸Ｃ１を中心としたチップ回転により血液を分離流路２８０８へと導き、当該流路で血球血漿分離を進行させ、非検体成分蓄積槽Ａ２８０９ならびに同Ｂ２８１０に血球成分を蓄積し、検体成分秤量槽Ａ２８１１乃至同Ｃ２８１３に血漿成分を秤量蓄積した。【０１９８】  チップ回転時に生起する遠心力により、採血用針３４０１内にあった血液も血液溜めパイプ３４０３の方へ移動して行くが、針の内径が細いためにある程度の遠心力が印加されないと移動できない。そこでまず、第１の回転数を２０００回転毎分として１分間チップを回転させる。Ｃ１より検体分析チップ上辺までの距離は２０ｍｍであった。回転終了後、採血装置より分離流路へと血液が流入しておらず、そのほとんどは血液溜めパイプ３４０３に蓄積されたままである。次に第２の回転数を４０００回転毎分とし、３０秒間回転させた。加速時間は２秒であった。回転終了後、チップ内を観察してみると図３６に示すが如く、非検体成分蓄積槽Ａ２８０９ならびに同Ｂ２８１０に血球成分が、検体成分秤量槽Ａ２８１１乃至同Ｃ２８１３に血漿成分が秤量蓄積されていた。【０１９９】＜比較例９＞
実施例８と同様に、図３５に示した検体分析チップの試料導入口２８０１に、血液を採取して血液溜めパイプ３４０３に５マイクロリットルの血液を蓄積した採血装置を挿入した。その後、第１の回転軸Ｃ１を中心としたチップ回転を４０００回転毎分、３０秒間、加速時間２秒の条件の下、行った。回転終了後、チップ内を観察してみると、非検体成分蓄積槽Ａ２８０９、同Ｂ２８１０、また検体成分秤量槽Ａ２８１１乃至同Ｃ２８１３に血球と血漿が混在して蓄積されていた。この結果は、分離流路中２８０８中で十分に血球血漿分離が進行しないまま非検体成分蓄積槽Ａ２８０９に血液が到達してしまったことを示している。【０２００】  以上の結果より、第１のチップ回転数で図３４に示したような採血装置に血液を蓄積したままある程度血球血漿分離を進行させた上で、第１の回転数よりも高い第２の回転数でチップを回転させて、血液を分離流路へと導き、より血球血漿分離を進行させた上で、血液を非検体成分蓄積槽Ａ２８０９、同Ｂ２８１０へと導き、血球成分を蓄積して、検体成分秤量槽Ａ２８１１乃至同Ｃ２８１３に血漿成分を秤量蓄積することができる。そしてこの第２の回転数は、単一の回転のみで血液を分離流路２８０８を通過させ、非検体成分蓄積槽Ａ２８０９へと導いた場合よりも低くすることができ、回転機構などの外部装置に及ぼす負荷を低減することができる。あるいは分離流路２８０８をより短くすることができ、チップ面積の縮小に寄与する。【０２０１】  さらに本例が、実施例３で述べた図１２の分離・秤量チップと異なる点は、図１２の場合には試料である血液のすべてが断面積の小さくなっている部分１２０１を通過するのに対し、本例では血液のほとんどが、このように断面積の小さくなっている部分（本例では採血針３４０１内部）を通過することが無い点である。血液の場合、断面積の小さい流路を高速で通過させると血球が破壊される溶血が起こり、成分組成の変化を招来する可能性があるので、本例の態様は実施例３のものよりもより良いと考えられる。
【図面の簡単な説明】
【図１】本発明の分離・秤量チップの分解斜視図である。
【図２】本発明の分離・秤量チップの透過斜視図である。
【図３】本発明の分離・秤量チップの上面図である。
【図４】回転装置を説明する図である。
【図５】本発明の分離・秤量チップ中の分離流路の拡大図である。
【図６】本発明の分離・秤量チップの動作を説明する図である。
【図７】本発明の分離・秤量チップ上の分離流路中での試料からの検体成分と非検体成分の分離の様子を説明する図である。
【図８】本発明の分離・秤量チップ上の非検体成分蓄積槽、検体成分秤量槽、廃液槽での試料の流れを説明する図である。
【図９】本発明の分離・秤量チップの上面図である。
【図１０】本発明の分離・秤量チップの分離・非検体成分蓄積流路の拡大図である。
【図１１】本発明の分離・秤量チップの上面図である。
【図１２】本発明の分離・秤量チップの上面図である。
【図１３】本発明の混合チップの上面図である。
【図１４】図１３中の混合流路１３０６の一部、１３１０部の拡大図である。
【図１５】突起形状が無い流路での試料の流れを説明する図である。
【図１６】２種類の試料の混合流路と光学測定セルを結合したチップの作製の様子を説明する分解斜視図である。
【図１７】図１６に示した光学測定セル結合チップの上面図である。
【図１８】図１６に示した光学測定セル結合チップの光学測定セル部の側面図と、測定光学光路を説明する図である。
【図１９】秤量チップの一例の上面図である。
【図２０】秤量チップの一例の分解斜視図である。
【図２１】試料秤量後の秤量チップを示す図である。
【図２２】秤量された試料の秤量槽内での様子を説明する斜視図である。
【図２３】秤量槽内での試料喫水線の湾曲を説明する側面図である。
【図２４】試料の喫水線湾曲に伴う変化を説明する秤量槽上面図。
【図２５】本発明の秤量槽の構造を説明する透過斜視図である。
【図２６】本発明の秤量槽の構造を説明する上面図である。
【図２７】本発明の検体分析チップの分解透過斜視図である。
【図２８】本発明の検体分析チップを構成する基板Ａの透過斜視図（ａ）と上面図（ｂ）である。
【図２９】本発明の検体分析チップを構成する基板Ｂの透過斜視図（ａ）と上面図（ｂ）である。
【図３０】本発明の検体分析チップを構成する基板Ｃの透過斜視図（ａ）と上面図（ｂ）である。
【図３１】本発明の検体分析チップを構成する（ａ）接着板Ａと（ｂ）接着板Ｂの透過斜視図である。
【図３２】本発明の検体分析チップの透過斜視図である。
【図３３】本発明の検体分析チップの光学測定セル部の分解透過斜視図（ａ）と透過斜視図（ｂ）である。
【図３４】採血装置を説明する図である。
【図３５】本発明の検体分析チップの動作を説明する図である。（第１層基板Ａのみ図示）
【図３６】第１のチップ回転後の検体分析チップの状態を説明する図である。（第１層基板Ａのみ図示）
【図３７】第２のチップ回転後の検体分析チップの状態を説明する図である。（第２層基板Ｂのみ図示）
【図３８】接着板を介して複数基板上の溝流路の接続の状態を説明する透過側面図である。（ａ）接着前、（ｂ）接着後、（ｃ）接着板の構造の一例。
【図３９】第２のチップ回転後の検体分析チップの状態を説明する図である。（第３層基板Ｃのみ図示）
【図４０】第２のチップ回転後の検体分析チップの状態を説明する図である。（第１層基板Ａのみ図示）
【図４１】第３のチップ回転中の検体分析チップの状態を説明する図である。（第３層基板Ｃのみ図示）
【図４２】検体分析チップの光学測定セル部の透過側面図を示す図である。
【図４３】本発明の分離・秤量チップを用いて、血液を分離・秤量した後の写真である。
【図４４】本発明の分離・秤量チップの分離流路長を短くした評価用チップである。
【図４５】図４４のチップを用い、血液を分離・秤量した後の写真である。
【図４６】本発明の分離・秤量チップの分離流路長を短くした評価用チップである。
【図４７】本発明の混合チップにおいて、チップ回転後の様子を示す図である。
【図４８】本発明の混合チップの一例を示す図である。
【図４９】本発明の秤量チップにおいて、秤量槽より蓄積槽に試料を移動した後の様子を説明する図である。
【図５０】秤量槽の試料喫水線部の深さが特に浅くなっていない秤量チップの秤量操作終了後の様子を示す図である。
【図５１】図５０に示した状態から、秤量槽より蓄積槽に試料を移動した後の様子を説明する図である。
【図５２】本発明の検体分析チップの光学測定系を示す図である。
【図５３】本発明の検体分析チップを用い、３種の検査項目について得られた較正直線である。
【符号の説明】
１０１  基板Ａ
１０２  基板Ｂ
２０１  分離・秤量チップ
３０１  試料導入口
３０２  試料溜
３０３  分離流路
３０４  非検体成分蓄積槽
３０５  検体成分秤量槽Ａ
３０６  検体成分秤量槽Ｂ
３０７  検体成分秤量槽Ｃ
３０８  廃液溜槽
３０９  空気抜き穴
３１０  分離流路の一部を指示
４０１  モータ
４０２  シャフト
４０３  ローター
４０４  バランサチップ
５０１  分離流路
５０２  分離流路の遠心加圧方向Ｆの側壁輪郭の任意の一点
５０３  点５０２における分離流路の側壁輪郭の接線
５０４  点５０２と回転軸Ｃ上の点を通過する線
５０５  試料進行方向
５０６  回転軸方向
６０１  試料
６０２  試料６０１の分離流路での先頭部分を指示する丸印
７０１  非検体成分
７０２  検体成分
７０３  試料の進行方向
８０１  検体成分と非検体成分の遠心分離がほぼ完了した試料
８０２  非検体成分
８０３  検体成分
８０４  連結路Ａ
８０５  連結路Ｂ
８０６  連結路Ｃ
８０７  連結路Ｄ
８０８  非検体成分蓄積槽３０４と連結路Ａ８０４の輪郭線の交点の内、より遠心加圧方向側の交点
８０９  回転軸Ｃを中心とし、点８０８を通過する円の軌跡
８１０  検体成分の喫水線を表す回転軸Ｃを中心とした円の軌跡
８１１  検体成分秤量槽Ａ３０５と連結路Ｂ８０５の輪郭線の交点の内、より遠心加圧方向側の交点
８１２  回転軸Ｃを中心とし、点８１１を通過する円の軌跡
８１３  検体成分秤量槽Ｂ３０６と連結路Ｃ８０６の輪郭線の交点の内、より遠心加圧方向側の交点
８１４  回転軸Ｃを中心とし、点８１３を通過する円の軌跡
８１３  検体成分秤量槽Ｂ３０７と連結路Ｄ８０７の輪郭線の交点の内、より遠心加圧方向側の交点
８１６  回転軸Ｃを中心とし、点８１５を通過する円の軌跡
９０１  分離・非検体成分蓄積流路
９０２  分離・非検体成分蓄積流路の一部を指示
１００１  非検体成分蓄積部
１００２  非検体成分蓄積部下流側端点Ａ
１００３  非検体成分蓄積部下流側端点Ｂ
１００４  非検体成分蓄積部下流側端点Ｃ
１００５  回転軸Ｃを中心とし、点１００２を通過する円の軌跡
１００６  回転軸Ｃを中心とし、点１００３を通過する円の軌跡
１００７  回転軸Ｃを中心とし、点１００４を通過する円の軌跡
１１０１  回転軸Ｃを中心とした円の軌跡で、検体成分秤量槽内の検体成分の喫水線を表す
１１０２  検体成分が蓄積された非検体成分蓄積部を指示
１２０１  分離流路の一部であって、断面積が他より小さくなっている部位
１３０１  試料導入口Ａ
１３０２  試料導入口Ｂ
１３０３  試料溜Ａ
１３０４  試料溜Ｂ
１３０５  合流部
１３０６  混合流路
１３０７  混合試料溜槽
１３０８  空気抜きＡ
１３０９  空気抜きＢ
１３１０  混合流路の一部を指示
１３１１  合流流路Ａ
１３１２  合流流路Ｂ
１４０１  突起形状
１４０２  流路幅Ａ
１４０３  流路幅Ｂ
１５０１  突起形状の無い流路
１５０２  試料Ａ
１５０３  試料Ｂ
１５０４  試料の進行方向
１５０５  折り返し部
１６０１  光学測定セル
１６０２  光学反射率の高い薄膜
１８０１  混合した試料
１８０２  光源
１８０３  入射光
１８０４  出射光
１８０５  光検出器
１８０６  半透鏡
１８０７  光学窓
１８０８  反射層
１９０１  秤量槽
１９０２  蓄積槽
２１０１  秤量槽１９０１に蓄積される試料の喫水線
２１０２  秤量された試料
２１０３  廃液槽３０８に蓄積される試料の喫水線
２１０４  廃棄された試料
２１０５  秤量槽１９０１を指示
２４０１  本来の試料喫水線
２４０２  試料喫水線湾曲後の喫水線
２６０１  槽の深さが浅い部分と深い部分の境界
２６０２  槽の深さが深い部分
２６０３  槽の深さが浅い部分
２７０１  基板Ａ
２７０２  基板Ｂ
２７０３  基板Ｃ
２７０４  接着板Ａ
２７０５  接着板Ｂ
２８０１  試料導入口
２８０２  試薬試料１Ａ導入口
２８０３  試薬試料１Ｂ導入口
２８０４  試薬試料１Ｃ導入口
２８０５  試薬試料１Ａ溜槽
２８０６  試薬試料１Ｂ溜槽
２８０７  試薬試料１Ｃ溜槽
２８０８  分離流路
２８０９  非検体成分蓄積槽Ａ
２８１０  非検体成分蓄積槽Ｂ
２８１１  検体成分秤量槽Ａ
２８１２  検体成分秤量槽Ｂ
２８１３  検体成分秤量槽Ｃ
２８１４  秤量槽１Ａ
２８１５  秤量槽１Ｂ
２８１６  秤量槽１Ｃ
２８１７  廃液溜槽Ａ
２８１８  検体成分秤量槽Ａ接続部Ａ
２８１９  検体成分秤量槽Ｂ接続部Ａ
２８２０  検体成分秤量槽Ｃ接続部Ａ
２８２１  秤量槽１Ａ接続部Ａ
２８２２  秤量槽１Ｂ接続部Ａ
２８２３  秤量槽１Ｃ接続部Ａ
２８２４  試薬試料２Ａ導入口Ａ
２８２５  試薬試料２Ｂ導入口Ａ
２８２６  試薬試料２Ｃ導入口Ａ
２８２７  空気抜きＡ
２９０１  検体成分秤量槽Ａ接続部Ｂ
２９０２  検体成分秤量槽Ｂ接続部Ｂ
２９０３  検体成分秤量槽Ｃ接続部Ｂ
２９０４  秤量槽１Ａ接続部Ｂ
２９０５  秤量槽１Ｂ接続部Ｂ
２９０６  秤量槽１Ｃ接続部Ｂ
２９０７  １次混合槽１Ａ
２９０８  １次混合槽１Ｂ
２９０９  １次混合槽１Ｃ
２９１０  試薬試料２Ａ導入口Ｂ
２９１１  試薬試料２Ｂ導入口Ｂ
２９１２  試薬試料２Ｃ導入口Ｂ
２９１３  １次混合槽１Ａ接続部Ｂ
２９１４  １次混合槽１Ｂ接続部Ｂ
２９１５  １次混合槽１Ｃ接続部Ｂ
２９１６  光学測定セル１Ａ
２９１７  光学測定セル１Ｂ
２９１８  光学測定セル１Ｃ
２９１９  廃液溜槽１Ａ
２９２０  廃液溜槽１Ｂ
２９２１  廃液溜槽１Ｃ
２９２２  空気抜きＢ
３００１  試薬試料２Ａ溜槽
３００２  試薬試料２Ｂ溜槽
３００３  試薬試料２Ｃ溜槽
３００４  秤量槽２Ａ
３００５  秤量槽２Ｂ
３００６  秤量槽２Ｃ
３００７  廃液溜槽２Ａ
３００８  廃液溜槽２Ｂ
３００９  廃液溜槽２Ｃ
３０１０  空気抜きＣ
３０１１  １次混合槽１Ａ接続部Ｃ
３０１２  １次混合槽１Ｂ接続部Ｃ
３０１３  １次混合槽１Ｃ接続部Ｃ
３０１４  混合流路Ａ
３０１５  混合流路Ｂ
３０１６  混合流路Ｃ
３０１７  光学測定セル２Ａ
３０１８  光学測定セル２Ｂ
３０１９  光学測定セル２Ｃ
３０２０  合流流路１Ａ
３０２１  合流流路１Ｂ
３０２２  合流流路１Ｃ
３０２３  合流流路２Ａ
３０２４  合流流路２Ｂ
３０２５  合流流路２Ｃ
３１０１  秤量槽１Ａ貫通穴
３１０２  秤量槽１Ｂ貫通穴
３１０３  秤量槽１Ｃ貫通穴
３１０４  検体成分秤量槽Ａ貫通穴
３１０５  検体成分秤量槽Ｂ貫通穴
３１０６  検体成分秤量槽Ｃ貫通穴
３１０７  光学測定セル１Ａ貫通穴
３１０８  光学測定セル１Ｂ貫通穴
３１０９  光学測定セル１Ｃ貫通穴
３１１０  試薬試料２Ａ貫通穴
３１１１  試薬試料２Ｂ貫通穴
３１１２  試薬試料２Ｃ貫通穴
３１２１  １次混合槽１Ａ貫通穴
３１２２  １次混合槽１Ｂ貫通穴
３１２３  １次混合槽１Ｃ貫通穴
３１２４  空気抜き貫通穴Ａ
３１２５  空気抜き貫通穴Ｂ
３１２６  空気抜き貫通穴Ｃ
３１２７  光学測定セル２Ａ貫通穴
３１２８  光学測定セル２Ｂ貫通穴
３１２９  光学測定セル２Ｃ貫通穴
３１３０  試薬試料２Ａ溜槽貫通穴
３１３１  試薬試料２Ｂ溜槽貫通穴
３１３２  試薬試料２Ｃ溜槽貫通穴
３２０１  光学測定セル部を指示
３３０１  光学窓Ａ
３３０２  光学窓Ｂ
３３０３  接着板Ｃ
３３０４  光学測定セルＡ
３３０５  光学測定セルＢ
３３０６  光学測定セルＣ
３４０１  採血用針
３４０２  変換パイプ
３４０３  血液溜めパイプ
３５０１  血液が蓄積された採血装置
３５０２  試薬試料１Ａ
３５０３  試薬試料１Ｂ
３５０４  試薬試料１Ｃ
３６０１  秤量された血漿成分
３６０２  秤量された試薬試料１Ａ
３６０３  秤量された試薬試料１Ｂ
３６０４  秤量された試薬試料１Ｃ
３６０５  廃液
３６０６  喫水線
３６０７  血球成分と血漿成分の境界線
３７０１  秤量された血漿と試薬試料１Ａの１次混合試料
３７０２  秤量された血漿と試薬試料１Ｂの１次混合試料
３７０３  秤量された血漿と試薬試料１Ｃの１次混合試料
３７０４  槽の奥行きが浅くなっている部位
３８０１  溝流路Ａ
３８０２  貫通穴
３８０３  溝流路Ｂ
３８０４  試料の流れ方向
３８０５  基材
３８０６  粘着層
３９０１  秤量された試薬試料２Ａ
３９０２  秤量された試薬試料２Ｂ
３９０３  秤量された試薬試料２Ｃ
３９０４  廃棄された試薬試料２Ａ
３９０５  廃棄された試薬試料２Ｂ
３９０６  廃棄された試薬試料２Ｃ
４１０１  合流部Ａ
４１０２  合流部Ｂ
４１０３  合流部Ｃ
４７０１  青と赤の色素水溶液の混合水溶液
４８０１  合流流路Ａ
４８０２  合流流路Ｂ
５００１  槽内を移動した試料
５１０１  試料溜に移送されてしまった秤量された試料の一部
５２０１  光学素子設置基板
５２０２  スリット光路
５２０３  平凸集光レンズ
Ｃ  回転軸
θ  角度
Ｃ１  第１の回転軸
Ｃ２  第２の回転軸
Ｆ  遠心加圧方向
Ｆ１  第１の遠心加圧方向
Ｆ２  第１の遠心加圧方向
【図１】
2007024851.tif 000004
【図２】
2007024851.tif 000005
【図３】
2007024851.tif 000006
【図４】
2007024851.tif 000007
【図５】
2007024851.tif 000008
【図６】
2007024851.tif 000009
【図７】
2007024851.tif 000010
【図８】
2007024851.tif 000011
【図９】
2007024851.tif 000012
【図１０】
2007024851.tif 000013
【図１１】
2007024851.tif 000014
【図１２】
2007024851.tif 000015
【図１３】
2007024851.tif 000016
【図１４】
2007024851.tif 000017
【図１５】
2007024851.tif 000018
【図１６】
2007024851.tif 000019
【図１７】
2007024851.tif 000020
【図１８】
2007024851.tif 000021
【図１９】
2007024851.tif 000022
【図２０】
2007024851.tif 000023
【図２１】
2007024851.tif 000024
【図２２】
2007024851.tif 000025
【図２３】
2007024851.tif 000026
【図２４】
2007024851.tif 000027
【図２５】
2007024851.tif 000028
【図２６】
2007024851.tif 000029
【図２７】
2007024851.tif 000030
【図２８】
2007024851.tif 000031
【図２９】
2007024851.tif 000032
【図３０】
2007024851.tif 000033
【図３１】
2007024851.tif 000034
【図３２】
2007024851.tif 000035
【図３３】
2007024851.tif 000036
【図３４】
2007024851.tif 000037
【図３５】
2007024851.tif 000038
【図３６】
2007024851.tif 000039
【図３７】
2007024851.tif 000040
【図３８】
2007024851.tif 000041
【図３９】
2007024851.tif 000042
【図４０】
2007024851.tif 000043
【図４１】
2007024851.tif 000044
【図４２】
2007024851.tif 000045
【図４３】
2007024851.tif 000046
【図４４】
2007024851.tif 000047
【図４５】
2007024851.tif 000048
【図４６】
2007024851.tif 000049
【図４７】
2007024851.tif 000050
【図４８】
2007024851.tif 000051
【図４９】
2007024851.tif 000052
【図５０】
2007024851.tif 000053
【図５１】
2007024851.tif 000054
【図５２】
2007024851.tif 000055
【図５３】
2007024851.tif 000056